(57)【特許請求の範囲】
【請求項１】
使用者による入力を受け付ける操作ボタンを含む表示画面を表示する表示部と、
前記表示画面に含まれる前記操作ボタンに対する使用者の近接を、該使用者による近接入力として検知する近接検知部と、
前記操作ボタンへの前記使用者の接触を、該使用者による接触入力として検知する接触検知部と、
前記操作ボタンへの接触入力に応じて、該操作ボタンに対応付けられた機能を実行する機能実行部と、
前記機能実行部によって実行される機能を示す機能情報として、対応する前記操作ボタンにより示される情報よりも詳細な情報である詳細情報または該詳細情報と関連する画像であるイメージ情報を報知するための報知部と、
前記近接検知部に対して近接入力の検知を許可するか否かを示す近接入力可否情報を、少なくとも前記表示画面の一部に対応づけて記憶する記憶装置と、
前記近接入力可否情報に基づき、前記近接入力の検知を、前記近接検知部に許可するか否かを判定する許可判定部と、
前記近接検知部が操作ボタンへの近接入力を検知することを許可判定部が許可する場合は、前記近接入力を示す静電容量の変化量の情報を前記近接検知部が受け付ける状態とし、前記近接検知部が操作ボタンへの近接入力を検知することを許可判定部が許可しない場合は、前記静電容量の変化量の情報を前記近接検知部が受け付けない状態とするように切り替える切替部と、を備え、
前記近接検知部が前記操作ボタンへの近接入力の検知を前記許可判定部により許可された場合、前記報知部は、該操作ボタンに対応づけられた前記機能情報を報知する電子機器。
【請求項２】
前記記憶装置は、前記近接入力可否情報を、少なくとも前記表示画面の一部として、前記操作ボタンそれぞれに対応づけて記憶する請求項１に記載の電子機器。
【請求項３】
前記記憶装置は、前記近接入力可否情報を、少なくとも前記表示画面の一部として、前記表示画面それぞれに対応づけて記憶する請求項１に記載の電子機器。
【請求項４】
当該電子機器の状態を検知し、該電子機器の状態が所定の状態であるか否か判定する状態判定部をさらに備え、
前記許可判定部は、
前記状態判定部によって電子機器の状態が所定の状態であると判定された場合、前記近接入力可否情報にかかわらず、前記近接検知部による近接入力の検知を禁止する、請求項１から３のいずれか１項に記載の電子機器。
【請求項５】
前記報知部は、前記表示部において前記機能情報を拡大表示させる請求項１に記載の電子機器。
【請求項６】
前記操作ボタンは、前記表示部における表示画面上に表示された操作子画像と該操作子画像に対応して設けられた近接検知素子とから構成されており、
使用者による押下に応じて入力を受け付けるよう物理的な構成を有する押下ボタンをさらに備え、
前記押下ボタンは、該押下ボタンへの使用者の近接および接触時に前記近接検知部が前記近接入力として検知しない位置に設けられている請求項１から５のいずれか１項に記載の電子機器。
【請求項７】
請求項１から６のいずれか１項に記載の電子機器を含む加熱調理器。
【請求項８】
使用者による入力を受け付ける操作ボタンを含む表示画面を表示する表示ステップと、
前記表示画面に含まれる前記操作ボタンに対する使用者の近接を、該使用者による近接入力として検知する近接検知ステップと、
前記近接検知ステップにおいて近接入力の検知を許可するか否かを示す近接入力可否情報を、少なくとも前記表示画面の一部に対応づけて記憶する記憶ステップと、
前記記憶ステップにおいて記憶された前記入力可否情報に基づき、前記近接入力の検知を許可するか否かを判定する判定ステップと、
前記判定ステップにおいて前記操作ボタンへの近接入力の検知が許可された場合、前記近接検知ステップにおいて前記近接入力を示す静電容量の変化量の情報を受け付ける状態とし、前記操作ボタンへの近接入力の検知が許可されない場合、前記静電容量の変化量の情報を受け付けない状態とするように切り替える切替ステップと、
前記判定ステップにおいて前記操作ボタンへの近接入力の検知が許可された場合、該操作ボタンに対応付けられた、当該電子機器において実行される機能を示す機能情報として、対応する前記操作ボタンにより示される情報よりも詳細な情報である詳細情報または該詳細情報と関連する画像であるイメージ情報を報知する報知ステップと、
前記近接入力が検知された前記操作ボタンへの前記使用者の接触を、該使用者による接触入力として検知する接触検知ステップと、
前記操作ボタンへの接触入力に応じて、該操作ボタンに対応付けられた機能を実行する機能実行ステップと、を含む電子機器の動作方法。
【発明の詳細な説明】
【技術分野】
【０００１】
本発明は、ユーザからの入力を受け付けるための表示画面を表示する表示部を備えた電子機器に関するものである。
【背景技術】
【０００２】
近年、様々な入力形態の入力装置が電子機器に搭載されるようになっている。特に、カラー液晶パネルなどの表示装置と、位置入力装置とを組合せた入力装置である、いわゆるタッチパネルを搭載した電子機器が増えている。【０００３】
このタッチパネルは、ユーザの直感的な操作により入力を行うことができるため、自動券売機、カーナビゲーション装置、スマートフォンなどの製品の入力装置として採用されている。また、このタッチパネルは、例えば、加熱調理器などより身近な電子機器の入力装置としても採用されるようになっている。【０００４】
代表的な加熱調理器としては、例えば、オーブンレンジが挙げられる。オーブンレンジは、マイクロ波加熱の他に、オーブン、グリル、スチームなどいろいろな形態での加熱調理が可能であり、それら複数形態の加熱調理の中から適切な形態を選択して加熱したり、または複数形態の加熱調理を順番に選択して使ったり、複数形態の加熱調理を同時に使ったりして、多様な調理を可能にするものである。【０００５】
また、料理品目ごとに加熱調理形態の選択と選択された加熱調理形態を利用したときの加熱量および加熱時間を予め設定されている自動調理メニューを保持しており、使用者はこの自動調理メニューの中から所望の料理品目を選択するだけで調理を実現することができるものも開発されている。特に、最近のオーブンレンジは、多種多様な料理品目を含む自動調理メニューを保持している。そして、このような自動調理メニューを表示し、表示された自動調理メニューの中から所望の料理品目を容易に選択できるように構成された加熱調理器が提案されている（例えば、特許文献１）。特許文献１に開示された加熱調理器（オーブンレンジ）は、カラー液晶パネルと位置入力装置とを一体に構成したカラー液晶表示部（タッチパネル）を備え、このカラー液晶表示部に自動調理メニューを表示させ、使用者からの入力を受け付けることができるように構成されている。【０００６】
このような構成の加熱調理器（オーブンレンジ）において、ユーザはタッチパネルをタッチすることによって、カラー液晶パネルに表示されている料理品目を示す画像の中から所望の料理品目の画像を選択することができる。なお、このタッチパネルでは指がカラー液晶パネルに接触することで変化する静電容量を検知している。
【先行技術文献】
【特許文献】
【０００７】
【特許文献１】特開２０１１−２３７１２５号公報
【特許文献２】特開２００７−１００９９５号公報
【発明の概要】
【発明が解決しようとする課題】
【０００８】
しかしながら、特許文献１に開示された加熱調理器では、表示部で表示された表示画面上での操作性を高めることができないという問題がある。本発明は、上述した問題点に鑑みてなされたものであり、その目的は、表示部で表示された表示画面上での操作性を高めた電子機器を提供することにある。
【課題を解決するための手段】
【０００９】
本発明に係る電子機器は、上記した課題を解決するために、使用者による入力を受け付ける操作ボタンを含む表示画面を表示する表示部と、前記表示画面に含まれる前記操作ボタンに対する使用者の近接を、該使用者による近接入力として検知する近接検知部と、前記操作ボタンへの入力に応じて、該操作ボタンに対応付けられた機能を実行する機能実行部と、前記近接検知部に対して近接入力の検知を許可するか否かを示す近接入力可否情報を、少なくとも前記表示画面の一部に対応づけて記憶する記憶装置と、前記近接入力可否情報に基づき、前記近接入力の検知を、前記近接検知部に許可するか否かを判定する許可判定部と、を備える。
【発明の効果】
【００１０】
本発明に係る電子機器は、以上に説明したように構成され、表示部で表示された表示画面上での操作性を高めることができるという効果を奏する。
【図面の簡単な説明】
【００１１】
【図１】本発明の実施形態に係るオーブンレンジの外観を示す斜視図である。
【図２】図１に示すオーブンレンジが備える液晶タッチパネルの概略構成を示す断面図である。
【図３】図１に示すオーブンレンジ内部の概略構成を示す図である。
【図４】図１に示すオーブンレンジの液晶タッチパネルが有する位置入力装置の構成を示す模式図である。
【図５】図５は図４に示す位置入力装置と使用者の指との間の距離と、静電容量の変化量との関係を示すグラフである。
【図６】実施例１に係るオーブンレンジの要部構成の一例を示すブロック図である。
【図７】実施例１に係る液晶タッチパネルにおいて表示される自動調理メニューの選択画面の一例を示す図である。
【図８】実施例１に係る液晶タッチパネルにおいて表示される自動調理メニューの選択画面の一例を示す図である。
【図９】実施例１に係る液晶タッチパネルにおいて表示される自動調理メニューの選択画面の一例を示す図である。
【図１０】実施例１に係るオーブンレンジが備える液晶タッチパネルにおける入力受付動作の一例を示すフローチャートである。
【図１１】実施例２に係るオーブンレンジの要部構成の一例を示すブロック図である。
【図１２】実施例２に係る液晶タッチパネルにおいて表示される自動調理メニューの選択画面の一例を示す図である。
【図１３】実施例２に係る液晶タッチパネルにおいて表示される自動調理メニューの選択画面の一例を示す図である。
【図１４】図１３の自動調理メニューにおける自動メニューボタン群のうち「ラタトゥイユ」が使用者によって選択された後の表示画面（選択後画面）の一例を示す図である。
【図１５】実施例２に係るオーブンレンジが備える液晶タッチパネルにおける入力受付動作の一例を示すフローチャートである。
【図１６】実施例３に係るオーブンレンジの要部構成の一例を示すブロック図である。
【図１７】実施例３に係る液晶タッチパネルにおいて表示される基本のメニュー画面の一例を示す図である。
【図１８】実施例３に係る液晶タッチパネルにおいて表示される自動調理メニューの選択画面の一例を示す図である。
【図１９】実施例３に係る液晶タッチパネルにおいて表示される自動調理メニューの選択画面の一例を示す図である。
【図２０】実施例３に係る液晶タッチパネルにおいて表示される自動調理メニューの詳細設定画面の一例を示す図である。
【図２１】実施例３に係るオーブンレンジが備える液晶タッチパネルにおける入力受付動作の一例を示すフローチャートである。
【図２２】実施例３の変形例１に係る液晶タッチパネルにおいて表示される自動調理メニューの選択画面の一例を示す図である。
【図２３】実施例３の変形例１に係る液晶タッチパネルにおいて表示される自動調理メニューの詳細設定画面の一例を示す図である。
【図２４】実施例４に係るオーブンレンジの要部構成の一例を示すブロック図である。
【図２５】実施例４に係る液晶タッチパネルにおいて表示される自動調理メニューのカテゴリー選択画面の一例を示す図である。
【図２６】実施例４に係る液晶タッチパネルにおいて表示される自動調理メニューのカテゴリー選択画面の一例を示す図である。
【図２７】実施例４に係る液晶タッチパネルにおいて表示される、焼き物として分類されるカテゴリーの調理メニュー選択画面の一例を示す図である。
【図２８】実施例４に係る液晶タッチパネル１０において表示される、料理品目の詳細設定画面の一例を示す図である。
【図２９】実施例４に係るオーブンレンジが備える液晶タッチパネルにおける入力受付動作の一例を示すフローチャートである。
【図３０】実施例５に係るオーブンレンジ内部の概略構成を示す図である。
【図３１】実施例５に係るオーブンレンジの要部構成の一例を示すブロック図である。
【図３２】実施例５に係る液晶タッチパネルにおいて表示される加熱パワーと加熱時間の設定画面の一例を示す図である。
【図３３】実施例５に係る液晶タッチパネルにおいて表示される、追加加熱についての加熱パワーと加熱時間の設定画面の一例を示す図である。
【図３４】実施例５の変形例１に係るオーブンレンジ内部の概略構成を示す図である。
【図３５】実施例５の変形例１に係るオーブンレンジに取り付けられる加熱皿の上面図である。
【図３６】図３５に示す加熱皿におけるＡ−Ａ’断面図である。
【図３７】実施例５の変形例１に係る液晶タッチパネルにおいて表示される加熱時間設定画面の一例を示す図である。
【図３８】実施例５の変形例１に係る液晶タッチパネルにおいて表示される上面加熱時間の設定画面の一例を示す図である。
【図３９】実施例６に係るオーブンレンジの外観を示す斜視図である。
【図４０】図３９に示すオーブンレンジ内部の概略構成を示す図である。
【図４１】実施例６に係るオーブンレンジの要部構成の一例を示すブロック図である。
【図４２】実施例６に係る液晶タッチパネルにおいて表示される基本のメニュー画面の一例を示す図である。
【図４３】実施例６に係る液晶タッチパネルにおいて表示される自動調理メニューの選択画面の一例を示す図である。
【図４４】実施例６に係る液晶タッチパネルにおいて表示される選択確認画面の一例を示す図である。
【図４５】実施例６に係る液晶タッチパネルにおいて表示される調理方法画面の一例を示す図である。
【図４６】実施例６に係るオーブンレンジが備える液晶タッチパネルにおける入力受付動作の一例を示すフローチャートである。
【図４７】実施例６に係るオーブンレンジの要部構成の一例を示すブロック図である。
【図４８】実施例６の変形例１に係る液晶タッチパネルにおいて表示される調理方法画面の一例を示す図である。
【図４９】実施例６の変形例１に係るオーブンレンジが備える液晶タッチパネルにおける入力受付動作の一例を示すフローチャートである。
【図５０】実施例７に係るオーブンレンジの外観を示す斜視図である。
【図５１】実施例７に係るオーブンレンジの要部構成の一例を示すブロック図である。
【図５２】実施例７に係るオーブンレンジ１が備える液晶タッチパネルにおける入力受付動作の一例を示すフローチャートである。
【図５３】実施例７の変形例１に係るオーブンレンジの要部構成の一例を示すブロック図である。
【図５４】実施例７の変形例１に係るオーブンレンジが備える液晶タッチパネルにおける入力受付動作の一例を示すフローチャートである。
【図５５】実施例１に係るオーブンレンジが備える標準ボタン画像記憶部に記憶されているボタンテーブル情報の一例を示す図である。
【図５６】実施例２に係るオーブンレンジが備える画面記憶部に記憶される画面テーブル情報の一例を示す図である。
【発明を実施するための形態】
【００１２】
（本発明の一形態を得るに至った経緯）
本発明者は、特許文献１に示すような従来の加熱調理器に関して鋭意研究したところ、以下の問題を見出した。
【００１３】
タッチパネルにおいて、使用者の手の接触の検知（接触検知）のみならず、手が近接したことを検知（近接検知）することでも入力を受け付けることができるように構成することが考えられる。
【００１４】
しかしながら、タッチパネルで受付ける使用者からの指示には、上述した自動調理メニューのような情報の提示を求めるものの他、加熱などの加熱調理器の主たる機能の実行を指示するものも含まれる。すなわち、前者の指示の場合、仮に誤って行った指示であっても、元の状態に復元できるが、後者の指示の場合、元の状態には復元できない。つまり、同じ使用者からの指示であっても、その指示により導かれる結果の重要度に大きな違いがある。
【００１５】
一方、近接検知により入力を受け付ける構成では、使用者が意図せずカラー液晶パネル上に表示されたボタンなどに近接した場合であっても入力として受け付けてしまうことがある。つまり、近接検知により入力を受付ける構成は、接触検知により入力を受け付ける構成と比較して誤った入力を受け付ける可能性が高い。
【００１６】
それゆえ、上述したように入力を受付けることで実行される結果の重要度を考慮し、近接検知による入力を受付けるか否か判定する必要があることを見出し、本発明に至った。
【００１７】
さらに従来の加熱調理器の構成について検討したところ、以下の課題も見出した。
【００１８】
上記した従来の加熱調理器に備えられたタッチパネルのように、使用者の指をカラー液晶パネル上に接触させた時に変化する静電容量を検知する方式の場合、物理的なボタンとは異なり強く押さえ込むことが不要であり、軽い接触だけで検知できるという利点がある。このため、タッチパネルを搭載したオーブンレンジにおいてこのタッチパネルの利点を活かした多くの操作方法が提案されている。
【００１９】
ところで、上記従来の構成では、指が接触した時の静電容量の変化を検知することでタッチパネルの操作を可能としている。このため、従来の構成では、指が直接接触しない、例えば、分厚い手袋を付けたままの状態ではタッチパネルの操作ができない。ここでオーブンレンジの使用態様を考えると、オーブンレンジは食品を加熱するものであるため、食品の加熱終了時においてオーブンレンジ内の食品または食器は熱くなっている。そこで、使用者は加熱された食品または食器を扱うために、ミトンという分厚い手袋を付けることがあるが、このミトンを付けた手ではタッチパネルでの操作ができないという課題がある。
【００２０】
そこで、本発明では、ミトンなど分厚い手袋を付けたままでタッチパネルによる入力を可能とするとともに、この入力できるタイミングを適切に規定することで、タッチパネルの操作性を向上させた電子機器を提案することを課題とする。
【００２１】
また、一般的には加熱調理器を使う時の使用者の手は、濡れていたり汚れていたりすることが多い。つまり、使用者は食品を直接触って手が汚れたり、食品または手を水洗したりするからである。このため、従来の構成では、タッチパネルのカラー液晶パネルに触れることで各種選択や設定、決定などの操作を行うので、そのままの手で操作するとカラー液晶パネルが濡れたり汚れたりしてしまう。
【００２２】
このようにカラー液晶パネルが汚れたり、濡れたりすると、カラー液晶パネルに表示されたボタンに対する視認性が低下したり、カラー液晶パネルへの接触に対する検知精度が低下したりする。このため、使用者はタッチパネルにおいてカラー液晶パネルが濡れたり汚れたりする状態を好ましく思わず、タッチパネルに対して操作をする前に布巾で手を拭くなど煩わしい作業を行うこととなる。
【００２３】
そこで、本発明では、使用者がタッチパネルのカラー液晶パネルに触れる回数を極力減らするために、タッチパネルのカラー液晶パネルに触れずに操作できるようにして、タッチパネルの操作性を向上させた電子機器を提案する。特には、電子機器の状態に応じて、カラー液晶パネルに触れずに操作できるようにするタイミングを適切に規定することで、操作性を向上させた電子機器を提案することを課題とする。
【００２４】
さらに、本発明者は、上述した表示画面上での操作性の向上の観点に加えて、タッチパネルにおいて使用者の手が接触する面（カラー液晶パネル面）が平らで凹凸がないことに起因する欠点について鋭意検討を行った。すなわち、カラー液晶パネル面が平らであるために、触覚に頼る視覚障害者の利用を困難とする点について検討を行った。
【００２５】
まず、ここで、上記した従来の加熱調理器に搭載されたタッチパネルにおける情報（自動調理メニュー）の表示態様について説明する。
【００２６】
加熱調理器に搭載されたタッチパネルでは、カラー液晶表示器にアイコンや文字を表示したボタンが配置されている。そして、使用者がそのボタンを押すことで自動調理メニューの中から例えば、所望の料理品目を選択することができる。また、料理品目の選択時には、料理品目の調理仕上がり時の写真を提示し、この写真を使用者が確認して選択を決定するなど、直観的でわかり易い操作を可能とする。
【００２７】
例えば、上記した構成を有する加熱調理器において、自動調理メニューの中から料理品目の選択を行う場合には、以下のような表示を行うことが考えられる。すなわち、カラー液晶表示器上に、各料理品目を分類したカテゴリーを示すカテゴリーボタンの一覧を表示し、その一覧の中のいずれか１つのカテゴリーボタンに接触して選択すると、そのカテゴリーに属する料理品目を示すボタンが一覧表示された画面に切り替わる。各料理品目を示すボタンには料理品目の名前が表示されており、その中のいずれか１つに使用者がタッチすることで、料理品目を選択決定することができ、カラー液晶パネル全体に選択した料理品目の名前の他、料理品目の写真やカロリーなどが表示される。そして、加熱調理器において、タッチパネル以外の部位に備えられたスタートキーを押すことで選択した料理品目の調理を開始する。
【００２８】
しかしながら、上述したタッチパネルのカラー液晶表示機には、物理的なボタン（凹凸）がない。このため、触覚に頼る視覚障害者などはタッチパネル上のボタン表示位置がわからないため使いにくいものとなるという問題がある。また、カラー液晶表示器の表示領域が小さい場合、表示するボタンの内容を示す文字を大きくしないと見えにくくなる。このため、カラー液晶表示器において同一画面上に同時に多数のボタンを表示させることができないという問題もある。
【００２９】
このような問題を解決するために、カラー液晶表示器で表示する各ボタンの表示位置に使用者が接触するたびに異なった音色を発することで、ボタンで示す意味を区別できるようにした装置が提案されている（例えば、特許文献２参照）。この装置では、視覚障害を有する使用者が手探りでボタンの表示位置に接触しても、その接触した表示位置に表示されているボタンが何であるか認識することができる。また、カラー液晶表示器の同一画面上において同時に多数のボタンを表示したため、ボタンの内容を示す文字が小さく、視認が困難な場合であっても、使用者はボタンの表示位置に接触するだけで、そのボタンが何のボタンであるのか分かるために使い勝手が向上する。
【００３０】
ところで上記した特許文献２に示す構成では、ボタンの表示位置に接触したときの音色の違いにより各ボタンの機能を把握することができるが、このボタンに対する入力も、該ボタンの表示位置に接触して行う構成である。このため、使用者が各ボタンの機能を探索するときと、各ボタンに対応する機能の実行を指示するときとではボタンの表示位置への接触という同じ動作となってしまう。このため、機能を探索するときの操作態様と機能の実行を指示するときの操作態様とを区別する必要がある。
【００３１】
そこで上記した特許文献２に示す構成では、各ボタンの機能の探索についての入力と各ボタンに対応する機能の実行指示についての入力とを区別するために二つの方法が提案されている。まず、一つ目の方法は、使用者の手がボタンの表示位置に接触すると音色でそのボタンの機能を知らせ、そのまま接触状態が所定時間以上続くと入力として受け付ける方法である。二つ目の方法は、使用者の手がボタンの表示位置に接触すると音色でそのボタンの機能を知らせる。その後、一度、手をボタンから離し非接触状態にして所定時間以内に再度、使用者の手がボタンに接触すると、入力として受け付ける方法である。
【００３２】
しかしながら、特許文献２で提案された方法は、いずれも操作が煩わしく、また間違いを起こしやすくなるという問題がある。ボタンの表示位置に接触することで入力を受け付ける操作は、物理的なボタンを押しこむ操作に比べて軽操作であることが特長である。しかしながら、上記したように所定時間以上、ボタンの表示位置に接触し続けなければ入力を受け付けられなかったり、ボタンの表示位置への接触後、一旦非接触状態にして再度接触しなければ入力を受け付けられなかったりするのでは、軽操作の特長が失われ煩わしい操作となってしまう。更に、ボタンの表示位置に対して単なる接触では入力が受け付けられないため、使用者としては入力したつもりであったが、その入力が受け付けられていなかったという誤操作も発生しやすい。
【００３３】
そこで、本発明は、視力の弱い使用者が手探りであっても操作しやすく、また多数のボタンを同時に並べて表示することで各ボタンが表示される大きさが小さくなるような場合であっても容易に操作でき、さらに煩わしい操作や誤操作を発生させないで、入力を受け付けることができる電子機器を提案することを課題とする。
【００３４】
さらにまた、本発明者は、上述したタッチパネルの操作性の向上の観点に加えて、タッチパネルの限られた表示領域で、いかに必要な情報を効率よく提示できるかという観点からも鋭意検討を行った。まず、タッチパネルで表示する自動調理メニューを例に挙げて説明する。
【００３５】
自動調理メニューには例えば「ぶりの照り焼き」または「鶏の唐揚げ」のような良く知られた料理品目が有る一方で、中には「パエリア」、「ナシゴレン」、「ラタトゥイユ」、「ボンゴレロッソ」、「バンバンジー」など、料理品目を見てもどんな料理なのかよくわからないものも多い。
【００３６】
そのため、自動調理メニューにおいて料理品の選択時にその料理品目の名前だけではよくわからず誤って意図しない料理品目を選択してしまうことがある。このような場合、調理メニューにおいて料理品目を選択決定した状態から、例えば、戻るキーを押すなどして、料理品目の選択画面まで戻り、再度選択し直すという煩わしい作業が発生してしまう。
【００３７】
このような料理品目の再選択といった煩わしい作業の発生を防ぐためには選択画面における各料理品目を示すボタンに調理仕上がり時の写真などを一緒に付加することが考えられる。このように写真を、料理品目を示すボタンに付加することで、使用者の料理品の選択を補助することができる。しかしながら、料理品目を示すボタンに写真を付加させる場合、写真を表示させる分だけ余分にボタンを大きくしなければならない。このため、カラー液晶表示器における同一画面上に同時に表示させるボタン数を減らさなければならなくなる。
【００３８】
これに対して、自動調理メニューの中から効率よく料理品目を選択するためには、できるだけ多くのボタンを液晶パネル上に同時に表示させて一覧性を良くすることが好適である。しかしながら、多くのボタンを一つの液晶パネル上で表示させると各ボタンは小さくなってしまうため、視認性が低下する。特に、料理品目を示すボタンに写真を付加させる場合、ボタンは非常に小さくなってしまうため、よりいっそうボタンの視認性が低下するものとなる。
【００３９】
本発明では、タッチパネルのカラー液晶表示器に多くのメニューボタンを表示させることで一覧性を良くし、且つ、誤った選択決定をさせないようにわかり易く表示することができる電子機器を提案することを課題とする。
【００４０】
また、上述した自動調理メニューには多数の料理品目が含まれており、自動調理メニューの中から所望の料理品目を選択するだけでその料理品目の料理を調理するのに最適な加熱源（加熱調理形態）が選択され、最適な加熱量および加熱時間で材料を加熱できる。このため、加熱量および加熱時間の設定などで迷ったり、失敗したりすることを防ぐことができるため調理を効率よく行うことができる。しかしながら、自動調理メニューにおける多数の料理品目の中から所望の料理品目を選択する作業は煩わしいものとなる。
【００４１】
多くの料理品目をカラー液晶表示器上に全部表示させることは困難であるために、上述したように料理品目を所定のカテゴリーに分類して、該カテゴリーの中から所望の料理品目を選択させる方法が考えられる。この方法では、使用者は、まずカラー液晶表示器に表示された複数のカテゴリー中から所望のカテゴリーを選択する。カテゴリーが選択されると液晶パネルにおける表示画面が切り替わり、選択されたカテゴリーに属する料理品目が表示される。そして、この表示された料理品目の中から所望の料理品目を選ぶ。このように、自動調理メニューの表示構造は階層的に構成されており、各階層で分類されたカテゴリーなどを選択することで所望の料理品目にまで辿りつき、その料理品目を選択できるように案内する方法が一般的である。例えば上記した特許文献１では、まず「蒸す・煮る」のカテゴリーを選び、次に「蒸す・煮る」の項目群の中から「茶わん蒸し」を選択するような方法をとっている。
【００４２】
特許文献１に示される方法では、選択したい料理品目が分類されているカテゴリーがわからない場合は、なかなか所望の料理品目に辿りつけない。また、自動調理メニューにはどのカテゴリーに分類されるのか使用者にとって分かりにくい料理品目もある。例えば「温泉卵」などは本来であれば湯せんして加熱する料理であるため、オーブンレンジではどのカテゴリー分類されているのかわかりにくい。
【００４３】
そうしたわかり難い料理品目について、間違ったカテゴリーを選択してしまうと、所望の料理品目に辿り着けないために戻る操作が必要となり、また別のカテゴリーを選択しなおす必要がある。なかなか所望の料理品目まで辿り着けない場合には、この戻る操作を何度も繰り返すことになって煩わしい操作となってしまう。
【００４４】
そこで、本発明は、戻る操作をすることなく、より早く簡単に所望の料理品目まで辿り着けるようにして、使い勝手を向上させた電子機器を提供することを課題とする。
【００４５】
そこで、上記した課題を解決するために、具体的には本発明では以下に示す態様を提供する。
【００４６】
本発明の第１の態様に係る電子機器は、使用者による入力を受け付ける操作ボタンを含む表示画面を表示する表示部と、前記表示画面に含まれる前記操作ボタンに対する使用者の近接を、該使用者による近接入力として検知する近接検知部と、前記操作ボタンへの入力に応じて、該操作ボタンに対応付けられた機能を実行する機能実行部と、前記近接検知部に対して近接入力の検知を許可するか否かを示す近接入力可否情報を、少なくとも前記表示画面の一部に対応づけて記憶する記憶装置と、前記近接入力可否情報に基づき、前記近接入力の検知を、前記近接検知部に許可するか否かを判定する許可判定部と、を備える。
【００４７】
上記した構成によると、許可判定部を備え、記憶装置に近接入力可否情報を記憶しているため、操作ボタンに対する近接入力の検知を、近接検知部に許可するか否か判定することができる。このため、操作ボタンへの近接を、入力として検知できる場合とできない場合とについて、表示画面ごと、もしくは表示画面を構成する一部ごとに設定することができる。
【００４８】
このため、使用者からの入力に応じて機能実行部により実行される機能の内容や重要度を考慮し、適切に近接入力を検知できる場面と検知できない場面とを設定することができる。それゆえ、近接入力の利点と欠点とを考慮してより表示部における入力の操作性を向上させることができる。
【００４９】
よって本発明に係る電子機器は、表示部で表示された表示画面上での操作性を高めることができるという効果を奏する。
【００５０】
なお、表示画面を構成する一部とは、表示画面上に表示されている操作ボタン自身の画像であってもよいし、表示画面を構成するフレーム画像などであってもよい。
【００５１】
また、本発明の第２の態様に係る電子機器は、上記した第１の態様において、前記記憶装置は、前記近接入力可否情報を、少なくとも前記表示画面の一部として、前記操作ボタンそれぞれに対応づけて記憶するように構成されていてもよい。
【００５２】
上記した構成によると、記憶装置に前記近接入力可否情報を操作ボタンそれぞれに対応づけて記憶しているため、許可判定部は、この近接入力可否情報を参照して操作ボタンに対する近接入力の検知を、近接検知部に許可するか否か判定することができる。このため、操作ボタンへの近接を、入力として検知できる場合とできない場合とを操作ボタンごとに区別することができる。
【００５３】
ここで操作ボタンに対応づけられている機能には、一度、実行すると変更が効かないような機能、あるいは実行されてもいつでも元の状態に復元できるような機能などが含まれる。つまり、機能の実行結果による重要度が操作ボタンごとに異なる。
【００５４】
そこで、本発明に係る電子機器は、判定部を備えるため、例えば、後者の操作ボタンのみ、近接入力の検知を許可し、近接入力が検知されたときに機能が実行されるようにするなど、使用者の近接に応じて機能が実行される操作ボタンと実行されない操作ボタンとをその実行結果による重要度により区別させることができる。
【００５５】
また、本発明の第３の態様に係る電子機器は、上記した第１の態様において、前記記憶装置は、前記近接入力可否情報を、少なくとも前記表示画面の一部として、前記表示画面それぞれに対応づけて記憶するように構成されていてもよい。
【００５６】
上記した構成によると、近接入力可否情報を表示画面ごとに対応づけて記憶装置に記憶しているため、許可判定部は、この近接入力可否情報を参照して、現在表示している表示画面に対する近接入力の検知を近接検知部に許可するか否か判定することができる。このため、操作ボタンへの近接を、入力として検知できる場合とできない場合とを操作ボタンが表示されている表示画面ごとに区別することができる。
【００５７】
ここで、ある表示画面に含まれる操作ボタンに対応する機能には、一度実行すると変更が効かないような機能、あるいは実行されてもいつでも元の状態に復元できるような機能が含まれる。つまり機能の実行結果による重要度が表示画面ごとに異なる。
【００５８】
そこで、本発明に係る電子機器は、判定部を備えるため、近接検知された操作ボタンに対応する機能が実行される表示画面と実行されない表示画面とを機能の実行結果による重要度に応じて区別させることができる。
【００５９】
また、本発明の第４の態様に係る電子機器は、上記した第１〜第３の態様のいずれか１つにおいて、当該電子機器の状態を検知し、該電子機器の状態が所定の状態であるか否か判定する状態判定部をさらに備え、前記許可判定部は、前記状態判定部によって電子機器の状態が所定の状態であると判定された場合、前記近接入力可否情報にかかわらず、前記近接検知部による近接入力の検知を禁止するように構成されていてもよい。
【００６０】
ここで、電子機器の状態とは、例えば、扉または蓋が開いているなど機構上の状態、あるいは稼動中であるなど動作上の状態などを含む。また、所定の状態としては、例えば、電子機器において、近接入力が検知された操作ボタンに対する機能を実行した場合、問題となる電子機器の状態である。
【００６１】
上記した構成によると、状態判定部を備えているため、当該電子機器が所定の状態であるか否か判定することができる。また、状態判定部が所定の状態であると判定した場合、許可判定部は、近接入力が検知されても操作ボタンに対応する機能を実行しないように制御できる。このため、電子機器が所定の状態にあるときに操作ボタンに対応した機能が実行されることを防ぐことができる。
【００６２】
また、本発明の第５の態様に係る電子機器は、上記した第１〜第３の態様のいずれか１つにおいて、前記近接入力の可能な前記操作ボタンへの前記使用者の接触を、該使用者による接触入力として検知する接触検知部と、前記操作ボタンへの接触入力に応じて前記機能実行部によって実行される機能を示す機能情報を報知する報知部と、をさらに備え、前記近接検知部により前記操作ボタンへの近接入力が検知された場合、前記報知部は、該操作ボタンに対応した前記機能情報を報知させるように構成されていてもよい。
【００６３】
上記した構成によると、報知部を備えているため、前記近接検知部により前記操作ボタンへの近接入力が検知された場合に、機能情報を報知させることができる。なお、報知の形態としては、例えば、音声出力、画像表示、文字表示などが含まれる。さらに、印刷部等を有する構成の場合、文字または画像などの印刷出力なども含むことができる。
【００６４】
特に、報知部が機能情報を音声により報知する構成の場合、視覚障害を有する使用者の操作指示を補助することができる。また、報知部が機能情報として画像または文字などを表示する場合、操作ボタン等では表現できなかった、機能を象徴する内容や説明等を表示させることができる。
【００６５】
また、本発明の第６の態様に係る電子機器は、上記した第５の態様において、前記報知部は、前記表示部において前記機能情報を拡大表示させるように構成されていてもよい。
【００６６】
上記した構成によると、報知部は前記機能情報を拡大表示して表示部に出力させることができる。このため、報知したい機能情報を視認性よく提示することができる。
【００６７】
また、本発明の第７の態様に係る電子機器は、上記した第１〜第４の態様のいずれか１つにおいて、前記近接検知部により検知された操作ボタンへの近接入力が、前記近接入力可否情報に基づき許可されている場合、前記許可判定部は、前記表示部において該操作ボタンを拡大表示させるように機能実行部を実行させるように構成されていてもよい。
【００６８】
また、本発明の第８の態様に係る電子機器は、上記した第１〜第７の態様のいずれか１つにおいて、前記操作ボタンは、前記表示部における表示画面上に表示された操作子画像と該操作子画像に対応して設けられた近接検知素子とから構成されており、使用者による押下に応じて入力を受け付けるよう物理的な構成を有する押下ボタンをさらに備え、前記押下ボタンは、該押下ボタンへの使用者の近接および接触時に前記近接検知部が前記近接入力として検知しない位置に設けられているように構成されていてもよい。
【００６９】
上記した構成によると押下ボタンを備えるため、表示画面上で表示されたボタンではその位置が把握できない視覚障害を有する使用者の利便性を向上させることができる。また、押下ボタンが、第１近接検知部および第２近接検知部が使用者の近接であると誤って検知しないような位置に設けられている。このため、押下ボタンの操作時に誤って操作ボタン等に応じた操作が実行されることを防ぐことができる。
【００７０】
また、本発明の第９の態様に係る加熱調理器は、上記した課題を解決するために、上記した第１から第８の態様の電子機器を含んでもよい。
【００７１】
また、本発明の第１０の態様に係る電子機器の動作方法は、上記した課題を解決するために、使用者による入力を受け付ける操作ボタンを含む表示画面を表示する表示ステップと、前記表示画面に含まれる前記操作ボタンに対する使用者の近接を、該使用者による近接入力として検知する近接検知ステップと、前記近接検知ステップにおいて、前記近接入力の検知を許可するか否かを判定する判定ステップと、を含む。
【００７２】
（実施形態）
以下、本発明の実施の形態を、電子機器として加熱調理器を例に挙げ、図面を参照して説明する。なお、以下では全ての図を通じて同一又は対応する構成部材には同一の参照符号を付して、その説明については省略する。
【００７３】
（加熱調理器の構成）
まず、図１〜５を参照して、実施の形態に係る加熱調理器の構成について説明する。
【００７４】
図１は本発明の実施形態に係るオーブンレンジ１の外観を示す斜視図である。図１に示すようにオーブンレンジ１は、食品を格納するための筐体２に食品を出し入れするためのドア３を設けている。そして、ドア３には筐体２内部が視認可能な透明のガラス窓４と、ドア３を開閉するときに掴む取っ手５と、操作表示部６を備えている。
【００７５】
操作表示部６は、加熱開始ボタン７、取消ボタン８、戻るボタン９と液晶タッチパネル１０を備えている。加熱開始ボタン７は液晶タッチパネル１０で加熱の各種設定をした後、加熱を開始するときに押すためのボタンである。取消ボタン８は加熱途中で加熱を停止させる場合や、液晶タッチパネル１０での操作を取り消す時に押すためのボタンである。戻るボタン９はカラー液晶タッチパネル１０の画面表示を直前の画面表示に戻す時に押すためのボタンである。加熱開始ボタン７、取消ボタン８、および戻るボタン９は、凹凸を有する、いわゆる物理的なボタンであり、使用者がこれらボタンを押し込むことで電子回路中の接点を閉じられ、電気信号が伝達される。
【００７６】
次に、図２を用いて液晶タッチパネル１０の構成について説明する。図２は図１に示すオーブンレンジ１が備える液晶タッチパネル１０の概略構成を示す断面図である。図２に示す断面図では上方が、液晶タッチパネル１０がオーブンレンジ１に備えられたときに、使用者からの接触を受ける表面側となる。逆に、下方がオーブンレンジ１の筐体２内に収容される裏面側となる。液晶タッチパネル１０は、表示部として機能するカラー液晶表示器１１を有している。そして、図２に示すようにこのカラー液晶表示器１１の裏面には保護板１２が粘着されている。またカラー液晶表示器１１の表面側には２枚の透明なガラス板１３、１４と、それらに挟み込まれた位置入力装置１５が設けられている。このように、液晶タッチパネル１０は、カラー液晶表示器１１とガラス板１３、１４によって挟み込まれた位置入力装置１５とを重ねて一体化した構成となっている。
【００７７】
次に、図３を用いてオーブンレンジ１の内部構成について説明する。図３は図１に示すオーブンレンジ１内部の概略構成を示す図である。オーブンレンジ１は食品の加熱調理の形態として高周波加熱および熱輻射、熱風、スチームによる加熱を可能とする構成である。より具体的には、オーブンレンジ１は、食品などを収納する加熱庫１６内において高周波を出力するマグネトロン１７、輻射熱を発生する平面ヒータ１８、加熱庫１６内において温風を送るためのコンベクションヒータ（シーズヒータ）１９と循環ファン２０、および加熱庫１６内においてスチームを発生するためのスチーム発生器２１を備える。そして、オーブンレンジ１は、これらの加熱部材を動作させて、高周波、輻射、熱風、スチームの少なくともいずれか１つ以上を加熱庫１６に供給して食品を加熱する。また、オーブンレンジ１は、加熱庫１６内にサーミスタ２２および赤外線センサ２３を備えており、このサーミスタ２２で加熱庫１６内部の雰囲気温度を検出し、赤外線センサ２３で食品の表面温度を検出する。これら検出した温度に関する情報に基づき加熱制御部２４が、マグネトロン１７、平面ヒータ１８、コンベクションヒータ１９、またはスチーム発生器２１などの各加熱部材を制御することで食品を適切に加熱することができる。
【００７８】
上記した構成を有するオーブンレンジ１において、このオーブンレンジ１が備える液晶タッチパネル１０では、使用者の手による接触に加えて、使用者の手が近接したことを検知できるようにもなっている。以下において、図４および図５を参照して液晶タッチパネル１０が備える位置入力装置１５による手の接触検知および近接検知に関する構成について説明する。
【００７９】
図４は図１に示すオーブンレンジ１の液晶タッチパネル１０が有する位置入力装置１５の構成を示す模式図である。また、図５は図４に示す位置入力装置１５と使用者の指２７との間の距離と、静電容量の変化量との関係を示すグラフである。なお、図５に示す静電容量の変化量とは、例えば、オーブンレンジ１の電源をＯＮし、起動させたときに検出した静電容量の値を基準にした変化量である。図４に示すように、位置入力装置１５はＸ方向の座標値を検出するためにＹ方向と平行に配置され、電気的に接続された複数のＸ方向センサ電極２５と、Ｙ方向の座標値を検出するためにＸ方向に平行に配置され、電気的に接続された複数のＹ方向センサ電極２６とから構成される。位置入力装置１５の表面側に配されたガラス板１４に人体の一部である指２７などが接触すると、接触した電極についてはアースとの間の静電容量が変化する。この静電容量が変化するＸ方向センサ電極２５とＹ方向センサ電極２６との交点のＸ座標、Ｙ座標を、接触された位置として検出することができる。
【００８０】
また位置入力装置１５は、指２７が位置入力装置１５の表面側に配されたガラス板１４に接触しなくても、近接さえすれば、指２７がどの位置に近接したかを検出することができる。即ち、上述したように各Ｘ方向センサ電極２５およびＹ方向センサ電極２６の静電容量の変化より、指２７による接触を検出するのであるが、接触しなくても近接すると、近接した位置に対応するＸ方向センサ電極２５とＹ方向センサ電極２６の静電容量は変化する。図５に示すように、位置入力装置１５と指との間の距離が小さくなればなるほど静電容量の変化量は大きくなり、両者が接触して距離がゼロになると変化量が最大となる。本実施の形態に係る液晶タッチパネル１０では、静電容量の変化量がＣ１以上となる場合を指２７による接触、Ｃ２以上でかつＣ１よりも小さくなる場合を指２７による近接と検出するように構成されている。このようにして、一つの位置入力装置１５により指２７による接触位置と近接位置との両方について、Ｘ座標とＹ座標とを検出できる。なお、図５において、Ｃ２はＣ１より小さな値として設定されている。
【００８１】
上記した構成を有するオーブンレンジ１において、上述した目的を達成するための一例として以下に実施例１から実施例７を挙げて説明する。
（実施例１）
まず、上述したように入力された指示により導かれる結果の重要性を考慮し、近接検知による入力を受付けるか否か判定できるように工夫し、液晶タッチパネルなどで表示された表示画面上での操作性を高めることができるように構成されたオーブンレンジ１の実施例について、実施例１として説明する。
【００８２】
特に、実施例１では、標準ボタン画像（操作子画像）ごとに、その標準ボタン画像に対する指２７などの近接による入力を有効とするか否か設定されている構成について説明する。
【００８３】
なお、この実施例１では、指２７などの近接による入力が有効な状態とは、例えば、指２７が液晶タッチパネル１０で表示されている標準ボタン画像に近接すると、近接された標準ボタン画像に対応する別の画像(後述する拡大ボタン画像４３)が表示される状態などが挙げられる。さらには、その標準ボタン画像に対応する機能が実施される状態などもありうる。
【００８４】
逆に、無効な状態とは、指２７などが液晶タッチパネル１０で表示されている標準ボタン画像に近接しても、特にその標準ボタン画像に対応する別の画像が表示されたり、対応する機能が実施されたりしない状態などが挙げられる。
【００８５】
実施例１に係るオーブンレンジ１は、上述したような外観構成および内部構成を備えている。そして、液晶タッチパネル１０における使用者からの入力に対する制御に係る構成として、以下の構成を有する。
【００８６】
ここで、液晶タッチパネル１０における使用者からの入力に対する制御について、図６の制御ブロックを用いて説明する。図６は、実施例１に係るオーブンレンジ１の要部構成の一例を示すブロック図である。
【００８７】
図６に示すように、オーブンレンジ１は、加熱部材を制御するための加熱制御部２４と、液晶タッチパネル１０をユーザインタフェースとして使用者に提供するための制御を行う操作表示制御部２８とを備えている。
【００８８】
より具体的には、操作表示制御部２８は、位置入力装置１５からの信号に基づき、カラー液晶表示器１１における表示を制御したり、加熱制御部２４に対して使用者からの入力に応じた信号を送信したりする。
【００８９】
一方、加熱制御部２４は、操作表示制御部２８からの信号を受け付けると、前述したようにサーミスタ２２または赤外線センサ２３によって検出された温度に応じて、加熱部材であるマグネトロン１７、平面ヒータ１８、コンベクションヒータ１９、スチーム発生器２１を制御する。なお、加熱制御部２４は、図６では図示していないが循環ファン２０の動作量も制御する構成であってもよい。
【００９０】
図６に示すように、操作表示制御部２８は、液晶タッチパネル１０に指２７または人体の一部が接触したことを検知する接触検知部２９、指２７または人体の一部が近接したことを検知する近接検知部３０、カラー液晶表示器１１における表示制御を行う表示制御部３１、ならびに有効／無効判定部（許可判定部）４９を備える。
【００９１】
接触検知部２９は位置入力装置１５のＸ方向センサ電極２５およびＹ方向センサ電極２６の静電容量の変化が図５に示すＣ１以上であることを検知すれば、使用者の指２７などが接触したと判定してそのＸ座標、Ｙ座標を、接触位置座標として操作表示制御部２８に出力する。そして、操作表示制御部２８では、表示制御部３１が、接触検知部２９から入力されたＸ座標、Ｙ座標に基づき、その座標に対応したカラー液晶表示器１１の位置での表示制御を行う。
【００９２】
近接検知部３０は、位置入力装置１５のＸ方向センサ電極２５およびＹ方向センサ電極２６の静電容量の変化が図５に示すＣ２以上でＣ１より小さいことを検知すれば、使用者の指２７などが近接したと判定し、そのＸ座標、Ｙ座標を、近接位置座標として表示制御部３１に出力する。そして、操作表示制御部２８では、表示制御部３１が、近接検知部３０から入力されたＸ座標、Ｙ座標に基づき、その座標に対応したカラー液晶表示器１１の位置での表示制御を行う。
【００９３】
表示制御部３１は、接触検知部２９から入力された接触位置座標、または近接検知部３０から入力された近接位置座標に従い、カラー液晶表示器１１における表示制御を行うものである。表示制御部３１は、標準ボタン画像記憶部３２、拡大ボタン画像記憶部３３、ならびに表示切換部３４を備えている。
【００９４】
標準ボタン画像記憶部３２と拡大ボタン画像記憶部３３とにはそれぞれ互いに対応づけられたボタン画像が記憶されている。つまり、拡大ボタン画像記憶部３３に記憶されている拡大ボタン画像４３は、標準ボタン画像記憶部３２に記憶されている標準ボタン画像に対応づけられており、標準ボタン画像よりも表示サイズが大きくなる、つまりより表示画素数が多くなるボタン画像である。例えば、自動調理メニューに関するボタンでは、標準ボタン画像が料理品目だけを示す画像であるのに対して、拡大ボタン画像４３は料理品目と調理出来上がり時の写真が付加されて表示された画像である。
【００９５】
標準ボタン画像記憶部３２には、上述したように拡大ボタン画像４３と対応づけられた標準ボタン画像とともに、図５５に示すような、標準ボタン画像に関する情報であるボタンテーブル情報が記憶されている。図５５は、実施例１に係るオーブンレンジ１が備える標準ボタン画像記憶部３２に記憶されているボタンテーブル情報の一例を示す図である。
【００９６】
図５５に示すボタンテーブル情報では、標準ボタン画像に、該標準ボタン画像が表示される画面、その画面のどこに表示されるのかを示す表示位置、該標準ボタン画像を選択して入力したときに実行される機能がそれぞれ対応づけられている。さらにまた、このボタンテーブル情報には、近接検知部３０が標準ボタン画像に対する近接入力の検知を有効とするか無効とするかを示す近接入力可否情報１００が対応づけられている。
【００９７】
なお、標準ボタン画像記憶部３２には、標準ボタン画像として、上述した料理品目のみならず、後述するページめくりボタン画像４２ならびに選択されたボタンに応じた動作の開始を指示するためのスタートボタン画像４８なども保持されている。
【００９８】
ところで表示制御部３１は、通常時ではカラー液晶表示器１１において複数の標準ボタン画像を並べて表示している。しかしながら、使用者の指２７などの人体の一部が液晶タッチパネル１０の位置入力装置１５に近づくと、近接検知部３０が指２７などの人体の一部が近接していることを検知し、その検知結果として近接位置座標を有効／無効判定部４９に出力する。
【００９９】
有効／無効判定部４９は、液晶タッチパネル１０で表示されている画面において、受付けた近接位置座標に対応する位置に標準ボタン画像が表示されているか否か、標準ボタン画像記憶部３２に記憶されているボタンテーブル情報を参照して判断する。さらに、有効／無効判定部４９は、液晶タッチパネル１０において近接位置座標の位置に表示されている標準ボタン画像があると判定した場合、この標準ボタン画像について近接検知が有効となるように設定されているか否かについても近接入力可否情報１００に基づき確認する。
【０１００】
有効／無効判定部４９は、検知された近接位置座標に表示されている標準ボタン画像について近接検知が有効となるように設定されていると判定した場合、近接位置座標を表示制御部３１の表示切換部３４に対して出力する。
【０１０１】
表示切換部３４は、近接検知部３０から入力された近接位置座標で示される位置に表示されている標準ボタン画像に対応する拡大ボタン画像４３を拡大ボタン画像記憶部３３から抽出する。そして、表示切換部３４は、カラー液晶表示器１１で表示している標準ボタン画像を、抽出した拡大ボタン画像４３に切換えて表示させる。
【０１０２】
なお、指２７の液晶タッチパネル１０への近接時に標準ボタン画像を拡大ボタン画像４３に切り替える処理に関する詳細は、後述する別の実施例（実施例３）により具体的に説明する。
【０１０３】
次に液晶タッチパネル１０の表示例を示す図７を使って、操作表示制御部２８の動作についてより具体的に説明する。図７は実施例１に係る液晶タッチパネル１０において表示される自動調理メニューの選択画面の一例を示す図である。図７に示すように自動調理メニューの選択画面には、自動メニューボタン群４１とスタートボタン画像４８とが含まれている。
【０１０４】
自動メニューボタン群４１として表示される各標準ボタン画像には料理品目が書かれており、それが液晶タッチパネル１０で表示されている画面上に１４個表示されている。これら各標準ボタン画像はいずれも標準ボタン画像記憶部３２に記憶されているものである。自動調理メニューでは、各料理品目に対して適切な加熱部材による適切な加熱制御手順が予め設定されている。そのため、使用者は自動調理メニューの中から所望の料理品目を選択するだけで、その選択された料理品目に対応した加熱制御が材料に対して行われる。
【０１０５】
また、図７に示す自動調理メニューの選択画面において、その上部の右隅に表示されている三角形状の画像は、ページめくりボタン画像４２であり、このページめくりボタン画像４２に使用者の指２７などの体の一部が接触すると、カラー液晶表示器１１における画面全体が切換り、別の自動メニューボタン群４１に含まれる料理品目を示す画像が１４個表示されるように構成されている。
【０１０６】
次に、自動調理メニューの選択画面を表示している液晶タッチパネル１０に使用者の指２７が近接した場合について説明する。近接検知部３０が使用者の指２７など体の一部による液晶タッチパネル１０への近接を検知すると、検知結果として近接位置座標を有効／無効判定部４９に対して出力する。有効／無効判定部４９は、近接検知部３０から近接位置座標を受付けると、この近接位置座標から、この座標位置に表示されている標準ボタン画像を標準ボタン画像記憶部３２から抽出する。そして、この抽出された標準ボタン画像が近接検知を有効とする標準ボタン画像であるのか否かについて、この標準ボタン画像に対応づけられている近接入力可否情報１００に基づき判定する。
【０１０７】
ここで、有効／無効判定部４９が、近接を有効とする標準ボタン画像であると判定した場合、表示制御部３１の表示切換部３４に対して、指２７の近接が検知された近接位置座標を出力する。表示切換部３４は、近接検知部３０から入力された近接位置座標に基づき、使用者の指２７が近接した標準ボタン画像に対応づけられている拡大ボタン画像４３を拡大ボタン画像記憶部３３から抽出する。そして、液晶タッチパネル１０で表示している標準ボタン画像を拡大ボタン画像４３に切り換えて表示する。
【０１０８】
この拡大画像ボタン４３の表示位置は元の標準ボタン画像が表示されていた位置である。例えば図７の自動メニューボタン群４１の中の「ラタトゥイユ」ボタンに使用者の指２７が近接した時の液晶タッチパネル１０の表示状態を図８に示す。図８は、実施例１に係る液晶タッチパネル１０において表示される自動調理メニューの選択画面の一例を示す図である。同図では、標準ボタン画像（「ラタトゥイユ」ボタン）に対応する拡大ボタン画像４３が表示されている状態を示す。
【０１０９】
実施例１では、図７に示す自動メニューボタン群４１に含まれる各標準ボタン画像については、近接検知を有効とするように設定されており、ページめくりボタン画像４２およびスタートボタン画像４８については、近接検知を無効とするように設定されている。このため、使用者が、自動メニューボタン群４１に含まれる標準ボタン画像のいずれか１つに対して指２７を近接させると、図８に示すように近接された標準ボタン画像に対応付けられた拡大ボタン画像４３を表示させる。
【０１１０】
一方、スタートボタン画像４８およびページめくりボタン画像４２ついて指２７が近接しても、近接検知を無効とするように設定されているため、オーブンレンジ１の動作を開始させたり、自動調理メニューのページを新たなページに変更したりできないように構成されている。
【０１１１】
図８に示すように、自動調理メニューに含まれる「ラタトゥイユ」だけが、拡大ボタン画像４３として大きく表示されている状態において、使用者がこの拡大ボタン画像４３の位置に指２７で接触すると、「ラタトゥイユ」が選択され、図９に示すような表示画面に遷移する。図９は、実施例１に係る液晶タッチパネル１０において表示される自動調理メニューの選択画面の一例を示す図である。同図では、自動メニューボタン群４１のうち「ラタトゥイユ」が使用者によって選択された後の表示画面の一例を示す図である。
【０１１２】
図９の例では、選択された「ラタトゥイユ」の標準ボタン画像が表示されていた位置が、黒塗り表示に変更され、「ラタトゥイユ」を示す標準ボタン画像が選択済みであることが示されている。このように、標準ボタン画像が選択された状態で使用者がスタートボタン画像４８に指２７で接触すると、選択された標準ボタン画像の料理品目（「ラタトゥイユ」）に対する調理が開始される。
【０１１３】
次に、図７において示した自動調理メニューの選択画面において使用者の指２７が近接されたり、接触されたりして入力を受付けるときのオーブンレンジ１の具体的な動作の流れを図１０に示す。図１０は、実施例１に係るオーブンレンジ１が備える液晶タッチパネル１０における入力受付動作の一例を示すフローチャートである。
【０１１４】
使用者の指２７が液晶タッチパネル１０で表示している自動調理メニューの選択画面に近づいてくると、静電容量が変化する。この変化を位置入力装置１５のＸ方向センサ電極２５およびＹ方向センサ電極２６それぞれによって検出する。
【０１１５】
すなわち、ステップＳ１で、近接検知部３０が図４に示す複数（ｍ個）のＸ方向センサ電極２５すべての静電容量変化Ｃｘ１〜Ｃｘｍを検出し、その最大値をＣｘｍａｘとして抽出して、ステップＳ２に進む。次にステップＳ２で近接検知部３０が、図４に示す複数（ｎ個）のＹ方向センサ電極２６すべての静電容量変化Ｃｙ１〜Ｃｙｎを検出し、その最大値をＣｙｍａｘとして抽出して、ステップＳ３に進む。
【０１１６】
ステップＳ３では、接触検知部２９が、ステップＳ１、Ｓ２で抽出したＣｘｍａｘとＣｙｍａｘとを足し合わせる演算を行う。そして、その演算結果が図５に示すＣ１の２倍となる値より大きいかどうかを判定する（ステップＳ３）。ここで接触検知部２９がＣｘｍａｘとＣｙｍａｘとを足し合わせた結果がＣ１の２倍よりも大きいと判定した場合（ステップＳ３において「ＹＥＳ」）、ステップＳ８に進む。
【０１１７】
一方、接触検知部２９が、上述した足し合わせた結果がＣ１の２倍よりも大きくないと判定した場合（ステップＳ３において「ＮＯ」）、近接検知部３０がステップＳ１、Ｓ２で抽出したＣｘｍａｘとＣｙｍａｘとを足し合わせる演算を行う。そして、その演算結果が図５に示すＣ２の２倍となる値より大きいかどうかを判定する（ステップＳ４）。なお、実施例１に係るオーブンレンジ１では、ＣｘｍａｘとＣｙｍａｘの平均がＣ２を超えたかどうかを、近接したかどうかの判断基準とするものとしているが、実際の演算では、ＣｘｍａｘとＣｙｍａｘとの足し合わせた結果がＣ２の２倍より大きいかどうかで判定している。
【０１１８】
ここで、ステップＳ３において「ＹＥＳ」の場合、すなわち、接触検知部２９が、使用者の指２７などが液晶タッチパネル１０に接触していると判定した場合、接触検知部２９は、接触検知された座標位置（Ｘ座標、Ｙ座標）を特定する。そして、接触検知部２９は、この座標位置（Ｘ座標、Ｙ座標）に対応した位置に表示されている標準ボタン画像があるか否か判定する(ステップＳ８)。そして、接触検知された座標位置に表示されている標準ボタン画像がある場合(ステップ８において「ＹＥＳ」)、この標準ボタン画像に対応する処理を実行するように指示する（ステップＳ９）。例えば、この標準ボタン画像に対応する処理が食品の加熱処理である場合、接触検知部２９は、食品に対する加熱を行うように加熱制御部２４に指示する。
【０１１９】
一方、ステップＳ８において「ＮＯ」の場合、標準ボタン画像が表示されている位置とは無関係の場所に使用者の指２７が接触したと考えられる。このため、ステップＳ１に戻って、再度、ステップＳ１からの処理を繰り返す。
【０１２０】
また、ステップＳ４において「ＮＯ」の場合は、液晶タッチパネル１０に対して指２７などの接触も近接もない状態であるとして、ステップＳ１に戻り、前記した処理を繰り返す。一方、ステップＳ４において「ＹＥＳ」の場合、近接検知部３０は、近接検知された座標位置（Ｘ座標、Ｙ座標）を特定する。そして、近接検知部３０は、この座標位置（Ｘ座標、Ｙ座標）に対応した位置に表示されている標準ボタン画像があるか否か判定する(ステップＳ５)。そして、近接検知された座標位置に表示されている標準ボタン画像がない場合(ステップ５において「ＮＯ」)は、標準ボタン画像が表示されている位置とは無関係の場所に使用者の指２７が近接したと考えられる。このため、ステップＳ１に戻って、再度、処理を繰り返す。
【０１２１】
一方、近接検知された座標位置に対応した位置に表示されている標準ボタン画像がある場合(ステップ５において「ＹＥＳ」)、近接検知部３０は、この標準ボタン画像に対して近接検知が有効となるように設定されているか否か判定する（ステップＳ６）。より具体的には、近接検知部３０は、標準ボタン画像記憶部３２から、近接検知された座標位置に表示される標準ボタン画像を抽出し、該標準ボタン画像に対して近接検知が有効となるように設定されているか近接入力可否情報１００を参照して確認する。
【０１２２】
ステップＳ６において「ＮＯ」の場合、使用者の指２７などの近接が確認された標準ボタン画像は、この近接によって特に実行される処理がないため、ステップＳ１に戻って、再度処理を繰り返す。
【０１２３】
一方、ステップＳ６において、「ＹＥＳ」の場合、近接検知部３０は、標準ボタン画像に対して使用者の指２７が近接されたときに実行するように設定されている処理を実施する（ステップＳ７）。例えば、近接検知時に行う処理として近接検知された標準ボタン画像に対応する拡大ボタン画像４３を表示するように設定されている場合、近接検知部３０は、表示制御部３１の表示切換部３４に対して、標準ボタン画像を拡大ボタン画像４３に切り換えて表示するように指示する。
【０１２４】
上記では、標準ボタン画像ごとに近接検知による入力の有効または無効が設定される構成について説明した。以下では、標準ボタン画像が表示される画面ごとに近接検知による入力の有効または無効が設定されている構成について、実施例２として説明する。
【０１２５】
（実施例２）
まず、液晶タッチパネル１０における使用者からの入力に対する制御について、図１１の制御ブロックを用いて説明する。図１１は、実施例２に係るオーブンレンジ１の要部構成の一例を示すブロック図である。
【０１２６】
図１１に示すように、実施例２に係るオーブンレンジ１は、操作表示制御部２８の構成のみ実施例１に係るオーブンレンジ１と異なるため、操作表示制御部２８について説明し、それ以外の部材については説明を省略するものとする。なお、実施例１に係るオーブンレンジ１と同様の部材については同じ符号を付す。
【０１２７】
図１１に示すように、操作表示制御部２８は、液晶タッチパネル１０に指２７または人体の一部が接触したことを検知する接触検知部２９、指２７または人体の一部が近接したことを検知する近接検知部３０、カラー液晶表示器１１における表示制御を行う表示制御部３１、有効／無効判定部４９、ならびに切替部５２を備える。また、表示制御部３１が、標準ボタン画像記憶部３２、拡大ボタン画像記憶部３３、画面記憶部５９、および表示切換部３４を備えている。
【０１２８】
すなわち、実施例２に係るオーブンレンジ１は、実施例１に係るオーブンレンジ１と比較して操作表示部２８が新たに切替部５２を備えている点で異なる。切替部５２は、表示制御部３１からの指示に応じて、液晶タッチパネル１０に対する指２７などの近接検知を近接検知部３０が行うか否か切り替えるものである。すなわち、切替部５２は、位置入力装置１５における静電容量の変化量を近接検知部３０が受付けない状態と受付ける状態とを切り換える。
【０１２９】
さらに、画面記憶部５９が表示制御部３１の構成要素となっている点でも異なる。画面記憶部５９は、液晶タッチパネル１０において表示する画面に関する画像を記憶するものである。画面に関する画像とは、例えば、上記した標準ボタン画像を一覧表示させる際のフレーム画像などが挙げられる。実施例２では、表示すべき情報に応じて画面表示を切り換えることができるようになっており、それぞれの画面を構成する画像が複数種類、画面記憶部５９に記憶されている。また、各画面に関する画像には、その画面上で表示されている標準ボタンについて近接検知を有効とするか否かに関する近接入力可否情報１００も対応づけられている。
【０１３０】
具体的には、図５６に示すような、近接入力可否情報１００を含む画面テーブル情報が画面記憶部５９に記憶されている。図５６は、実施例２に係るオーブンレンジ１が備える画面記憶部５９に記憶される画面テーブル情報の一例を示す図である。
【０１３１】
図５６に示すように画面テーブル情報では、各画面と、その画面に表示させる画像（標準ボタン画像等）と、各画面どうしの関連性（階層構造）を規定する表示順と、近接入力可否情報１００との対応関係を示す。
【０１３２】
そこで、実施例２に係るオーブンレンジ１では、ある画面を液晶タッチパネル１０のカラー液晶表示器１１で表示させる際、有効／無効判定部４９が、該画面について近接検知を有効とするように設定されているか否か、画像記憶部５９において画面と対応づけて記憶されている近接入力可否情報１００を参照して判定する。
【０１３３】
有効／無効判定部４９は、近接検知を有効とするように設定されていると判定した場合、切替部５２をＯＮの状態とするように指示する。一方、近接検知を無効とするように設定されていると判定した場合、有効／無効判定部４９は、切替部５２をＯＦＦの状態とするように指示する。
【０１３４】
なお、ＯＮの状態とは、位置入力装置１５のＸ方向センサ電極２５およびＹ方向センサ電極２６から近接検知部３０に対して検知した静電容量の情報を送信するための信号線が繋がっている状態であり、ＯＦＦの状態とは、逆に信号線が分断された状態である。このように、切替部５２をＯＮの状態またはＯＦＦの状態に切り換えることで近接検知部３０に近接検知を実行させるか否か、切り換えることができる。
【０１３５】
次に液晶タッチパネル１０の表示例を示す図１２を使って、操作表示制御部２８の動作についてより具体的に説明する。図１２は、実施例２に係る液晶タッチパネル１０において表示される自動調理メニューの選択画面の一例を示す図である。図１２に示す自動調理メニューの選択画面には、図７で示した自動調理メニューの選択画面と同様に、自動メニューボタン群４１が含まれている。自動メニューボタン群４１として表示される各標準ボタン画像には料理品目が書かれており、それが液晶タッチパネル１０の画面上に１６個表示されている。なお、この自動メニューボタン群４１についての説明は、上述の実施例１にて説明したため省略する。
【０１３６】
また、図１２に示す自動調理メニューの選択画面において、その上部の右隅には、図７に示す自動調理メニューの選択画面と同様に、ページめくりボタン画像４２が表示されている。
【０１３７】
次に、自動調理メニューの選択画面を表示している液晶タッチパネル１０に使用者の指２７が近接した場合について説明する。
【０１３８】
まず、前提として、表示制御部３１が液晶タッチパネル１０において自動調理メニューの選択画面を表示させる際、画像記憶部５９からこの選択画面を構成する画像を読み出す。さらに、有効／無効判定部４９がこの選択画面に対して近接検知が有効となるように設定されているか否か、該選択画面に対応づけられている近接入力可否情報１００に基づき判定する。
【０１３９】
ここでは、自動調理メニューの選択画面に対して近接検知が有効となるように設定されているため、有効／無効判定部４９は、切替部５２をＯＮの状態にするように指示している。このため、自動調理メニューの選択画面においては、該選択画面に表示された標準ボタン画像に対する近接検知は有効となっている。
【０１４０】
このような前提において、使用者が指２７など体の一部を液晶タッチパネル１０に近接させると、近接検知部３０がその近接を検知し、近接位置座標を求める。そして、近接検知部３０は、この近接位置座標を表示制御部３１の表示切換部３４に対して出力する。
【０１４１】
表示切換部３４は、近接検知部３０から入力された近接位置座標に基づき、使用者の指２７が近接した標準ボタン画像に対応づけられている拡大ボタン画像４３を拡大ボタン画像記憶部３３から抽出する。そして、液晶タッチパネル１０で表示している標準ボタン画像を拡大ボタン画像４３に切り換えて表示する。
【０１４２】
この拡大画像ボタン４３の表示位置は元の標準ボタン画像が表示されていた位置である。例えば図１２の自動メニューボタン群４１の中の「ラタトゥイユ」ボタンに使用者の指２７が近接した時の液晶タッチパネル１０の表示状態を図１３に示す。図１３は、実施例２に係る液晶タッチパネル１０において表示される自動調理メニューの選択画面の一例を示す図である。同図では、標準ボタン画像（「ラタトゥイユ」ボタン）に対応する拡大ボタン画像４３が表示されている状態を示している。
【０１４３】
図１３に示すように、自動調理メニューに含まれる「ラタトゥイユ」だけが、拡大ボタン画像４３として大きく表示されている状態において、使用者がこの拡大ボタン画像４３の位置に指２７で接触すると、「ラタトゥイユ」が選択され、図１４に示すような表示画面に遷移する。図１４は、図１３の自動調理メニューにおける自動メニューボタン群４１のうち「ラタトゥイユ」が使用者によって選択された後の表示画面（選択後画面）の一例を示す図である。この選択後画面では、「ラタトゥイユ」という料理品目とともに調理完成時の写真であるイメージ情報４４、および材料および分量を示した詳細情報４７が表示されている。さらに、選択後画面の下段には、スタートボタン画像４８が表示されている。
【０１４４】
したがって、この選択後画面は、「ラタトゥイユ」に関するイメージ情報４４および詳細情報４７を使用者に提示する画面であるとともに、「ラタトゥイユ」の調理を開始するためのスタートボタンの受付け画面であるとも言える。このため、使用者が誤ってこの選択後画面に近接してしまい、意図せず「ラタトゥイユ」の調理が開始されることを防ぐために、この選択後画面に対しては近接検知が無効となるように設定されている。
【０１４５】
すなわち、図１３に示す自動調理メニューにおいて使用者が「ラタトゥイユ」の拡大ボタン画像４３の位置に指２７を接触させ、「ラタトゥイユ」が選択されると、接触検知部２９が使用者によるこの接触を検知し、検知結果として接触位置座標を表示切換部３４に出力する。表示切換部３４は、接触位置情報を接触検知部２９から受付けると、画面記憶部５９から次に表示すべき画面（選択後画面）を読み出す。また、表示切換部３４は、有効／無効判定部４９に対して、次に表示すべき画面について、近接検知が有効となるように設定されているか否か判定するように、有効／無効判定部４９に指示する。
【０１４６】
この表示切換部３４からの指示に応じて、有効／無効判定部４９は、画面記憶部５９から読み出された次に表示すべき画面について、近接検知が有効となるように設定されているか否か近接入力可否情報１００に基づき判定する。実施例２に係るオーブンレンジ１では、次に表示すべき画面である選択後画面について、近接検知が無効となるように設定されている。このため、有効／無効判定部４９は、次に表示すべき選択後画面について、近接検知が無効となるように設定されていると判定し、切替部５２に対してＯＦＦ状態となるように指示する。そして、この有効／無効判定部４９からの指示に応じて、切替部５２はＯＦＦ状態となるように設定する。
【０１４７】
このため、図１４に示す選択後画面では、近接検知が無効となるように設定され、スタートボタン画像４８に対する指２７などの接触以外は受付けないようになる。
【０１４８】
次に、図１２において示した自動調理メニューの選択画面において使用者の指２７が近接されたり、接触されたりして入力を受付けるときのオーブンレンジ１の具体的な動作の流れを図１５に示す。図１５は、実施例２に係るオーブンレンジ１が備える液晶タッチパネル１０における入力受付動作の一例を示すフローチャートである。
【０１４９】
使用者の指２７が液晶タッチパネル１０で表示している自動調理メニューの選択画面に近づいてくると、静電容量が変化する。この変化を位置入力装置１５のＸ方向センサ電極２５およびＹ方向センサ電極２６それぞれによって検出する（ステップＳ１１、ステップＳ１２）。なお、これらステップＳ１１、Ｓ１２については、図１０のフローチャートに示すステップＳ１、Ｓ２と同様である。
【０１５０】
ステップＳ１３では、接触検知部２９がステップＳ１１、Ｓ１２で抽出したＣｘｍａｘとＣｙｍａｘとを足し合わせる演算を行う。そして、その演算結果が図５に示すＣ１の２倍となる値より大きいかどうかを判定する（ステップＳ１３）。
【０１５１】
ここで接触検知部２９がＣｘｍａｘとＣｙｍａｘとを足し合わせた結果がＣ１の２倍よりも大きいと判定した場合（ステップＳ１３において「ＹＥＳ」）、ステップＳ１８に進む。
【０１５２】
つまり、ステップＳ１３において「ＹＥＳ」の場合、すなわち、接触検知部２９が、使用者の指２７などが液晶タッチパネル１０に接触していると判定した場合、接触検知部２９は、接触検知された座標位置（Ｘ座標、Ｙ座標）を特定する。そして、接触検知部２９は、この座標位置（Ｘ座標、Ｙ座標）に対応した位置に表示されている標準ボタン画像があるか否か判定する(ステップＳ１８)。
【０１５３】
そして、接触検知された座標位置に表示されている標準ボタン画像がある場合(ステップ１８において「ＹＥＳ」)、この標準ボタン画像に対応する処理を実行するように指示する。例えば、この標準ボタン画像に対応する処理が食品の加熱処理である場合、接触検知部２９は、食品に対する加熱を行うように加熱制御部２４に指示する。
【０１５４】
ステップＳ１８において「ＮＯ」の場合は、標準ボタン画像が表示されている位置とは無関係の場所に使用者の指２７が接触したと考えられる。このため、ステップＳ１１に戻って、再度、ステップＳ１１からの処理を繰り返す。
【０１５５】
また、上述したステップＳ１３において、接触検知部２９が、上述した足し合わせた結果がＣ１の２倍よりも大きくないと判定した場合（ステップＳ１３において「ＮＯ」）、切替部５２がＯＮまたはＯＦＦのいずれの状態にあるか確認し、液晶タッチパネル１０で表示されている画面は、近接検知が有効となるように設定されている画面か否かを判定する（ステップＳ１４）。
【０１５６】
近接検知が有効となるように設定されていない画面である場合（ステップＳ１４において「ＮＯ」）、ステップＳ１１に戻って処理を繰り返す。一方、近接検知が有効となるように設定されている画面である場合（ステップＳ１４において「ＹＥＳ」）、近接検知部３０がステップＳ１１、Ｓ１２で抽出したＣｘｍａｘとＣｙｍａｘとを足し合わせる演算を行う。そして、その演算結果が図５に示すＣ２の２倍となる値より大きいかどうかを判定する（ステップＳ１５）。
【０１５７】
ステップＳ１５において「ＮＯ」の場合は、液晶タッチパネル１０に対して指２７などの接触も近接もない状態であるとして、ステップＳ１１に戻り、前記した処理を繰り返す。一方、ステップＳ１５において「ＹＥＳ」の場合、近接検知部３０は、近接検知された座標位置（Ｘ座標、Ｙ座標）を特定する。そして、近接検知部３０は、この座標位置（Ｘ座標、Ｙ座標）に対応した位置に表示されている標準ボタン画像があるか否か判定する(ステップＳ１６)。
【０１５８】
ここで、近接検知された座標位置に表示されている標準ボタン画像がない場合(ステップ１６において「ＮＯ」)は、標準ボタン画像が表示されている位置とは無関係の場所に使用者の指２７が近接したと考えられる。このため、ステップＳ１に戻って、再度、処理を繰り返す。
【０１５９】
一方、近接検知された座標位置に対応した位置に表示されている標準ボタン画像がある場合(ステップ１６において「ＹＥＳ」)、近接検知部３０は、標準ボタン画像に対して使用者の指２７が近接されたときに実行するように設定されている処理を実施する（ステップＳ１７）。
【０１６０】
（実施例３）
次に、液晶タッチパネル１０において多くのボタン画像を表示して一覧性を良くするとともに、使用者による誤った選択決定をさせないようにわかり易く表示することができるように工夫したオーブンレンジ１について実施例３として説明する。
【０１６１】
なお、実施例３に係るオーブンレンジ１では、上記した近接検知に対する有効または無効を判定する構成については明示していないが、実施例１または実施例２に係るオーブンレンジ１の構成と組み合わせることは可能である。
【０１６２】
まず、液晶タッチパネル１０における、カラー液晶表示器１１と位置入力装置１５との制御について、図１６の制御ブロック図を用いて説明する。図１６は実施例３に係るオーブンレンジ１の要部構成の一例を示すブロック図である。図１６に示すように、オーブンレンジ１は、加熱制御部２４および操作表示制御部２８を備えている。操作表示制御部２８は、位置入力装置１５からの信号に基づきカラー液晶表示器１１における表示を制御したり、加熱制御部２４に対して、使用者からの入力に応じた信号を送信したりするものである。加熱制御部２４は、操作表示制御部２８からの信号を受け付けると、前述したようにサーミスタ２２または赤外線センサ２３によって検出された温度に応じて、加熱部材であるマグネトロン１７、平面ヒータ１８、コンベクションヒータ１９、スチーム発生器２１を制御する。なお、加熱制御部２４は、図１６では図示していないが循環ファン２０の動作量も制御する構成であってもよい。
【０１６３】
図１６に示すように、操作表示制御部２８は、液晶タッチパネル１０に指２７または人体の一部が接触したことを検知する接触検知部２９、指２７または人体の一部が近接したことを検知する近接検知部３０、カラー液晶表示器１１における表示制御を行う表示制御部３１を備える。
【０１６４】
接触検知部２９および近接検知部３０の構成については、実施例１に示した接触検知部２９および近接検知部３０の構成と同様であるため説明は省略する。
【０１６５】
また、表示制御部３１についても、実施例１に示した表示制御部３１と同様な構成であるため説明は省略する。
【０１６６】
次に液晶タッチパネル１０の表示例を示す図１７を使って、操作表示制御部２８の動作について説明する。図１７は実施例３に係る液晶タッチパネル１０において表示される基本のメニュー画面の一例を示す図である。図１７では、電源投入後などにおいて、最初に表示される基本メニュー画面の一例を示す。基本メニュー画面ではあたためボタン画像３５、レンジボタン画像３６、スチームボタン画像３７、オーブンボタン画像３８、グリルボタン画像３９、および自動メニューボタン画像４０がそれぞれ表示されている。この基本メニュー画面で表示されているそれぞれの標準ボタン画像は標準ボタン画像記憶部３２に保存されており、電源投入後などにおいて表示制御部３１によって標準ボタン画像記憶部３２から読み出され、カラー液晶表示器１１において基本のメニュー画面として表示される。
【０１６７】
ここで、液晶タッチパネル１０において表示されているいずれかの標準ボタン画像の位置に指２７が接触すると、それぞれ次の詳細な設定を行うための画面に切り換わる。つまり、液晶タッチパネル１０に表示されている基本メニュー画面の各標準ボタン画像のうち、例えば、あたためボタン画像３５に指２７が接触すると加熱終了の温度を設定する画面に切り換わる。またレンジボタン画像３６に指２７が接触すると加熱パワー（ワット）と加熱時間の設定画面に切り換わる。またスチームボタン画像３７に指２７が接触すると加熱時間の設定画面に切り換わる。スチーム加熱はスチームとマイクロ波と平面ヒータの組み合わせで蒸し調理を行うものである。またオーブンボタン画像３８に指２７が接触すると加熱温度と加熱時間の設定画面に切り換わる。また、グリルボタン画像３９に指２７が接触すると片面グリルか両面グリルかの区別と加熱時間の設定画面に切り換わる。そして自動メニューボタン画像４０に指２７が接触すると、自動調理メニュー（自動メニュー）の選択画面に切り換わる。
【０１６８】
図１８に液晶タッチパネル１０において自動調理メニューの選択画面を表示した状態を示す。図１８は、実施例３に係る液晶タッチパネル１０において表示される自動調理メニューの選択画面の一例を示す図である。自動メニューボタン群４１として表示される各標準ボタン画像には料理品目が書かれていて、それが液晶タッチパネル１０の画面全体に１６個表示されている。これら各標準ボタン画像はいずれも標準ボタン画像記憶部３２に記憶されているものである。自動調理メニューでは、各料理品目に対して適切な加熱部材による適切な加熱制御手順が予め設定されている。そのため、使用者は自動調理メニューの中から所望の料理品目を選択するだけで、その選択された料理品目に対応した加熱制御が食材に対して行われる。また、自動調理メニューの画面において、その上部の右隅に表示されている三角形状の画像は、ページめくりボタン画像４２であり、このページめくりボタン画像４２に使用者の指２７などの体の一部が接触すると、カラー液晶表示器１１の画面全体が切換り、別の自動メニューボタン群４１に含まれる料理品目を示す画像が１６個表示される。
【０１６９】
次に、液晶タッチパネル１０に使用者の指２７が接触する手前の状態、すなわち、近接した状態の場合について説明する。近接検知部３０が使用者の指２７など体の一部による液晶タッチパネル１０への近接を検知すると、検知結果として近接位置座標を表示制御部３１の表示切換部３４に対して出力する。表示切換部３４は、近接検知部３０から入力された近接位置座標に基づき、使用者の指２７などが近接した位置にある標準ボタン画像に対応づけられている拡大ボタン画像４３を拡大ボタン画像記憶部３３から抽出する。そして、液晶タッチパネル１０で表示している標準ボタン画像を拡大ボタン画像４３に切り換えて液晶タッチパネル１０に表示する。この拡大画像ボタン４３の表示位置は元の標準ボタン画像が表示されていた位置である。例えば図１８の自動メニューボタン群４１の中の「ラタトゥイユ」ボタンに使用者の指２７が近接した時の液晶タッチパネル１０の表示状態を図１９に示す。図１９は、実施例３に係る液晶タッチパネル１０において表示される自動調理メニューの選択画面の一例を示す図である。
【０１７０】
図１９に示すように、自動メニューボタン群４１は図１８と同様に標準ボタン画像記憶部３２に記憶されている標準ボタン画像が多数表示されている。その中で指が近接している自動調理メニューに含まれる「ラタトゥイユ」だけが、拡大ボタン画像４３として大きく表示されている。そして拡大ボタン画像４３には「ラタトゥイユ」という料理品目名と、調理完成時の写真がイメージ情報４４として表示されている。この拡大ボタン画像４３の位置に指が接触すると、詳細な設定画面へと遷移する。
【０１７１】
図２０に液晶タッチパネル１０における、自動調理メニュー（自動メニュー）の詳細設定画面の表示例を示す。例として「ラタトゥイユ」の設定画面について説明する。詳細設定画面では、料理品目と調理完成時の写真が表示されている他、分量設定ボタン画像４５ａ、４５ｂと、仕上り調整スライダ４６を備えている。分量設定は料理を提供する人数分の分量として設定することができるようになっており、分量設定ボタン画像４５ａに接触すると料理を提供する人数分の分量が増加、分量設定ボタン４５ｂに接触すると料理を提供する人数分の分量が減少する。このように分量設定ボタン画像４５ａ、４５ｂを操作して分量を調整し設定する。また仕上り調整スライダ４６に接触しながら右に移動させると、加熱時間を長めにしたり、加熱パワーを強めたりするなど強めの設定にし、左に移動させると加熱時間を短くしたり、加熱パワーを弱めたりするなど弱めの設定にすることができる。以上の設定を終えたところで、図１に示す加熱開始ボタン７を押すことで加熱を開始する。
【０１７２】
次に、図１７において示した液晶タッチパネル１０の自動メニューボタン画像４０の部分に対して使用者の指２７が接触してからの動作の流れを図２１に示す。図２１は、実施例３に係るオーブンレンジが備える液晶タッチパネルにおける入力受付動作の一例を示すフローチャートである。図２１において、自動メニューボタン画像４０部分に対して使用者の指２７の接触が検知されると、ステップＳ２１で表示制御部３１はすべての標準ボタン画像で液晶タッチパネル１０に表示させ、ステップＳ２２に進む。このときの表示は図１８に示すものとなる。次にステップＳ２２で近接検知部３０が図４に示す複数（ｍ個）のＸ方向センサ電極２５すべての静電容量変化Ｃｘ１〜Ｃｘｍを検出しその最大値をＣｘｍａｘとして抽出して、ステップＳ２３に進む。次にステップＳ２３で近接検知部３０が、図４に示す複数（ｎ個）のＹ方向センサ電極２６すべての静電容量変化Ｃｙ１〜Ｃｙｎを検出しその最大値をＣｙｍａｘとして抽出して、ステップＳ２４に進む。
【０１７３】
ステップＳ２４では、近接検知部３０がステップＳ２２、Ｓ２３で抽出したＣｘｍａｘとＣｙｍａｘとを足し合わせる演算を行う。そして、その演算結果が図５に示すＣ２の２倍となる値より大きいかどうかを判定する（ステップＳ２４）。ここで近接検知部３０がＣｘｍａｘとＣｙｍａｘとを足し合わせた結果がＣ２の２倍よりも大きいと判定した場合（ステップＳ２４において「ＹＥＳ」）、ステップＳ２５に進む。一方、近接検知部３０が、上述した足し合わせた結果がＣ２の２倍よりも大きくないと判定した場合（ステップＳ２４において「ＮＯ」）、液晶タッチパネル１０は使用者の指２７など体の一部による接触がない状態であるとして、ステップＳ２１に戻り前記した処理を繰り返す。実施例３に係るオーブンレンジ１では、ＣｘｍａｘとＣｙｍａｘの平均がＣ２を超えたかどうかを、近接したかどうかの判断基準とするものとしているが、実際の演算では、ＣｘｍａｘとＣｙｍａｘとの足し合わせた結果がＣ２の２倍より大きいかどうかで判定している。
【０１７４】
続く、ステップＳ２５では、今度は、接触検知部２９がステップＳ２２、Ｓ２３それぞれで抽出したＣｘｍａｘとＣｙｍａｘを足し合わせる。そして、この足し合わせた演算結果が、図５に示すＣ１の２倍より大きいかどうかを判定する。そして、Ｃ１の２倍より大きいと判定した場合、接触検知部２９は、液晶タッチパネル１０が使用者の指２７などによって接触されたものと判定し、処理を終了して図２０に示す詳細設定の画面表示へと移行する。一方、接触検知部２９は、ステップＳ２５でＣ１の２倍の値より大きくない場合、使用者の指２７などが液晶タッチパネル１０に接触していないと判定する。すなわち、ステップＳ２４の近接検知部３０による判定結果とステップＳ２５の接触検知部２９による判定結果から、使用者の指２７など体の一部が液晶タッチパネル１０に接触していないが、近接しているものと判定される。そこで、近接検知部３０は、検知した近接位置座標（Ｃｘｍａｘ、ＣｙｍａｘとなるＸ座標、Ｙ座標）を表示制御部３１に出力する。そして、ステップＳ２６に進む。
【０１７５】
ステップＳ２６においては、表示切換部３４が、Ｃｘｍａｘ、Ｃｙｍａｘそれぞれが発生した時のＸ座標、Ｙ座標の位置に表示された標準ボタン画像に対応する拡大ボタン画像４３を拡大ボタン画像記憶部３３より抽出する。そして、抽出した拡大ボタン画像４３に基づく表示を行うように液晶タッチパネル１０のカラー液晶表示器１１を制御する。このようにして液晶タッチパネル１０に拡大ボタン画像４３を表示する。そして、ステップＳ２に戻り前記した処理を繰り返すことで、近接状態が続けば拡大ボタンを表示し続け、近接状態から離れた状態になると拡大ボタンは消える。
【０１７６】
以上のように実施例３に係るオーブンレンジ１によれば、自動調理メニューの自動メニューボタン群４１を表示する際には、通常は、標準ボタン画像記憶部３２に記憶されている多数の標準ボタン画像を液晶タッチパネル１０に一覧表示する。そして、いずれかの標準ボタン画像に対して指２７などが近接すると近接検知部３０がそれを検知する。このように近接検知部３０によって近接検知されると、表示制御部３１における表示切換部３４が指２７などが近接したと判定された近接位置座標にある標準ボタン画像に対応付けられた拡大ボタン画像４３を拡大ボタン画像記憶部３３から読み出す。そして、カラー液晶表示器１１において、標準ボタン画像を、拡大ボタン画像４３に切り換えて表示させる。なお、この拡大ボタン画像４３には調理完成時の写真を含んでいるので、使用者に誤った選択決定をさせないようにわかり易く表示することができる。
【０１７７】
（実施例３の変形例１）
次に実施例３の変形例１について説明する。実施例３の変形例１は、上述した実施例３の図１６〜図１８に相当する部分についての説明は同様であり省略する。まずここで図１８に示す自動メニュー選択画面を液晶タッチパネル１０に表示した状態において、自動メニューボタン群４１の中の「ラタトゥイユ」ボタン画像に使用者の指２７などの体の一部が近接した時の液晶タッチパネル１０の表示状態を図２２に示す。図２２は、実施例３に係る液晶タッチパネルにおいて表示される自動調理メニューの選択画面の一例を示す図である。
【０１７８】
図２２に示すように、自動メニューボタン群４１には標準ボタン画像記憶部３２に記憶されている標準ボタン画像が多数表示されている。その中で指が近接している料理品目「ラタトゥイユ」だけが、拡大ボタン画像４３として大きく表示されている。そして拡大ボタン画像４３には「ラタトゥイユ」という料理品目名と、ラタトゥイユに関する詳細情報４７として材料を表示している。すなわち、上述した実施例３では、拡大ボタン画像４３には、料理品目名とイメージ情報４４（調理出来上がり時の写真）が付加されていたが、実施例３の変形例１では、拡大ボタン４３には、料理品目名とこの料理品目に関する詳細情報４７が付加されている点で異なる。
【０１７９】
このように詳細情報４７を表示することで、使用者は料理品目を明確に把握することができるようになり、間違った選択をすることがなくなる。また、カラー液晶表示器１１の画面解像度によっては上述した実施例３のオーブンレンジ１のように、調理完成時の写真などのイメージ情報４４では料理品目の内容がわかりにくい場合もありうる。そのような場合には、実施例３の変形例１のように文字情報で材料などの詳細情報４７を表示するほうがわかり易く、使用者の間違った選択をより効果的に防ぐことができる。
【０１８０】
図２２で示す表示において、拡大ボタン４３に使用者の指２７を接触させると、液晶タッチパネル１０では、図２３に示すような詳細設定画面へと表示画面が遷移する。図２３は、実施例３の変形例１に係る液晶タッチパネルにおいて表示される自動調理メニューの詳細設定画面の一例を示す図である。この詳細設定画面においても、カラー液晶表示器１１の画面解像度では写真などのイメージ情報４４が視認困難な場合がありうる。このような場合には、実施例３の変形例１に係るオーブンレンジ１のように、写真などのイメージ情報４４に替えて材料と分量とを示す詳細情報４７を料理品目とともに表示させる。さらに分量設定ボタン画像４５ａ、４５ｂに使用者が指２７で接触して、分量の増減設定を行った際に、この設定に連動して詳細情報４７として示されている各材料の分量を変更させて表示できるようにすれば利便性が向上する。
【０１８１】
以上のように、実施例３の変形例１に係るオーブンレンジ１によれば、通常は液晶タッチパネル１０で表示させる基本のメニュー画面などでは、標準ボタン画像記憶部３２で記憶されている多数の標準ボタン画像が一覧表示されている。そして、いずれかの標準ボタン画像に対して使用者の指２７が近接すると近接検知部３０がそれを検知する。そして、表示制御部３１は使用者の指２７による近接が検知された標準ボタン画像を、該標準ボタン画像に対応付けられた拡大ボタン画像４３に切り換えて液晶タッチパネル１０に表示させる。このとき表示される拡大ボタン画像４３には、材料など自動調理メニューに含まれる各料理品目に関する詳細情報４７を含んでいるので、使用者が誤った選択決定をしないようにわかり易く表示させることができる。
【０１８２】
なお、実施例３およびその変形例１において、図１７に示す基本のメニュー画面に表示されているあたためボタン画像３５、レンジボタン画像３６、スチームボタン画像３７、オーブンボタン画像３８、グリルボタン画像３９、および自動メニューボタン画像４０などの標準ボタン画像は標準ボタン画像記憶部３２に保存されている。そして、実施例３およびその変形例１では、これらの標準ボタン画像それぞれに対応する拡大ボタン画像４３が準備されていないものとして説明した。つまり、これらの標準ボタン画像はもともと画面に表示するボタン数が少ないため、十分に大きい表示画素数を確保できるから、それぞれに対応する拡大ボタン画像４３を準備しなかったのである。しかしながら、これらの標準ボタン画像に対しても、よりわかり易くするために、それぞれの標準ボタン画像に対応する、より画素数の多い拡大ボタン画像４３を準備し、指２７などによる近接が検知された時に、これらの標準ボタン画像を拡大ボタン画像４３に切り換えるように構成しても良い。
【０１８３】
また同様にページめくりボタン４２や分量設定ボタン４５ａ、４５ｂなども近接した時に拡大ボタンに切り換えて表示しても良い。
【０１８４】
また実施例３に係るオーブンレンジ１では拡大ボタン画像４３において写真などのイメージ情報４４を含めて表示しており、一方、実施例３の変形例１に係るオーブンレンジ１では拡大ボタン画像４３において、材料などの詳細情報４７を含めて表示させる構成であった。拡大ボタン画像４３について、どちらの表示形態を好むかは個人差があり、使用者の好みでどちらの表示形態の拡大ボタン画像４３でも選択できるように、切り換え可能な構成となっていても良い。
【０１８５】
以上のように実施例３に係るオーブンレンジ１は、以下に示す構成を有するものとしてもよい。
【０１８６】
実施例３に係る第１の加熱調理器は、食品を加熱する加熱部と、前記加熱部を制御する加熱制御部と、前記食品の加熱調理に関する情報を表示する表示部と、前記表示部に一体的に構成し前記表示部の表示に基づき使用者が選択操作するタッチパネルと、前記タッチパネルからの入力に基づき前記表示部の表示を制御する操作表示制御部を有し、前記操作表示制御部は、前記タッチパネルに人体の一部が近づいたことを検知する近接検知部と、前記タッチパネルに人体の一部が接触したことを検知する接触検知部と、前記近接検知部および前記接触検知部の入力に基づき前記表示部の表示を制御する表示制御部を有し、前記表示制御部は、調理メニューの標準ボタン画像を記憶している標準ボタン画像記憶部と、前記標準ボタン画像より大きい拡大ボタン画像を記憶している拡大ボタン画像記憶部と、前記標準ボタン画像表示中に前記近接検知部からの入力により人体の一部が前記標準ボタン画像に近づいたときに前記標準ボタン画像から前記拡大ボタン画像に表示を切り換える表示切換部を有し、少なくとも前記拡大ボタン画像記憶部に記憶している拡大ボタン画像には調理完成時のイメージ情報を含むものである。
【０１８７】
これによって、通常は表示部に標準ボタン画像記憶部で記憶されている多数の標準ボタン画像を一覧表示し、いずれかの標準ボタン画像に人体の一部が近接すると近接検知部がそれを検知し、表示制御部はその近接した標準ボタン画像を拡大ボタン画像記憶部に記憶している拡大ボタン画像に切り換えて表示する。そして拡大ボタン画像には調理完成時のイメージ情報を含んでいるので、表示部に多くの標準ボタン画像を表示して一覧性を良くし、且つ、使用者に誤った選択決定をさせないように、近接検知されたボタンは拡大ボタン画像でわかり易く表示することができる。
【０１８８】
実施例３に係る第２の加熱調理器は、食品を加熱する加熱部と、前記加熱部を制御する加熱制御部と、前記食品の加熱調理に関する情報を表示する表示部と、前記表示部に一体的に構成し前記表示部の表示に基づき使用者が選択操作するタッチパネルと、前記タッチパネルからの入力に基づき前記表示部の表示を制御する操作表示制御部を有し、前記操作表示制御部は、前記タッチパネルに人体の一部が近づいたことを検知する近接検知部と、前記タッチパネルに人体の一部が接触したことを検知する接触検知部と、前記近接検知部および前記接触検知部の入力に基づき前記表示部の表示を制御する表示制御部を有し、前記表示制御部は、調理メニュー（自動調理メニュー、自動メニュー）の標準ボタン画像を記憶している標準ボタン画像記憶部と、前記標準ボタン画像より大きい拡大ボタン画像を記憶している拡大ボタン画像記憶部と、前記標準ボタン画像表示中に前記近接検知部からの入力により人体の一部が前記標準ボタン画像に近づいたときに前記標準ボタン画像から前記拡大ボタン画像に表示を切り換える表示切換部を有し、少なくとも前記拡大ボタン画像記憶部に記憶している拡大ボタン画像には調理メニューに関する詳細情報を含むものである。
【０１８９】
これによって、通常は表示部に標準ボタン画像記憶部で記憶されている多数の標準ボタン画像を一覧表示し、いずれかの標準ボタン画像に人体の一部が近接すると近接検知部がそれを検知し、表示制御部はその近接した標準ボタン画像を拡大ボタン画像記憶部に記憶している拡大ボタン画像に切り換えて表示する。そして拡大ボタン画像には調理メニューに関する詳細情報を含んでいるので、表示部に多くの標準ボタン画像を表示して一覧性を良くし、且つ、使用者に誤った選択決定をさせないように、近接検知されたボタンは拡大ボタン画像でわかり易く表示することができる。
【０１９０】
したがって、本発明の実施形態における実施例３によれば、表示パネルに多くのメニューボタンを表示して一覧性を良くし、且つ、誤った選択決定をさせないようにわかり易く表示することができるという効果を奏する。
【０１９１】
また、実施例３に係る加熱調理器（オーブンレンジ１）は、例えば、以下のように活用することができる。
【０１９２】
すなわち、実施例３では、通常は表示部に標準ボタン画像記憶部で記憶されている多数の標準ボタン画像を一覧表示している。そして、いずれかの標準ボタン画像に人体の一部が近接すると近接検知部がそれを検知し、表示制御部はその近接検知された標準ボタン画像を拡大ボタン画像記憶部に記憶している拡大ボタン画像に切り換えて表示する。そして、その拡大ボタン画像には調理完成時のイメージ情報あるいは詳細情報が含まれているので、表示部に多くの標準ボタン画像を表示させて一覧性を良くすることができる。さらに、使用者の誤った選択決定を防止するように、使用者の手などが近接した標準ボタン画像を拡大ボタン画像に切り換えてわかり易い表示とすることができるので、オーブンレンジの他、炊飯器やＩＨクッキングヒータなど、調理器全般にも適用できる。
【０１９３】
（実施例４）
次に、液晶タッチパネル１０において、戻る操作をすることなく、より早く簡単に所望の料理品目まで辿り着けるようにして、使い勝手を向上させるように工夫したオーブンレンジ１について実施例４として説明する。
【０１９４】
なお、実施例４に係るオーブンレンジ１では、上記した近接検知に対する有効または無効を判定する構成については明示していないが、実施例１または実施例２に係るオーブンレンジ１の構成と組み合わせることは可能である。
【０１９５】
まず、液晶タッチパネル１０における、カラー液晶表示器１１と位置入力装置１５との制御について、図２４の制御ブロック図を用いて説明する。図２４は実施形態の実施例４に係るオーブンレンジ１の要部構成の一例を示すブロック図である。図２４に示すように、オーブンレンジ１は、加熱制御部２４および操作表示制御部２８を備えている。操作表示制御部２８は、位置入力装置１５からの信号に基づきカラー液晶表示器１１における表示を制御したり、加熱制御部２４に対して、使用者からの入力に応じた信号を送信したりするものである。加熱制御部２４は、操作表示制御部２８からの信号を受け付けると、前述したようにサーミスタ２２または赤外線センサ２３によって検出された温度に応じて、加熱部材であるマグネトロン１７、平面ヒータ１８、コンベクションヒータ１９、スチーム発生器２１を制御する。なお、加熱制御部２４は、図２４では図示していないが循環ファン２０の動作量も制御する構成であってもよい。
【０１９６】
図２４に示すように、操作表示制御部２８は、液晶タッチパネル１０に指２７などの人体の一部が接触したことを検知する接触検知部２９、指２７などの人体の一部が近接したことを検知する近接検知部３０、カラー液晶表示器１１における表示制御を行う表示制御部３１を備える。
【０１９７】
接触検知部２９及び近接検知部３０の構成は、上述した実施例１に係るオーブンレンジ１が備える接触検知部２９および近接検知部３０と同様の構成であるため、説明は省略する。
【０１９８】
表示制御部３１は、接触検知部２９から入力された接触位置座標、または近接検知部３０から入力された近接位置座標に従い、カラー液晶表示器１１における表示制御を行うものである。表示制御部３１は、上述した実施例１に係るオーブンレンジ１の表示制御部３１が備えている標準ボタン画像記憶部３２および拡大ボタン画像記憶部３３の代わりに、ボタン画像記憶部１３２および近接時画像記憶部１３３を備えている点で異なる。さらに、上述した実施例１に係る表示制御部３１が、表示切換部３４を備えているのに対して、実施例４に係る表示制御部３１は、表示切換部３４を備えていない点でも異なる。ボタン画像記憶部１３２には複数のボタン画像が記憶されていて、その中には、「蒸し物・煮物」、「焼き魚」など自動調理メニューにおける料理品目を分類したカテゴリーを示す文字を表すボタン画像が含まれる。
【０１９９】
一方、近接時画像記憶部１３３には、近接検知部３０が指２７などの人体の一部が近接していることを検知した時に、近接位置座標にあるボタン画像の近傍に表示するための画像（近接時画像６６）を記憶している。具体的には、近接時画像記憶部１３３は、料理品目を示す文字が示された画像であり、ボタン画像記憶部１３２に記憶されているカテゴリーを示す文字を表すボタン画像に対応付けて記憶されている。
【０２００】
次に液晶タッチパネル１０の表示例を示す図を使って、操作表示制御部２８の動作について説明する。具体的には、実施例３で説明した図１７を再度、参照して説明する。基本メニュー画面ではあたためボタン画像３５、レンジボタン画像３６、スチームボタン画像３７、オーブンボタン画像３８、グリルボタン画像３９、および自動メニューボタン画像４０がそれぞれ表示されている。この基本メニュー画面で表示されているそれぞれのボタン画像はボタン画像記憶部１３２に保存されていて、電源投入後などにおいて表示制御部３１によってボタン画像記憶部１３２から読み出され、カラー液晶表示器１１において基本のメニュー画面として表示される。
【０２０１】
ここで、液晶タッチパネル１０において表示されているいずれかのボタン画像の位置に指２７が接触すると、それぞれ次の詳細な設定を行うための画面に切り換わる。つまり、液晶タッチパネル１０に表示されている基本のメニュー画面の各ボタン画像のうち、例えばあたためボタン画像３５に指２７が接触すると加熱終了の温度を設定する画面に切り換わる。またレンジボタン画像３６に指２７が接触すると加熱パワー（ワット）と加熱時間の設定画面に切り換わる。またスチームボタン画像３７に指２７が接触すると加熱時間の設定画面に切り換わる。スチーム加熱はスチームとマイクロ波と平面ヒータ１８による加熱の組み合わせで蒸し調理を行うものである。またオーブンボタン画像３８に指２７が接触すると加熱温度と加熱時間の設定画面に切り換わる。また、グリルボタン画像３９に指２７が接触すると片面グリルか両面グリルかの区別と加熱時間の設定画面に切り換わる。そして自動メニューボタン画像４０に指２７が接触すると、自動調理メニュー（自動メニュー）のカテゴリー選択画面に切り換わる。
【０２０２】
図２５に液晶タッチパネル１０において自動調理メニューのカテゴリー選択画面を表示した状態を示す。図２５は、実施例４に係る液晶タッチパネル１０において表示される自動調理メニューのカテゴリー選択画面の一例を示す図である。カテゴリー選択画面には蒸し物・煮物ボタン画像６０、焼き物ボタン画像６１、焼き魚ボタン画像６２、揚げ物・炒め物ボタン画像６３、お菓子・パンボタン画像６４、合せ技セットボタン画像６５を表示している。これら各ボタン画像はボタン画像記憶部１３２に保存されている。
【０２０３】
次に、この自動調理メニューのカテゴリー選択画面が表示されている状態で液晶タッチパネル１０に使用者の指２７が接触する手前の状態、すなわち、近接した状態の場合について説明する。近接検知部３０が使用者の指２７など体の一部による液晶タッチパネル１０への近接を検知すると、検知結果として近接位置座標を表示制御部３１に対して出力する。表示制御部３１は、近接検知部３０から入力された近接位置座標に基づき、使用者の指２７などが近接した位置にあるボタン画像に対応づけられている近接時画像６６を近接時画像記憶部１３３から抽出する。そして、指２７などが近接した位置にあるボタン画像の近傍に近接時画像６６を表示する。例えば図２５のカテゴリー選択画面の焼き物ボタン画像６１に指２７が近接した時の液晶タッチパネル１０の表示状態を図２６に示す。図２６は、実施例４に係る液晶タッチパネル１０において表示される自動調理メニューのカテゴリー選択画面の一例を示す図である。
【０２０４】
図２６に示すように、自動調理メニューのカテゴリー選択画面で表示される各ボタン画像は図２５に示す自動調理メニューのカテゴリー選択画面と同様に表示されている。すなわち、各ボタン画像は、液晶タッチパネル１０における位置座標と対応づけられているとともに、カテゴリー選択画面とも対応づけられてボタン画像記憶部１３２に記憶されている。そして、使用者の指２７が近接した焼き物ボタン画像６１の横には焼き物のカテゴリーに属する料理品目である、焼き豚、肉巻き野菜、ハンバーグ、鶏の塩焼き、鶏の照焼き、グラタンが示された近接時画像６６がカテゴリー選択画面上に重畳して表示される。そして、液晶タッチパネル１０において、焼き物ボタン画像６１の表示位置に指２７が接触すると、例えば図２７に示すような、焼き物として分類されるカテゴリーの調理メニュー選択画面に遷移する。図２７は、実施例４に係る液晶タッチパネル１０において表示される、焼き物として分類されるカテゴリーの調理メニュー選択画面の一例を示す図である。
【０２０５】
図２７では、焼き物のカテゴリーにおける調理メニュー選択画面を示す。図２７に示すように焼き物のカテゴリーにおける調理メニュー選択画面では、焼き豚ボタン画像６７、肉巻き野菜ボタン画像６８、ハンバーグボタン画像６９、鶏の塩焼きボタン画像７０、鶏の照焼きボタン画像７１、グラタンボタン画像７２を表示している。それぞれのボタン画像は、液晶タッチパネル１０における位置座標と対応づけられているとともに、焼き物のカテゴリーにおける調理メニュー選択画面とも対応づけられてボタン画像記憶部１３２に保存されている。そしてこの調理メニュー選択画面が液晶タッチパネル１０において表示されている状態で、いずれかのボタン画像が表示されている位置に指２７が接触すると、そのボタン画像により示されている料理品目の詳細な選択画面に遷移する（図２８参照）。
【０２０６】
図２８に液晶タッチパネル１０における、料理品目の詳細設定画面の表示例を示す。例として「ハンバーグ」の詳細設定画面について説明する。詳細設定画面では、料理品目と調理完成時の写真とを表示している他、分量設定ボタン画像７３ａ、７３ｂと、仕上り調整スライダ７４を備えている。分量設定は料理を提供する人数分として設定することができるようになっており、分量設定ボタン画像７３ａに接触すると料理を提供する人数分の分量が増加、分量設定ボタン画像７３ｂに接触すると料理を提供する人数分の分量が減少する。このように分量設定ボタン画像７３ａ、７３ｂを操作して設定する。また仕上り調整スライダ７４に接触しながら右に移動させると、加熱時間を長めにしたり、加熱パワーを強めたりするなど強めの設定に、左に移動させると加熱時間を短くしたり、加熱パワーを弱めたりするなど弱めの設定にすることできる。以上の設定を終えたところで、図１に示す加熱開始ボタン７を押すことで加熱を開始する。
【０２０７】
上述した実施例３の図１７において示した液晶タッチパネル１０の自動メニューボタン４０部分に対して使用者の指２７が接触してからの動作の流れを図２９に示す。図２９は、実施例４に係るオーブンレンジ１が備える液晶タッチパネル１０における入力受付動作の一例を示すフローチャートである。図２９において、自動メニューボタン４０部分に対して使用者の指２７の接触が検知されると、ステップＳ３１で表示制御部３１は、自動調理メニューのカテゴリー選択画面におけるボタン画像を液晶タッチパネル１０に表示させ、ステップＳ３２に進む。このときの表示は図２５に示すものである。次にステップＳ３２で近接検知部３０が図４に示す複数（ｍ個）のＸ方向センサ電極２５すべての静電容量変化Ｃｘ１〜Ｃｘｍを検出しその最大値をＣｘｍａｘとして抽出して、ステップＳ３３に進む。次にステップＳ３３で近接検知部３０が、図４に示す複数（ｎ個）のＹ方向センサ電極２６すべての静電容量変化Ｃｙ１〜Ｃｙｎを検出しその最大値をＣｙｍａｘとして抽出し、ステップＳ３４に進む。
【０２０８】
ステップＳ３４では、近接検知部３０がステップＳ３２、Ｓ３３で抽出したＣｘｍａｘとＣｙｍａｘとを足し合わせる演算を行う。そして、その演算結果が図５に示すＣ２の２倍より大きいかどうかを判定する（ステップＳ３４）。ここで近接検知部３０がＣｘｍａｘとＣｙｍａｘとを足し合わせた結果がＣ２の２倍より大きいと判定した場合（ステップＳ３４において「ＹＥＳ」）ステップＳ３５に進む。一方、近接検知部３０が、上述した足し合わせた結果がＣ２の２倍よりも大きくないと判定した場合（ステップＳ３４において「ＮＯ」）、液晶タッチパネル１０は使用者の指２７など体の一部による接触も近接もない状態であるとして、ステップＳ３１に戻り前記した処理を繰り返す。
【０２０９】
続く、ステップＳ３５では、今度は、接触検知部２９がステップＳ３２、Ｓ３３それぞれで抽出したＣｘｍａｘとＣｙｍａｘを足し合わせる。そして、この足し合わせた演算結果が、図５に示すＣ１の２倍より大きいかどうかを判定する。そしてＣ１の２倍より大きいと判定した場合、接触検知部２９は、液晶タッチパネル１０が使用者の指２７などによって接触されたものと判定し、処理を終了して図２７に示す調理メニュー選択画面表示へ移行する。一方、接触検知部２９は、ステップＳ３５でＣ１の２倍の値より大きくない場合、使用者の指２７などが液晶タッチパネル１０に接触していないと判定する。すなわち、ステップＳ３４の近接検知部３０による判定結果とステップＳ３５の接触検知部２９による判定結果から、使用者の指２７など体の一部が液晶タッチパネル１０に接触していないが、近接しているものと判定される。そこで、近接検知部３０は、検知した近接位置座標（Ｃｘｍａｘ、ＣｙｍａｘとなるＸ座標、Ｙ座標）を表示制御部３１に出力する。そして、ステップＳ３６に進む。
【０２１０】
ステップＳ３６においては、表示制御部３１が、Ｃｘｍａｘ、Ｃｙｍａｘそれぞれが発生した時のＸ座標、Ｙ座標の位置に表示されたボタン画像に対応する近接時画像６６を近接時画像記憶部１３３より抽出する。そして、抽出した近接時画像６６に基づく表示を行うように液晶タッチパネル１０のカラー液晶表示器１１を制御する。このようにして、表示制御部３１は、使用者の指２７などによる近接が検知された位置に表示されているボタン画像の近傍に、近接時画像６６を表示することができる。この時の表示状態は図２６に示すようになる。この図９の例では、近接時画像６６によって調理メニューにおける焼き物のカテゴリーに属する料理品目が示されている。そして、ステップＳ３２に戻り前記した処理を繰り返すことで、近接状態が続けば近接時画像６６を表示し続け、近接状態から離れた状態になると近接時画像６６は消える。
【０２１１】
以上のように実施例４に係るオーブンレンジ１によれば、まず、液晶タッチパネル１０に複数のカテゴリーを示すボタン画像を表示した状態において、このうちのいずれかのボタン画像に対して指２７などが近接すると近接検知部３０がそれを検知する。このように近接検知部３０によって近接検知されると、表示制御部３１は指２７などが近接したと判定された近接位置座標にあるボタン画像に対応付けられた近接時画像６６を近接時画像記憶部１３３から抽出し、表示させる。このように近接した状態で近接時画像を表示することができるため、使用者が自動調理メニューにおいて間違ったカテゴリーを選択してしまうことを防止することができ、使い勝手が向上する。
【０２１２】
なお、図１７の基本のメニュー画面に表示されているあたためボタン画像３５、レンジボタン画像３６、スチームボタン画像３７、オーブンボタン画像３８、グリルボタン画像３９、および自動メニューボタン画像４０などのボタン画像はボタン画像記憶部１３２に保存されていて、これらに対応する近接時画像６６は準備されていないものとして説明した。つまり、基本メニュー画面において表示されているボタン画像それぞれは、自動調理メニューのカテゴリー選択画面におけるボタン画像のようにわかり難いものではないため、それぞれに対応する近接時画像６６を必要としない構成として説明した。しかしながら、基本メニュー画面において表示されているボタン画像についてもよりわかり易くするために、それぞれのボタン画像に対応させて、次に表示される画面での内容がわかる近接時画像６６を準備する。そして、使用者の指２７などが、ボタン画像が表示されている位置に近接した時にこの準備している近接時画像６６を表示させるように構成しても良い。
【０２１３】
また同様に図２７に示す各料理品目のボタン画像はボタン画像記憶部１３２に保存されているが、これらに対応する近接時画像６６も準備されていないものとして説明した。しかしながら、各料理品目を示すボタン画像についてもよりわかり易くするために、それぞれのボタン画像に対応させて、次に表示される画面での内容がわかる近接時画像６６または調理完成時の写真を近接画像６６として準備する。そして、使用者の指２７などが、ボタン画像が表示されている位置に近接した時に、この準備している近接時画像６６を表示させるように構成しても良い。
【０２１４】
また使い慣れた人にとっては、この近接時画像６６が逆に煩わしく感じる場合もある。このため、近接時画像６６の表示有無を選択できるように選択部をさらに備えた構成としても良い。
【０２１５】
以上のように実施例４に係るオーブンレンジ１は、以下に示す構成を有するものとしてもよい。
【０２１６】
実施例４に係る第１の加熱調理器は、食品を加熱する加熱部と、前記加熱部を制御する加熱制御部と、前記食品の加熱調理に関する情報を表示する表示部と、前記表示部に一体的に構成し使用者が選択操作するタッチパネルと、前記タッチパネルに人体の一部が近づいたことを検知する近接検知部と、前記タッチパネルに人体の一部が接触したことを検知する接触検知部と、前記近接検知部および前記接触検知部の入力に基づき前記表示部の表示を制御する表示制御部を備え、前記表示制御部は調理メニューのボタン画像を記憶しているボタン画像記憶部と、前記ボタン画像に対応した近接検知時に表示する近接時画像を記憶する近接時画像記憶部を備え、前記ボタン画像表示中に前記近接検知部からの入力により人体の一部が前記ボタン画像に近づいたときに前記ボタン画像近傍に前記近接時画像を表示し、前記ボタン画像は調理メニューのカテゴリーを示す画像であり前記近接時画像は対応する前記ボタン画像のボタンに割り当てられた調理メニューを含む構成である。
【０２１７】
この構成により通常は表示部にボタン画像記憶部で記憶されている複数の調理メニューのカテゴリーを示すボタン画像を一覧表示し、いずれかのボタン画像に人体の一部が近接すると近接検知部がそれを検知し、表示制御部はその近接したボタン画像に対応する近接時画像記憶部に記憶された調理メニューを含む近接時画像をボタン画像近傍に表示する。そうすることでカテゴリーのボタン画像に接触する前にそのカテゴリーに対応する調理メニューがわかるので、間違ったカテゴリーを選択することはなく、より早く簡単に所望のメニュー選択に辿り着けて、使い勝手が向上する。
【０２１８】
したがって、本発明の実施形態における実施例４によれば、調理メニューの選択において、カテゴリーのボタン画像に接触する前にそのカテゴリーに対応する調理メニューがわかるので、間違ったカテゴリーを選択することはなく、より早く簡単に所望のメニュー選択に辿り着けて使い勝手が向上するという効果を奏する。
【０２１９】
また、実施例４に係る加熱調理器（オーブンレンジ１）は、例えば、以下のように活用することができる。
【０２２０】
すなわち、実施例４では、通常は表示部にボタン画像記憶部で記憶されている調理メニューにおけるカテゴリーを示す、複数のボタン画像を一覧表示している。そして、いずれかのボタン画像に人体の一部が近接すると近接検知部がそれを検知し、表示制御部はその近接検知されたボタン画像に対応する近接時画像記憶部に記憶された近接時画像をボタン画像近傍に表示する。そうすることでカテゴリーのボタン画像に接触する前にそのカテゴリーに対応する料理品目がわかるので、間違ったカテゴリーを選択することはなく、より早く簡単に所望の料理品目を選択することができるので、オーブンレンジの他、炊飯器やＩＨクッキングヒータなど、調理器全般に適用できる。
【０２２１】
（実施例５）
次に、液晶タッチパネル１０において、ミトンなど分厚い手袋を付けたままで入力を可能とすることで、操作性を向上させるように工夫したオーブンレンジ１について実施例５として説明する。
【０２２２】
なお、実施例５に係るオーブンレンジ１では、上記した近接検知に対する有効または無効を判定する構成については明示していないが、実施例１または実施例２に係るオーブンレンジ１の構成と組み合わせることは可能である。
【０２２３】
まず、実施例５に係るオーブンレンジ１は、図３０に示すように、上述した図３に示すオーブンレンジ１の構成において、さらに上段レール５０Ａと５０Ｂ、ならびに下段レール５１Ａと５１Ｂを備えた構成となっている。上段レール５０Ａと５０Ｂ、ならびに下段レール５１Ａと５１Ｂは、加熱皿やオーブン皿に食品を載せて加熱するときに、それらの皿を加熱庫１６内において支持するためのレールである。これ以外は、オーブンレンジ１の内部構成は同様であるため、同じ部材には同じ符号を付し、説明は省略するものとする。
【０２２４】
次に、液晶タッチパネル１０で受付けた入力に応じて、加熱制御部２４に加熱指示を出力する制御について、図３１の制御ブロック図を用いて説明する。図３１は実施形態の実施例５に係るオーブンレンジ１の要部構成の一例を示すブロック図である。図３１に示すように、オーブンレンジ１は、加熱制御部２４および操作表示制御部２８を備えている。操作表示制御部２８は、位置入力装置１５からの信号に基づきカラー液晶表示器１１における表示を制御したり、加熱制御部２４に対して、使用者からの入力に応じた信号を送信したりするものである。加熱制御部２４は、操作表示制御部２８からの信号を受け付けると、前述したようにサーミスタ２２または赤外線センサ２３によって検出された温度に応じて、加熱部材であるマグネトロン１７、平面ヒータ１８、コンベクションヒータ１９、スチーム発生器２１を制御する。なお、加熱制御部２４は、図３１では図示していないが循環ファン２０の動作量も制御する構成であってもよい。
【０２２５】
図３１に示すように、操作表示制御部２８は、接触検知部２９、近接検知部３０、タイマー部（状態判定部、許可判定部）５３、切替部５２、および表示制御部３１を備えている。接触検知部２９は、液晶タッチパネル１０に指２７などの人体の一部が接触したことを検知するものである。一方、近接検知部３０は、指２７などの人体の一部が液晶タッチパネル１０に近接したことを検知するものである。
【０２２６】
タイマー部５３は、接触検知部２９または近接検知部３０で検知した、使用者の指２７などの接触または近接に応じて、加熱部材の加熱時間を設定し、カウントするものである。
【０２２７】
切替部５２は、タイマー部５３により設定された時間だけ経過するタイミングで液晶タッチパネル１０に対する指２７などの近接検知を近接検知部３０が行わない状態から行う状態へと切り替えるものである。すなわち、切替部５２は、液晶タッチパネル１０の位置入力装置１５における静電容量の変化量を近接検知部３０が受付けない状態から受付ける状態へと切り換える。
【０２２８】
また、表示制御部３１は、接触検知部２９または近接検知部３０による接触検知または近接検知に応じてカラー液晶表示器１１の表示を制御するものである。更にまた、上記したタイマー部５３は、設定時間のカウント終了後、追加加熱時間を設定しその時間経過をカウントするための追加タイマー部５４を含んでいる。この構成により設定時間経過するまでは、接触検知部２９でのみ、液晶タッチパネル１０に対する接触検知を行い、設定時間経過後は接触検知部２９で接触検知を行うとともに、近接検知部３０で近接検知を行うことで、液晶タッチパネル１０に対する指２７などの接触および近接の検知を行う。
【０２２９】
接触検知部２９および近接検知部３０の構成は、上述した実施例１に係るオーブンレンジ１が備える接触検知部２９および近接検知部３０と同様の構成であるため、説明は省略する。
【０２３０】
タイマー部５３は、停止した状態（初期状態）では接触検知部２９での接触検知に応じた入力に従い加熱部材によって加熱させる加熱時間を設定する。より具体的には、液晶タッチパネル１０において加熱スタートを示すボタン画像への接触を接触検知部２９が検知すると、タイマー部５３は加熱時間を設定する。そして、操作表示制御部２８は、加熱制御部２４に対して加熱部材に対する加熱を指示する。この操作表示制御部２８からの指示に応じて加熱制御部２４が加熱部材に対して加熱をスタートさせると、タイマー部５３は、その設定した加熱時間分の時間経過をカウントする。なお、加熱制御部２４は加熱部材であるマグネトロン１７、平面ヒータ１８、コンベクションヒータ１９、およびスチーム発生器２１のうちいずれか一つ、または複数を制御して加熱する。
【０２３１】
タイマー部５３がこの設定した加熱時間の経過をカウントし、設定した加熱時間が終了となると、加熱制御部２４は加熱部材を停止させ、切替部５２は、近接検知部３０が有効に動作するように切り替える。
【０２３２】
ここで、この切替部５２は、タイマー部５３による時間経過のカウント終了時点に基づき、オーブンレンジ１の状態が加熱中ではないと判定する状態判定部として機能するものともいえる。そして、このオーブンレンジ１の状態が加熱中ではないとの判定により近接検知部による近接検知を有効となるように切り替える。
【０２３３】
また、タイマー部５３は、接触検知部２９または近接検知部３０のいずれかで検知した接触検知または近接検知に応じて入力される情報に従って追加加熱時間の設定を行うことができる。
【０２３４】
例えば、使用者はオーブンレンジ１において食品の仕上がり状態などを確認し、さらに追加加熱が必要かどうかを判断する。そして、使用者が、追加加熱が必要であると判断した場合、液晶タッチパネル１０を介して追加加熱時間の設定指示を行う。一方、使用者が追加加熱は不要であると判断した場合は、図１に示す取消ボタン８を押して追加加熱の実行を取り消す。これによってオーブンレンジ１では、追加加熱を実施せず、加熱を行う前の初期状態に戻る。また所定時間、使用者からの追加加熱時間の設定指示を受付けなかった場合、オーブンレンジ１では、追加加熱は不要として加熱を行う前の初期状態に戻る。
【０２３５】
つまりタイマー部５３は、設定された加熱時間の経過をカウントし、設定された時間経過のカウントを終了させると、所定時間だけ切替部５２に指示して、近接検知部３０による近接検知が有効となるように切り換える。なお、この所定時間以外では、近接検知部３０による近接検知は無効となるように構成されている。実施例５に係るオーブンレンジ１では、このように追加の加熱時間を設定する時にだけ近接検知部３０による近接検知が有効となり、それ以外の時には無効となるように構成される。ここで、追加の加熱時間を設定する時とは、オーブンレンジ１では、一度食品を加熱した後のタイミングである。したがって、このタイミングでは、一度、食品が加熱されているので食品は熱くなっている状態であり、使用者がこの食品の仕上がり状態を観察する時にはミトンなどの分厚い手袋を付けている場合がありうる。そこで、実施例５に係るオーブンレンジ１では、使用者がミトンなどの手袋を装着している状態でも、液晶タッチパネル１０に対する操作ができるように近接検知部３０による近接検知を有効としている。それ以外の時では使用者が素手である状態が多く、液晶タッチパネル１０に接触して操作できる状態にあると想定される。このような状態時に近接検知部３０による検知を有効とすると、使用者が液晶タッチパネル１０に近接するだけで、操作指示が入力されてしまうため、オーブンレンジ１は、使用者の意図に反した入力を受け付け、誤動作する可能性がある。そこで、実施例５に係るオーブンレンジ１では、このような誤動作を起こさないために近接検知部３０による近接検知を無効としている。
【０２３６】
次に液晶タッチパネル１０の表示例を示す図を使って、操作表示制御部２８の動作について説明する。具体的には、実施例３で説明した図１７を再度、参照して説明する。基本メニュー画面ではあたためボタン画像３５、レンジボタン画像３６、スチームボタン画像３７、オーブンボタン画像３８、グリルボタン画像３９、および自動メニューボタン画像４０がそれぞれ表示されている。この基本メニュー画面で表示されているそれぞれのボタン画像はボタン画像記憶部（図３１では不図示）１３２に保存されており、電源投入後などにおいて表示制御部３１によってボタン画像記憶部１３２から読み出され、カラー液晶表示器１１において基本のメニュー画面として表示される。
【０２３７】
ここで液晶タッチパネル１０において表示されているいずれかのボタン画像の位置に指２７が接触すると、その接触を接触検知部２９で検知し、それぞれ次の詳細な設定を行うための画面に切り換わる。つまり、液晶タッチパネル１０に表示されている基本のメニュー画面の各ボタン画像のうち、例えばあたためボタン画像３５に指が接触すると加熱終了の温度を設定する画面に切り換わる。またレンジボタン画像３６に指２７が接触すると加熱パワー（ワット）と加熱時間の設定画面に切り換わる。スチームボタン画像３７に指２７が接触すると加熱時間の設定画面に切り換わる。スチーム加熱はスチームとマイクロ波と平面ヒータ１８による加熱の組み合わせで蒸し調理を行うものである。またオーブンボタン画像３８に指２７が接触すると加熱温度と加熱時間の設定画面に切り換わる。また、グリルボタン画像３９に指２７が接触すると底面と上面の加熱時間の設定画面に切り換わる。そして自動メニューボタン画像４０に指２７が接触すると、自動調理メニュー（自動メニュー）の選択画面に切り換わる。
【０２３８】
例えば、基本のメニュー画面においてレンジボタン画像３８が表示されている位置に指２７が接触した場合、表示制御部３１は、カラー液晶表示器１１において図３２に示すような加熱パワー（ワット）と加熱時間の設定画面を表示する。図３２は、実施例５に係る液晶タッチパネルにおいて表示される加熱パワーと加熱時間の設定画面の一例を示す図である。この設定画面では、加熱パワー表示部５５、加熱パワー設定部５６、加熱時間表示部５７、および加熱時間設定部５８を含む。加熱パワー表示部５５は加熱パワーを表示する部分であり、加熱パワー設定部５６は使用者が加熱パワーを設定する部分である。使用者は加熱パワー設定部５６に指を接触させてスライドし、図３２の紙面右側に動かすことで加熱パワーを大きくすることができ、紙面左側に動かすことで加熱パワーを小さくするように設定できる。本実施例では、より具体的には、最小１００Ｗから最大１０００Ｗまでの間で加熱パワーを設定できる。また加熱時間表示部５７は加熱時間を表示する部分であり、加熱時間設定部５８は使用者が加熱時間を設定する部分である。使用者は加熱時間設定部５８に指を接触させてスライドし、図３２の紙面右側に動かすことで加熱時間をより長く、紙面左側に動かすことで加熱時間をより短くするように設定できるものである。本実施例では、より具体的には、この加熱時間の設定可能範囲は上記の加熱パワーと関連して決められており、例えば加熱パワーが１０００Ｗに設定されている場合、加熱時間は最大３分まで設定でき、加熱パワーが１００Ｗに設定されている場合、加熱時間は最大６０分まで設定できる。
【０２３９】
加熱パワーと加熱時間の設定画面において、使用者が液晶タッチパネル１０を操作して、上述したようにオーブンレンジ１での加熱パワーと加熱時間とを設定すると、図１に示す加熱開始ボタン７を押す。このように、使用者によって加熱開始ボタン７が押されると、設定した加熱時間をタイマー部５３がカウントする一方、加熱制御部２４がマグネトロン１７を、設定した加熱パワーで駆動させて食品を加熱する。タイマー部５３が設定された加熱時間のカウントを終了すると、加熱制御部２４は、マグネトロン１７を停止させて加熱を終了させるとともに、追加加熱に関する加熱パワーと加熱時間の設定画面をカラー液晶表示器１１に表示させるように表示制御部３１に対して指示する。ここで液晶タッチパネル１０のカラー液晶表示器１１で表示された設定画面は図３３に示すようになり、使用者はこの表示を参照して追加加熱について設定できるようになっている。図３３は、実施例５に係る液晶タッチパネル１０において表示される、追加加熱についての加熱パワーと加熱時間の設定画面の一例を示す図である。
【０２４０】
図３３では液晶タッチパネル１０において示す、追加加熱についての加熱パワーと加熱時間の設定画面を示している。図３３に示す設定画面では図３２に示す設定画面と同様に加熱パワー表示部５５、加熱パワー設定部５６、加熱時間表示部５７、および加熱時間設定部５８を含んでいる。そして、使用者は、液晶タッチパネル１０において、加熱パワー設定部５６または加熱時間設定部５８をスライド操作して、加熱パワーと加熱時間を設定する。ただし、上述したように追加加熱の設定時には、近接検知部３０による近接検知が有効となっているので、素手でなくミトンのような分厚い手袋を付けた状態で、スライド操作して、加熱パワーと加熱時間とを設定できる。このようにして使用者が追加加熱の設定を行い、図１に示す加熱開始ボタン７を押すことで、オーブンレンジ１では追加加熱を実行できる。
【０２４１】
（実施例５の変形例１）
次に実施例５の変形例１に係るオーブンレンジ１の構成について説明する。実施例５の変形例１は、オーブンレンジ１においてグリル調理を行うときの例であり図３４に概略構成図を示す。図３４に示すオーブンレンジ１の内部構造は、その加熱庫１６内部の上段レール５０Ａ、５０Ｂに加熱皿８０を載せている点を除けば、実施例５で説明した図３０の構成図と同様である。このため、実施例５の変形例１に係るオーブンレンジ１の内部構成について同様の部材には同じ符号を付し、その説明は省略する。
【０２４２】
ここで、加熱皿８０について図３５、図３６を参照して説明する。図３５は加熱皿８０の上面図、図３６は図３５に示す加熱皿８０におけるＡ−Ａ’断面図である。加熱皿８０は食品の載置面となる金属板８１と、金属板８１に接着して配置される主材料がフェライトよりなる高周波発熱体８２と、使用者が把持する部分でありまた加熱庫２壁面に架け置きするための樹脂材料よりなる把持部８３を有する。
【０２４３】
金属板８１は、表面に波状の凹凸を設けた水溜可能な深さを有している。金属板８１自体を波形として凹凸を形成することで、高周波発熱体８２の接着面積が大きくなり、高周波発熱体８２上での発熱量が増加する効果が得られる。金属板８１の表面には防汚効果の高いフッ素塗装を施し、裏面は吸熱効果の高い黒色耐熱塗装を施している。
【０２４４】
グリル調理を行うときにはこの加熱皿８０の上に食品を載せてマグネトロン１７を駆動すると、高周波発熱体８２が加熱され、その熱で金属板８１を介して食品の底面を加熱し焦げ目を付ける。ここで食品の底面が十分加熱されるとマグネトロン１７による加熱を終了し、平面ヒータ１８を通電して輻射加熱を行う。このことで食品の上面を加熱し、焦げ目を付ける。このようにして食品の両面に焦げ目を付ける加熱を行うことができる。
【０２４５】
こうしたグリル調理の中でも、特に表面をパリッと焦げ目を付け、内部から水分を抜けさせずにジューシーに仕上げるには、マグネトロン１７により高周波発熱体８２を加熱して食品の底面に焦げ目を付ける時には加熱皿８０を下段レール５１Ａ、５１Ｂに載せ、平面ヒータ１８により食品の上面に焦げ目を付けるには加熱皿８０を上段レール５０Ａ、５０Ｂに載せることが良い。
【０２４６】
マグネトロン１７による加熱時では、オーブンレンジ１は、加熱庫１６の底面から高周波を発するように構成されている。このため、マグネトロン１７で高周波発熱体８２を加熱させるには、よりマグネトロン１７に近いところに高周波発熱体８２があること好適である。つまり、高周波発熱体８２に高周波が直接吸収されやすくするために、加熱皿８０は下段レール５１Ａ、５１Ｂに載せる方が良い。もし、加熱皿８０を、上段レール５０Ａ、５０Ｂに載せていると、発振源であるマグネトロン１７から距離が離れてしまうため、マグネトロン１７から発せられた高周波は、高周波発熱体８２に吸収される他に、加熱庫１６の壁面で反射して加熱皿８０の周囲から上に回り込んでしまう高周波も増えてしまう。そのために高周波により直接食品が加熱され内部の水分が蒸発しやすくなってしまう。
【０２４７】
一方、平面ヒータ１８は輻射熱で加熱皿８０の上の食品の上面に焦げ目を付けるものである。ここで、輻射の強度は距離が近いほど強くなるので加熱皿８０を上段レール５０Ａ、５０Ｂに載せた構成とする方が良い。仮に、加熱皿８０を下段レール５１Ａ、５１Ｂに載せていると、輻射エネルギーが小さく食品に焦げ目を付けるのに時間がかかってしまい、その間に雰囲気温度が上昇して食品内部の水分が蒸発しやすくなってしまう。
【０２４８】
このようにグリル調理では、初めにマグネトロン１７により加熱し、途中から輻射ヒータ１８で加熱することに合わせて、初めは下段レール５１Ａ、５１Ｂに加熱皿８０を載せて、途中で上段レール５０Ａ、５０Ｂに入れ替えることで、より良い加熱ができる。その入れ替えの際には加熱皿は十分高温になっているので、ミトンのような分厚い手袋を付けて加熱皿８０を持つこととなる。
【０２４９】
そのため、この加熱皿８０の入れ替えのタイミングで近接検知部３０による近接検知を有効とすることで、ミトンのような分厚い手袋を付けていても使用者は液晶タッチパネル１０を操作できるようになる。この制御について上述した実施例５に示す構成と同様に、図３１に示す制御ブロック図を用いて説明する。なお、加熱皿８０を加熱庫１６の底面側に配置して加熱させる時間と上面側に配置して加熱させる時間との設定画面である加熱時間設定画面が液晶タッチパネル１０において表示されているものとする。
【０２５０】
使用者はまず液晶タッチパネル１０に表示された加熱時間設定画面に指２７を接触させて、マグネトロン１７により加熱する底面加熱時間と、平面ヒータ１８により加熱する上面加熱時間とを設定する。この設定時には接触検知部２９による接触検知のみが有効となっている。このように、使用者が液晶タッチパネル１０に接触して底面加熱時間と上面加熱時間とを設定すると、タイマー部５３が、まず設定された底面加熱時間の経過時間をカウントするとともに、加熱制御部２４に対して、マグネトロン１７を駆動させるように指示する。加熱制御部２４は、タイマー部５３からの指示に応じて、マグネトロン１７を駆動させて加熱する。そしてタイマー部５３は、この底面加熱時間のカウントが終了すると、マグネトロン１７による加熱を終了するように加熱制御部２４に指示する。加熱制御部２４は、タイマー部５３からの指示に応じて、マグネトロン１７による加熱を終了させる。さらにまた、タイマー部５３は、底面加熱時間のカウントが終了すると、切替部５２に指示して、近接検知部３０による近接検知を有効とさせる。そして、オーブンレンジ１では、使用者により加熱皿８０の位置が入れ替える操作を待つ。つまり、加熱皿８０の入れ替え操作を待っている間、オーブンレンジ１では近接検知部３０による近接検知が無効の状態から有効の状態へと切り替わっている。
【０２５１】
すなわち、この使用者による加熱皿８０の入れ替え操作のタイミングでは、例えば設定済みの上面加熱時間を長くしたり短くしたりするなどの調整操作を、液晶タッチパネル１０に対する指２７などの接触または近接により行うことができるようになっている。
【０２５２】
より具体的には、液晶タッチパネル１における表示は次のようになる。図１７に示す基本のメニュー画面において、グリルボタン画像３９が表示されている位置に指２７が接触した時に、次に表示される加熱時間設定画面について、図３７を使って説明する。図３７に示す加熱時間設定画面において、底面加熱時間表示部８４は底面加熱時間を表示する部分であり、底面加熱時間設定部８５は使用者が底面加熱時間を設定する部分である。使用者は液晶タッチパネル１０において底面加熱時間設定部８５の表示位置に指２７を接触させてスライドさせ図３７の紙面右側に動かすことでより時間が長くなるように設定し、図３７の紙面左側に動かすことでより時間を短くするように設定できるものであり、本実施例では最大３０分まで設定できる。また上面加熱時間表示部８６は上面加熱時間を表示する部分で、上面加熱時間設定部８７は使用者が上面加熱時間を設定する部分である。使用者は液晶タッチパネル１０において上面加熱時間設定部８７の表示位置に指２７を接触させてスライド操作により図３７の紙面右側に動かすことでより時間が長くなるように設定し、図３７の紙面左側に動かすことでより時間を短くするように設定できるものであり、最大３０分まで設定できる。
【０２５３】
使用者はこのようにしてグリル加熱での底面加熱時間と上面加熱時間とを設定すると、図１に示す加熱開始ボタン７を押す。このように使用者からの加熱開始ボタン７の押下を受付けると、タイマー部５３は液晶タッチパネル１０によって設定された底面加熱時間の時間経過をカウントするとともに、加熱制御部２４に対してマグネトロン１７による加熱を指示する。タイマー部５３からの指示に応じて、加熱制御部２４がマグネトロン１７を駆動させて高周波発熱体８２を加熱することで、加熱皿８０に載せている食品の底面を加熱する。設定された底面加熱時間が経過し、タイマー部５３が経過時間のカウントを終了すると、加熱制御部２４に対してマグネトロン１７による加熱の停止を指示する。このタイマー部５３からの指示に応じて、加熱制御部２４は、マグネトロン１７を停止させて加熱を終了する。ここでオーブンレンジ１では加熱をいったん中断し、加熱部材をマグネトロン１７から平面ヒータ１８に切換える。この切り替え時における液晶タッチパネル１０での表示は図３８に示すようになり、上面加熱時間について調整できるようになっている。
【０２５４】
図３８は液晶タッチパネル１０において表示される上面加熱時間の設定画面の一例を示す図である。この設定画面では上面加熱時間表示部８６および上面加熱時間設定部８７を含み、使用者は上面加熱時間設定部８７の表示位置に指２７を接触させて左右方向にスライドさせて上面加熱時間を設定することができる。上面加熱時間は、上記した図３７に示す設定画面においてすでに設定されているが、底面加熱の実際の仕上がりを見て微調整できるようになっている。すなわち、加熱部材をマグネトロン１７から平面ヒータ１８に切り替える前に、上面加熱時間を再度設定できるようにしている。この設定画面における初期画面（操作前の画面）では図３７に示す設定画面において設定した上面加熱時間が表示されている。また、このときオーブンレンジ１では、上述したように近接検知部３０による近接検知が有効となっているので、使用者は素手ではなくミトンのような分厚い手袋を付けたままでもスライド操作で上面加熱時間を設定できる。
【０２５５】
以上のように加熱の終了や中断などの状態では、熱くなった食品や加熱皿などを掴むためにミトンのような分厚い手袋をしている状態が想定されるが、このようなタイミングではオーブンレンジ１は近接検知部３０での近接検知を有効としている。このため、使用者は、分厚い手袋を付けたままでも液晶タッチパネル１０の操作が可能になる。また、食品の加熱の終了時または中断時といった特定のタイミング以外では近接検知部３０による近接検知を有効としていない。このため、例えば、使用者による意図しない指の液晶タッチパネル１０への近接を検知してしまい、オーブンレンジ１が誤動作を起こしてしまうことを防ぐことができ、正しく動作しながら使い勝手を向上させることができる。
【０２５６】
なお、上記では入力を受付ける部材として、使用者の指２７の接触位置または近接位置をきめ細かく検出できる位置入力装置１５を、カラー液晶表示器１１と一体型に構成した液晶タッチパネル１０を例に挙げて説明してきたが、入力を受付ける部材はこれに限定されるものではない。例えば、カラー液晶表示器１１を備えず、複数の例えば５〜１０個のフラットな形状であり、静電容量の変化を検知するように構成された固定ボタンであってもよい。このような固定ボタンであっても、静電容量の変化の大きさから指２７による接触と近接とを区別して検知することができる。したがって同様の構成で加熱の終了や中断のタイミングで近接検知を有効にすることで、ミトンのような分厚い手袋を付けていても操作ができ同様の効果がある。
【０２５７】
また、本実施の形態では加熱調理器としてオーブンレンジで説明したが、炊飯器やＩＨクッキングヒータのように熱くなった食品や鍋などをつかむタイミングがあるものに適用しても同様の効果がある。
【０２５８】
なお、この実施例５と上述した実施例１または実施例２とを組み合わせた構成とすることも可能であるが、このように構成されたとき、近接入力可否情報１００に基づき近接検知の有効または無効が設定されることになる。しかし、実施例５では設定された加熱時間の間は、タイマー部５３は、切替部５２を切り替え近接検知部３０による近接検知を無効とするように構成されている。すなわち、タイマー部５３は、加熱部材が駆動して加熱しているという状態にオーブンレンジ１があるとき、近接入力可否情報１００による設定にもかかわらず近接検知部３０による近接検知を禁止する。なお、実施例５のタイマー部５３は、本発明の状態判定部と許可判定部との２つの機能を実現する。
【０２５９】
以上のように実施例５に係るオーブンレンジ１は、以下に示す構成を有するものとしてもよい。
【０２６０】
実施例５に係る第１の加熱調理器は、食品を加熱する加熱部と、使用者が入力する操作内容を受け付ける操作部と、前記操作部に人体の一部が近接したことを検知する近接検知部と、前記操作部に人体の一部が接触したことを検知する接触検知部と、前記近接検知部および前記接触検知部の検知により前記加熱部を制御する加熱制御部を有し、前記加熱制御部による加熱過程の所定のタイミングでのみ前記近接検知部による検知を受け付ける構成である。
【０２６１】
この構成により、操作部が使用者の入力する操作内容を受け付け、その受け付けた内容に従って加熱制御部が加熱部を制御する。そして使用者の入力については、接触検知部は人体の一部が操作部に接触したことを検知し、近接検知部は人体の一部が操作部に近接したことを検知し、加熱制御部による加熱過程の所定のタイミングでは近接検知部の検知を受け付けるので、所定のタイミングにおいてはミトンなど分厚い手袋を付けていても操作でき、使い勝手を向上させることができる。
【０２６２】
実施例５に係る第２の加熱調理器は、特に、実施例５に係る第１の加熱調理器において、前記加熱制御部は前記加熱部による加熱を中断または終了し再加熱を待機しているタイミングで前記近接検知部による検知を受け付ける構成である。
【０２６３】
この構成により、加熱部による加熱を中断または終了し再加熱を待機しているタイミングで近接検知部による検知を受け付けるので、食品や容器が熱くなっている状態でミトンなど分厚い手袋を付けていても操作でき、使い勝手を向上させることができる。
【０２６４】
実施例５に係る第３の加熱調理器は、特に、実施例５に係る第２の加熱調理器の構成において、前記加熱部は高周波発生部と、前記高周波発生部の高周波を受けて発熱する高周波発熱体を貼り付けた加熱皿と、輻射熱を発生する輻射ヒータを有し、前記加熱制御部は前記高周波発生部により加熱を終了した後に前記輻射ヒータによる加熱を待機するタイミングで前記近接検知部による検知を受け付ける構成である。
【０２６５】
この構成により、高周波発生部により高周波を発生させることで高周波発熱体を貼り付けた加熱皿を加熱し、その後、輻射ヒータで加熱する加熱過程で、高周波発生部による加熱を終了し輻射ヒータによる加熱を待機するタイミングで近接検知部による検知を受け付けるので、熱くなった加熱皿を持つなどミトンなど分厚い手袋を付けていても操作でき、使い勝手を向上させることができる。
【０２６６】
実施例５に係る第４の加熱調理器は、特に、実施例５に係る第１の加熱調理器の構成において、食品の加熱調理に関する情報を表示する表示部を更に有し、前記操作部は前記表示部に一体的に構成したタッチパネルによる構成である。
【０２６７】
この構成により、表示部に食品の加熱調理に関する情報を表示し、その表示部と一体的に構成したタッチパネルで操作することができ、そのタッチパネルをミトンなど分厚い手袋を付けていても操作でき、使い勝手を向上させることができる。
【０２６８】
したがって、実施例５に係る第４の加熱調理器によれば、ミトンなど分厚い手袋を付けていても操作でき、加熱調理器の使い勝手を向上させることができるという効果を奏する。
【０２６９】
また、実施例５に係る加熱調理器（オーブンレンジ１）は、例えば、以下のように活用することができる。
【０２７０】
すなわち、実施例５では、以上のように、液晶タッチパネル１０が使用者の入力する操作内容を受け付け、その受け付けた内容に従って加熱制御部２４が加熱部材を制御する。そして使用者の入力については、接触検知部２９によって人体の一部が液晶タッチパネル１０に接触したことを検知し、近接検知部３０によって人体の一部が液晶タッチパネル１０に近接したことを検知するように構成されている。また、加熱制御部２４による食品の加熱過程における所定のタイミングでは近接検知部３０による近接検知を有効としている。このため、所定のタイミングにおいてはミトンなど分厚い手袋を付けていても液晶タッチパネル１０を操作でき、使い勝手を向上させることができるので、オーブンレンジの他、炊飯器やＩＨクッキングヒータなど、加熱調理器全般に適用できる。
【０２７１】
（実施例６）
次に、液晶タッチパネル１０において、使用者がタッチパネルのカラー液晶パネルに触れる回数を極力減らするために、タッチパネルのカラー液晶パネルに触れずに操作できるようにして、タッチパネルの操作性を向上させるように工夫したオーブンレンジ１について実施例６として説明する。
【０２７２】
なお、実施例６に係るオーブンレンジ１では、実施例１または実施例２に示した近接検知に対する有効または無効を判定する構成については明示していないが、実施例１または実施例２に係るオーブンレンジ１の構成と組み合わせることは可能である。
【０２７３】
まず、実施例６に係るオーブンレンジ１の外観構成は、図１に示す実施例１のオーブンレンジ１の外観構成とは以下の点で異なっている。すなわち、図３９に示すように、実施例１に係るオーブンレンジ１の外観構成とは、操作表示部６の配置が異なっている。
【０２７４】
実施例１に係るオーブンレンジ１では、操作表示部６は、直方体形状のオーブンレンジ１の正面（ドア３）において、その下方側に操作表示部６が配置されている。これに対して実施例６に係るオーブンレンジ１では、正面（ドア３）の右側部側に操作表示部６が配置されている。そして、図３９に示すように加熱開始ボタン７、取消ボタン８、戻るボタン９は液晶タッチパネル１０より下方に位置する構成となっている。オーブンレンジ１の外観構成において上記した点を除けば実施例１に係るオーブンレンジ１と同様であるため、同じ部材には同じ符号を付し、説明は省略するものとする。
【０２７５】
また、実施例６に係るオーブンレンジ１の内部構成は、図３に示す実施例１に係るオーブンレンジ１の内部構成と比較して以下の点で異なっている。すなわち、図４０に示すように、筐体２のドア３と当接する部分でかつ、右上隅にドア３の開閉を検知する開閉検知部９０が設けられている点で異なる。さらには、ドア３に突起９１が設けられている点でも異なる。この突起は、ドア３において、ドア３を閉じた状態のとき開閉検知部９０と当接する位置に設けられている。そして、実施例６に係るオーブンレンジ１において、ドア３が閉じた状態の時には、ドア３に設けている突起９１が開閉検知部９０と当接することで開閉検知部９０に接続されている回路に設けられた接点が閉じられ、開いた状態の時には、この接点が開かれるように構成されている。オーブンレンジ１の内部構成において上記した点を除けば実施例１に係るオーブンレンジ１と同様であるため、同じ部材には同じ符号を付し、説明は省略するものとする。
【０２７６】
次に、上記した構成を有する実施例６のオーブンレンジ１において、液晶タッチパネル１０で受付けた入力に応じて実行される処理の制御について、図４１の制御ブロック図を用いて説明する。図４１は実施形態の実施例６に係るオーブンレンジ１の要部構成の一例を示すブロック図である。図４１に示すように、オーブンレンジ１は、加熱制御部２４および操作表示制御部２８を備えている。
【０２７７】
操作表示制御部２８は、位置入力装置１５からの信号に基づきカラー液晶表示器１１における表示を制御したり、加熱制御部２４に対して、使用者からの入力に応じた信号を送信したりするものである。図４１に示すように、操作表示制御部２８は、接触検知部２９、近接検知部３０、表示制御部３１、画面記憶部５９、および状態判定部９２を備えている。なお、図４１では画面記憶部５９は、表示制御部３１の外部に設けられた記憶装置として示されているが、実施例１と同様に、表示制御部３１の内部に設けられたメモリであってもよい。
【０２７８】
また、接触検知部２９および近接検知部３０の構成については、上述した実施例１に係るオーブンレンジ１が備える接触検知部２９および近接検知部３０と同様の構成であるため、説明は省略する。
【０２７９】
表示制御部３１は、接触検知部２９および近接検知部３０からの信号に基づき、カラー液晶表示器１１の表示を制御する。また、加熱制御部２４は、接触検知部２９からの信号に基づいて、前述したようにサーミスタ２２や赤外線センサ２３の検出に従い、加熱部材であるマグネトロン１７や平面ヒータ１８、コンベクションヒータ１９、スチーム発生器２１を制御する。さらに加熱制御部２４は、加熱中に開閉検知部９０からドアが開いたことを示す情報が入力されると直ちに加熱を停止する。
【０２８０】
画面記憶部５９は、カラー液晶表示器１１に表示する画面に関する画像を、順序を付けて複数記憶している。表示制御部３１は、例えば、近接検知部３０から入力された信号に基づき、画面記憶部５９から適当な画面に関する画像を抽出する。そして、表示制御部３１は、カラー液晶表示器１１において、この抽出した画面に関する画像に基づく表示を行うように制御する。
【０２８１】
状態判定部９２は、近接検知部３０による近接検知を行うか行わないか判定し、近接検知を行うか否かについての設定を切換えるものである。状態判定部９２は、加熱制御部２４からの信号により、マグネトロン１７、平面ヒータ１８、コンベクションヒータ１９、スチーム発生器２１のいずれかの加熱部材を駆動して加熱している時には、近接検知部３０による近接検知を行わないように判定する。また開閉検知部９０からの信号によりドア３が開いている時には近接検知部３０による近接検知は行わないように判定する。
【０２８２】
すなわち、状態判定部９２は、オーブンレンジ１が所定の状態にあるとき、すなわち、例えば、加熱部材が駆動して加熱しているとき、あるいはドア３が開いているとき、近接検知部３０による近接検知を禁止する。
【０２８３】
状態判定部９２が、加熱部材が駆動中に近接検知部３０による近接検知を行わないのは以下の理由のためである。すなわち、近接検知部３０は、図５に示す静電容量の変化量Ｃ２以上を検知するものであり、Ｃ２はＣ１に比べて十分小さい変化を検知しなければならないものである。ところが、各加熱部材の駆動中は電気的なノイズが発生し易く、特にマグネトロン１７を駆動している時には電気ノイズが発生し易くなるため、近接検知部３０は、わずかな静電容量の変化を検知することが難しくなる。このため、加熱部材の駆動中に近接検知部３０が近接検知を行うと誤動作を発生する可能性がある。それ故、実施例６に係るオーブンレンジ１では近接検知部３０による近接検知を行わないものとしている。
【０２８４】
一方、状態判定部９２が、ドア３が開いている時に近接検知部３０による近接検知を行わないのは、図３に示すように、ドア３が開いた状態のとき液晶タッチパネル１０が見えない位置になってしまうからである。このように見えない位置に液晶タッチパネル１０が配置された状態で、人体の一部が使用者の意図とは別に近接してしまったり、液晶タッチパネル１０の近傍位置にある物質の影響によっては、人体の一部が近接したと同様の検知をして誤検知をしてしまったりすることを防ぐために近接検知を行わないこととしている。
【０２８５】
次に液晶タッチパネル１０の表示例を示す図を使って、操作表示制御部２８の動作について説明する。具体的には、図４２を参照して説明する。図４２は実施例６に係る液晶タッチパネル１０において表示される基本のメニュー画面の一例を示す図である。この基本のメニュー画面（基本メニュー画面）は、電源投入後など最初に表示される画面である。基本メニュー画面ではあたためボタン画像３５、レンジボタン画像３６、スチームボタン画像３７、オーブンボタン画像３８、グリルボタン画像３９、自動メニューボタン画像４０がそれぞれ表示されている。
【０２８６】
ここで、液晶タッチパネル１０において表示されているいずれかの標準ボタン画像の位置に指２７が接触すると、それぞれ次の詳細な設定を行うための画面に切り換わる。つまり、液晶タッチパネル１０に表示されている基本メニュー画面の各標準ボタン画像のうち、例えば、あたためボタン画像３５に指２７が接触すると加熱終了の温度を設定する画面に切り換わる。またレンジボタン画像３６に指２７が接触すると加熱パワー（ワット）と加熱時間の設定画面に切り換わる。またスチームボタン画像３７に指２７が接触すると加熱時間の設定画面に切り換わる。スチーム加熱はスチームとマイクロ波と平面ヒータの組み合わせで蒸し調理を行うものである。またオーブンボタン画像３８に指２７が接触すると加熱温度と加熱時間の設定画面に切り換わる。また、グリルボタン画像３９に指２７が接触すると片面グリルか両面グリルかの区別と加熱時間の設定画面に切り換わる。そして自動メニューボタン画像４０に指２７が接触すると、自動調理メニュー（自動メニュー）の選択画面に切り換わる。
【０２８７】
図４３に液晶タッチパネル１０において自動調理メニューの選択画面を表示した状態を示す。図４３は、実施例６に係る液晶タッチパネル１０において表示される自動調理メニューの選択画面の一例を示す図である。自動メニューボタン群４１は多数の標準ボタン画像から構成されている。各標準ボタン画像には料理品目が書かれていて、それが液晶タッチパネル１０の画面全体に１６個表示されている。自動調理メニューでは、各料理品目に対して適切な加熱部材による適切な加熱制御手順が予め設定されている。そのため、使用者は自動調理メニューの中から所望の料理品目を選択するだけで、その選択された料理品目に対応した加熱制御が食材に対して行われる。また、自動調理メニューの画面において、その上部の右隅に表示されている三角形状の画像は、ページめくりボタン画像４２である。ページめくりボタン画像４２は、液晶タッチパネル１０において表示される自動調理メニューのページを切換える標準ボタン画像であり、このページめくりボタン画像４２に使用者の指２７などの体の一部が接触すると、カラー液晶表示器１１の画面全体が切換り、別の自動調理メニューボタン群４１に含まれる料理品目を示す画像が１６個表示される。
【０２８８】
この図４３に示す液晶タッチパネル１０の表示状態で、使用者がハンバーグボタン４２に接触した時に切り換わる、次の画面の表示例を図４４に示す。図４４は、実施例６に係る液晶タッチパネル１０において表示される選択確認画面の一例を示す図である。図４４は図４３に示す画面において使用者が選択した料理品目に間違いないかを確認する選択確認画面であり、「ハンバーグ」という料理品目の他に、出来上がり時の写真であるイメージ情報４４および材料などを示す詳細情報４７を表示して、選択した料理品目に間違いがないか確認しやすいようにしている。この状態で使用者が図１に示す加熱開始ボタン７を押すと、加熱制御部２４は加熱部材であるコンベクションヒータ１９により加熱し、予め定められた、ハンバーグに最も適した加熱手順で加熱する。
【０２８９】
また図４４に示す選択確認画面の下方において表示されている作り方提示ボタン画像７５ａは、料理（「ハンバーグ」）を加熱する前に必要な下ごしらえの調理方法を表示する画面（調理方法画面）に表示を切換えるように指示するためのボタンを示す画像である。ここで作り方提示ボタン画像７５ａに使用者の指２７が接触した時に移行する画面を図４５に示す。図４５は、実施例６に係る液晶タッチパネル１０において表示される調理方法画面の一例を示す図である。
【０２９０】
図４５に示す調理方法画面は「ハンバーグ」を加熱するにあたり必要な下ごしらえの調理方法を示すための最初の画面であり、下ごしらえ時の写真を示すイメージ情報４４および下ごしらえの手順を説明した説明文を示す詳細情報４７を含んでいる。また、調理方法画面内における下方にもどるボタン画像７５ｂとすすむボタン画像７５ｃとを表示している。このもどるボタン画像７５ｂとすすむボタン画像７５ｃは作り方を説明する調理方法画面を一つ前の画面に戻したり、一つ先の画面に進めたりするように指示するときに使うボタンを示す画像である。そしてこのもどるボタン画像７５ｂとすすむボタン画像７５ｃは、使用者が接触しなくても近接するだけで操作として受け付け、画面を切換えるように設定されている。例えば、調理方法画面において表示されたもどるボタン画像７５ｂに使用者の指２７が近接すると図４４に示す選択確認画面に表示が切換り、すすむボタン画像７５ｃに近接すると下ごしらえの次の工程であるハンバーグの成形作業を説明する画面（図示せず）に切換える。
【０２９１】
この調理方法画面でもどるボタン画像７５ｂ、およびすすむボタン画像７５ｃに対する使用者による近接操作を受け付けることが可能となっている理由は、図４５の調理方法画面におけるイメージ情報４４として示す下ごしらえ時の写真からも分かるように、下ごしらえをする時には一般に手が汚れることが多い。この汚れた手の状態で液晶タッチパネル１０に接触することは、使用者にとって抵抗があり、衛生的にもあまり好ましいことではない。なお、この下ごしらえの調理方法を示す調理方法画面は、図４１に示す画面記憶部５９において他の画面と順序付けられて記憶されている。そして、もどるボタン画像７５ｂまたはすすむボタン画像７５ｃに対する使用者の近接を、近接検知部３０が検知すると、表示制御部３１が画面記憶部５９から表示すべき画面を抽出し、カラー液晶表示器１１に表示させる。
【０２９２】
次に、図４６において接触検知部２９、近接検知部３０、表示制御部３１、画面記憶部５９、および状態判定部９２を備えた操作表示制御部２８の動作処理についてフローチャートを用いて説明する。図４６は、実施例６に係るオーブンレンジ１が備える液晶タッチパネル１０における入力受付動作の一例を示すフローチャートである。
【０２９３】
まず、使用者の指２７が液晶タッチパネル１０で表示している画面に近づいてくると、静電容量が変化する。この変化を位置入力装置１５のＸ方向センサ電極２５およびＹ方向センサ電極２６それぞれによって検出する。
【０２９４】
すなわち、ステップＳ４１で、接触検知部２９が図４に示す複数（ｍ個）のＸ方向センサ電極２５すべての静電容量変化Ｃｘ１〜Ｃｘｍを検出し、その最大値をＣｘｍａｘとして抽出して、ステップＳ４２に進む。次にステップＳ４２で接触検知部２９が、図４に示す複数（ｎ個）のＹ方向センサ電極２６すべての静電容量変化Ｃｙ１〜Ｃｙｎを検出し、その最大値をＣｙｍａｘとして抽出し、ステップＳ４３に進む。
【０２９５】
ステップＳ４３では、接触検知部２９が、ステップＳ４１、Ｓ４２で抽出したＣｘｍａｘとＣｙｍａｘとを足し合わせる演算を行う。そして、その演算結果が図５に示すＣ１の２倍となる値より大きいかどうかを判定する（ステップＳ４３）。ここで接触検知部２９がＣｘｍａｘとＣｙｍａｘとを足し合わせた結果がＣ１の２倍より大きいと判定した場合（ステップＳ４３において「ＹＥＳ」）、ステップＳ４４に進む。一方、接触検知部２９が、上述した足し合わせた結果がＣ１の２倍よりも大きくないと判定した場合（ステップＳ４３において「ＮＯ」）、ステップＳ４６に進む。
【０２９６】
ステップＳ４４においては、Ｃｘｍａｘ、Ｃｙｍａｘそれぞれの発生時のＸ座標、Ｙ座標の位置がカラー液晶表示器１１において標準ボタン画像が表示されている座標位置である。そこで、接触検知部２９は、この座標位置において、表示されている標準ボタン画像があるか否か確認する。そして、接触検知部２９は、その座標位置に標準ボタン画像がある場合、その標準ボタン画像は、使用者の指２７による接触に応じて、入力を受け付けるボタン画像であるか否か判定する。ステップＳ４４で「ＹＥＳ」の場合、ステップＳ４５に進み、ステップＳ４４で「ＮＯ」の場合、ステップＳ４１に戻り、前記した処理を繰り返す。ステップＳ４５ではボタン画像が接触されることで実施するように対応づけられている処理を実行する（ステップＳ４５）。このような処理としては、例えばカラー液晶表示器１１に表示する画面の変更や、加熱に関する各種設定などの処理などが挙げられる。
【０２９７】
なお、上記のようにして特定した座標位置に対応する標準ボタン画像の有無、ならびに該標準ボタン画像が使用者の指２７による接触に応じて、入力を受け付けるボタン画像であるか否かの判定について、実施例６では接触検知部２９が行っている。しかしながら、これらの判定については、操作表示制御部２８が、接触検知部２９とは別に判定部を備え、該判定部で行う構成としてもよい。
【０２９８】
一方、ステップＳ４６においては、開閉検知部９０によりドア３が開いているのか、あるいは閉じているのかについての検知を行う。開閉検知部９０が、ドア３が閉じていると検知している場合は、ステップＳ４７に進む。そして、状態判定部９２が、加熱部材を駆動させて加熱している最中かどうか判定をする。一方、開閉検知部９０が、ドア３が開いていると検知している場合は、このような加熱中か否かの判定を行う前にステップＳ４１に戻る。上述したようにステップＳ４７において、状態判定部９２が、加熱制御部２４からの制御指示の下、マグネトロン１７、平面ヒータ１８、コンベクションヒータ１９、およびスチーム発生器２１の加熱部材のいずれか１つが駆動し、加熱中かどうかを判定する。そして、状態判定部９２が、加熱中でないと判定した場合（ステップＳ４７において「ＮＯ」）、近接検知部３０に対して近接検知を行うように指示し、ステップＳ４８に進む。一方、状態判定部９２が、加熱中であると判定した場合（ステップＳ４７において「ＹＥＳ」）、近接検知部３０に近接検知の指示を行わずにステップＳ４１に戻る。
【０２９９】
ステップＳ４８では、近接検知部３０が、ステップＳ４１、Ｓ４２で抽出したＣｘｍａｘとＣｙｍａｘを足し合わせる演算を行い、それが図５に示すＣ２の２倍より大きいかどうかを判定する。ここで近接検知部３０がＣｘｍａｘとＣｙｍａｘを足し合わせた結果がＣ２の２倍より大きいと判定した場合はステップＳ４９に進む（ステップＳ４８において「ＹＥＳ」）。一方、近接検知部３０が、この足し合わせた結果がＣ２の２倍より大きくないと判定した場合はステップＳ４１に戻る。
【０３００】
ステップＳ４９においては、Ｃｘｍａｘ、Ｃｙｍａｘそれぞれの発生時のＸ座標、Ｙ座標の位置がカラー液晶表示器１１において標準ボタン画像が表示されている座標位置である。そこで、近接検知部３０は、この座標位置に表示されている標準ボタン画像があるか否か確認する。そして、近接検知部３０は、その座標位置に、使用者の指２７による近接に応じて、入力を受け付けるボタン画像であるか否か判定する。そして、ステップＳ４９において「ＹＥＳ」の場合、ステップＳ５０に進む。一方、ステップＳ４９において「ＮＯ」の場合、ステップＳ４１に戻る。そして、ステップＳ５０では、使用者の指２７が近接することで実施するように標準ボタン画像に対応づけられた処理を行う。このような処理としては、例えばカラー液晶表示器１１に表示する画面を変更するなどの処理が挙げられる。ステップＳ５０で標準ボタン画像に対応づけられた処理を行うと、その後、ステップＳ４１に戻り前記した処理を繰り返す。
【０３０１】
なお、上記のようにして特定した座標位置に対応する標準ボタン画像の有無、ならびに該標準ボタン画像が使用者の指２７による近接に応じて、入力を受け付けるボタン画像であるか否かの判定について、実施例６では近接検知部３０が行っている。しかしながら、これらの判定については、操作表示制御部２８が、近接検知部３０とは別に判定部を備え、該判定部で行う構成としてもよい。
【０３０２】
以上のように、実施例６に係るオーブンレンジ１によれば、調理方法を説明する調理方法画面を別の画面に切換える際に液晶タッチパネル１０に接触せずに近接するだけで、画面の表示を切換えることができる。調理の際に最も手が汚れたり濡れたりするのは、加熱を始める前のこうした下ごしらえの時であり、この時、液晶タッチパネル１０において指２７を接触させずに操作できることで、使用者にとっての使い勝手が向上する。また図３９に示すように加熱開始ボタン７、取消ボタン８、戻るボタン９などの押しボタンを液晶タッチパネル１０の下方に位置するように構成しているので、押しボタンを操作する際に手が液晶タッチパネル１０に近接することはなく、誤動作を起こさず安定して近接を検知することができる。
【０３０３】
（実施例６の変形例１）
次に実施例６の変形例１について説明する。カラー液晶表示器１１および位置入力装置１５から構成された液晶タッチパネル１０への入力に応じて実施される操作表示制御部２８の制御処理について図４７を参照して説明する。図４７は実施形態の実施例６に係るオーブンレンジ１の要部構成の一例を示すブロック図である。図４７に示すように、上述した実施例６に係るオーブンレンジ１の構成とは、移動方向検知部９３をさらに備えている点で異なる。それ以外の部材については同様であるため、同じ符号を付し、説明は省略する。
【０３０４】
移動方向検知部９３は近接検知部３０から受付けた近接位置情報に基づき、標準ボタン画像に対する指２７の近接状態での移動方向を検知するものである。実施例６の変形例１に係るオーブンレンジ１において、近接検知部３０が検知した近接位置座標のＸ座標の変化を監視しており、Ｘ座標において値が減少する方向に変化する場合は使用者の指２７が左方向へ移動したものと判定する。一方、Ｘ座標において値が増加する方向に変化する場合は、使用者の指２７が右方向への移動したものと判定する。Ｘ座標の値が所定時間以内に所定以上、減少方向へ変化する、もしくは増加方向へ変化する場合に、移動方向検知部９３は左方向、もしくは右方向へ移動したと判断するものであり、所定未満の変化であれば移動していないと判断する。表示制御部３１は、この移動方向検知部９３によって左方向へ移動したと判断された場合、もしくは右方向へ移動したと判断された場合、カラー液晶表示器１１において表示させる画面を切換える。
【０３０５】
次に液晶タッチパネル１０で表示される画面の表示例を示す図４８を使って、液晶タッチパネル１０において受付けた入力に対するオーブンレンジ１の動作処理について説明する。図４８は、「ハンバーグ」の下ごしらえに関する調理方法を示す複数の調理方法画面において最初に表示する調理方法画面を示しており、この画面において下ごしらえ時の写真であるイメージ情報４４および説明文などの詳細情報４７を示している。図４８は、実施例６の変形例１に係る液晶タッチパネル１０において表示される調理方法画面の一例を示す図である。なお、この調理方法画面は、上述した図４２から図４４までの画面を経由し表示されるものであるが、図４２から図４４までの画面については既に説明したため、ここでは省略する。
【０３０６】
なお、実施例６の変形例１に係る液晶タッチパネル１０で表示する調理方法画面は、実施例６に係る液晶タッチパネル１０で表示する調理方法画面と比較して、もどるボタン画像７５ｂおよびすすむボタン画像７５ｃが表示されていない点で異なる。
【０３０７】
すなわち、実施例６の変形例１では、この調理方法画面において使用者の指２７などを近接させ、その指２７を左方向に移動させると、図４５に示す調理方法画面において、すすむボタン画像７５ｃを使って入力を行った場合に相当する操作となり、次の調理工程となるハンバーグの成形作業を説明する調理方法画面（図示せず）に表示を切換える。一方、右方向に指２７を移動させると、図４５に示す調理方法画面において、もどるボタン画像７５ｂを使って入力を行った場合に相当する操作となり、図４４に示す選択確認画面に表示を切換える。
【０３０８】
次に、図４９において、接触検知部２９、近接検知部３０、表示制御部３１、状態判定部９２、画面記憶部５９、および移動方向検知部９３を備えた操作表示制御部２８の動作処理についてフローチャートを用いて説明する。図４９は、実施例６の変形例１に係るオーブンレンジ１が備える液晶タッチパネル１０における入力受付動作の一例を示すフローチャートである。まずステップＳ５１において近接フラグを０としてステップＳ５２に進む。なお、近接フラグは、液晶タッチパネル１０で表示する画面に対して指２７が近接している状態にあるか否かを判定するためのフラグであり、現在、指２７が画面に近接していれば１を、指２７が画面に近接していなければ０とする。
【０３０９】
ステップＳ５２において、近接検知部３０が図４に示す複数（ｍ個）のＸ方向センサ電極２５すべての静電容量変化Ｃｘ１〜Ｃｘｍを検出し、その最大値をＣｘｍａｘとして抽出して、ステップＳ５３に進む。次にステップＳ５３で近接検知部３０が、図４に示す複数（ｎ個）のＹ方向センサ電極２６すべての静電容量変化Ｃｙ１〜Ｃｙｎを検出し、その最大値をＣｙｍａｘとして抽出し、ステップＳ５４に進む。
【０３１０】
ステップＳ５４では、近接検知部３０がステップＳ５２、Ｓ５３で抽出したＣｘｍａｘとＣｙｍａｘを足し合わせる演算を行う。そして、その演算結果が図５に示すＣ２の２倍より大きいかどうかを判定する。ここでＣｘｍａｘとＣｙｍａｘを足し合わせた結果がＣ２の２倍より大きいと判定した場合（ステップＳ５４において「ＹＥＳ」）、ステップＳ５５に進む。一方、近接検知部３０が、上述した足し合わせた結果がＣ２の２倍よりも大きくないと判定した場合（ステップＳ５４において「ＮＯ」）、ステップＳ５１に戻り、近接フラグを０にする。
【０３１１】
ステップＳ５５において、移動方向検知部９３は、近接フラグを判定し、近接フラグが０であればステップＳ５６に進む。一方、近接フラグが０でなければステップＳ５９に進む。すなわち、近接フラグが０である場合とは、今まで近接検知部３０による近接検知がなく、今回初めて近接検知された場合である。一方、近接フラグが０ではない場合とは、既に、近接検知部３０によって近接検知されており、今回も引き続き近接検知された場合である。移動方向検知部９３は、ステップＳ５６で近接フラグを１にし、ステップＳ５７に進む。そしてステップＳ５７において、移動方向検知部９３は、Ｃｘｍａｘが発生した時のＸ座標に対して右に移動したことを判定するＸ座標ＸＲと、左に移動したことを判定するＸ座標ＹＬを演算して決める。ここでは、Ｃｘｍａｘが発生した時のＸ座標に移動量であるΔＸを加算した値をＸＲ、ΔＸを減算した値をＸＬとしている。そして、ステップＳ５８に進む。ステップＳ５８において、移動方向検知部９３は、不図示のタイマーによる時間経過のカウントをスタートさせ、ステップＳ５２に戻る。
【０３１２】
一方、ステップＳ５９においては、移動方向検知部９３が、Ｃｘｍａｘが発生した時のＸ座標の値がＸＲの値より大きいか否かを判定し、大きいと判定した場合は、ステップＳ６０に進んで、近接している指２７は右方向へ移動したと判定する。一方、大きくないと判定した場合は、ステップＳ６１に進む。ステップＳ６１においては、移動方向検知部９３が、Ｃｘｍａｘが発生した時のＸ座標の値がＸＬの値より小さいかどうかを判定する。そして、小さいと判定した場合は、ステップＳ６２に進んで左方向へ移動したと判定する一方、小さくないと判定した場合は、ステップＳ６３に進む。
【０３１３】
そして、ステップＳ６３において、移動方向検知部９３はステップＳ５８においてタイマーによるカウントをスタートしてから所定時間が経過したかどうかを判定し、所定時間経過していなければステップＳ５２に戻って処理を繰り返す。一方、すでに所定時間を経過してしまっている場合は、ステップＳ５７に戻って、現時点で近接検知部３０により検知されているＣｘｍａｘが発生した時のＸ座標に対して右に移動したか否かを判定するＸ座標ＸＲと、左に移動したか否かを判定するＸ座標ＹＬを演算して求め、それ以降の処理を繰り返す。
【０３１４】
以上のように、近接フラグは、液晶タッチパネル１０に表示している画面に指２７が現在近接していれば１が設定され、近接していなければ０が設定されるフラグである。例えば、ステップＳ５４で近接状態を検知した場合であって、続くステップＳ５５で近接フラグが０となるときは、使用者の指２７が液晶タッチパネル１０から離れた場所にある状態から、初めて液晶タッチパネル１０に近接した状態へと状態変化したことを示している。そして、近接フラグとして１が設定された後に繰り返されるステップＳ５２以降の処理によって、初めて近接した状態にあると判定されたときの近接位置座標のＸ座標から近接状態を維持したまま一定幅ΔＸ以上、左右のどちらかに、所定時間以内に移動したかどうかを、移動方向検知部９３が判定することとしている。
【０３１５】
以上のように、実施例６の変形例１に係るオーブンレンジ１では、液晶タッチパネル１０の画面に近接している指２７を、この近接状態を維持したまま移動させることで、その移動方向に応じて画面を切換える構成である。このため、実施例６のオーブンレンジ１で示した調理方法画面のように、もどるボタン画像７５ｂおよびすすむボタン画像７５ｃを表示する必要がなく、図４８に示すように写真や文字を大きく表示することができるようになる。また、液晶タッチパネル１０で表示する画面に対して近接状態を維持した指２７の移動という操作によって、別の画面に切換えることができる構成である。このため、単に指２７が液晶タッチパネル１０で表示する画面に近接しただけでは画面を別の画面に切換えることはできず、使用者の意図しない近接動作で画面が切換わることを抑制するともできる。
【０３１６】
以上、説明してきたように、タッチパネル１５に接触せず近接するだけでカラー液晶表示器１１に表示する画面を切り換えることができる。このため、手が濡れたり汚れたりしていても抵抗なく操作でき使い勝手が向上する。特に調理の過程で最も手が汚れたり濡れたりする可能性の高い下ごしらえの時に近接で操作できるよう、近接検知を有効としており、レシピ情報の画面の切換えを接触せずに行うことができるため使い勝手が向上する。なお、調理メニューによっては下ごしらえで手の濡れないメニューもあり、そうしたメニューでは近接の検知を禁止してもよく、料理メニューによって近接の許可／禁止を切換えても良い。
【０３１７】
以上のように、実施例６に係る加熱調理器によれば、使用者はタッチパネルに接触する前に近接したところで表示部の表示を変更することができ、タッチパネルに触れる回数を極力減らし、触れずに操作できて、使い勝手が向上する。
【０３１８】
なお、この実施例６と上述した実施例１または実施例２とを組み合わせた構成とすることも可能であるが、このように構成されたとき、近接入力可否情報１００により近接検知の有効または無効が設定されることになる。しかし、状態判定部９２は、オーブンレンジ１が所定の状態にあると判定したとき、すなわち、例えば、加熱部材が駆動して加熱している、あるいはドア３が開いていると判定したとき、近接入力可否情報１００による設定にもかかわらず近接検知部３０による近接検知を禁止する。なお、実施例６の状態判定部９２は、本発明の状態判定部と許可判定部との２つの機能を実現する
さらにまた、上記した実施例６に係るオーブンレンジ１は以下の構成を有する加熱調理器であるとも言える。
【０３１９】
すなわち、実施例６に係る第１の加熱調理器は、食品を加熱する加熱部材と、前記加熱部材を制御する加熱制御部と、使用者による加熱操作内容を受け付ける押しボタンと、前記食品の加熱調理に関する情報を表示する表示部と、前記表示部に一体的に構成し使用者が選択操作するタッチパネルと、前記表示部に表示する画面を記憶する画面記憶部と、前記タッチパネルに人体の一部が接触したことを検知する接触検知部と、前記タッチパネルに人体の一部が近接したことを検知する近接検知部と、前記接触検知部と前記近接検知部の入力に基づき前記表示部の表示を制御する表示制御部を備え、前記押しボタンは前記タッチパネルより下方に位置する構成である。
【０３２０】
この構成によれば、接触検知部は人体の一部がタッチパネルに接触したことを検知し、近接検知部は人体の一部がタッチパネルに近接したことを検知し、表示制御部は接触検知部と近接検知部の入力に基づいて表示部の表示を制御するので、使用者がタッチパネルに接触する前に近接しただけで表示を変更することができる。また押しボタンがタッチパネルの下方に位置するので押しボタンを操作する際に指先以外の部分がタッチパネルに近接して表示を変更してしまうようなことはない。
【０３２１】
実施例６に係る第２の加熱調理器は、特に第１の加熱調理器の構成において、食品を加熱する加熱庫と、前記加熱庫を開閉するドアと、前記ドアの開閉を検知する開閉検知部を更に備え、前記タッチパネルは前記ドア前面に設け、前記近接検知部は、前記開閉検知部により前記ドアが閉じられていると検知された場合は人体の一部が近接したかどうかの検知を行い、前記開閉検知部により前記ドアが開かれていると検知された場合は人体の一部が近接したかどうかの検知を行わない構成である。
【０３２２】
この構成によれば、加熱庫を開閉するドアの開閉を検知する開閉検知部がドアの開いていることを検知したときには人体の一部が近接したことの検知を行わないので、ドアが開いていることにより人体の一部以外の物が近接することを人体の一部の近接と誤検知することはなく、安定して近接を検知でき、使用者がタッチパネルに接触する前に近接しただけで表示を変更することができる。
【０３２３】
実施例６に係る第３の加熱調理器は、特に第１の加熱調理器の構成において、前記近接検知部が検知した人体の一部の移動方向を判定する移動方向判定部を更に備え、前記表示制御部は、前記移動方向判定部により所定の方向への移動を検知したときに画面を切換えて表示する構成である。
【０３２４】
この構成によれば、人体の一部が近接した上で所定の方向への移動を検出した時に画面を切換えて表示するで、使用者の意図しない近接などで画面が切換わることはなく、安定した検知で、使用者がタッチパネルに接触する前に表示を変更することができる。
【０３２５】
実施例６に係る第４の加熱調理器は、特に第１の加熱調理器の構成において、前記近接検知部は前記加熱制御部により前記加熱部材を非駆動中に検知を行い、駆動中には検知を行わない構成である。
【０３２６】
この構成によれば、電気的なノイズの発生し易い加熱部材の駆動中には近接を検知しないので、誤検知を起こすことなく安定した検知で、使用者がタッチパネルに接触する前に表示を変更することができる。
【０３２７】
実施例６に係る第５の加熱調理器は、画面記憶部が記憶する複数の画面は調理メニューのレシピ情報の構成である。
【０３２８】
この構成によれば、タッチパネルに接触せずに調理メニューのレシピ情報の画面を切換えることができ、レシピ情報を閲覧するような調理の過程で最も手が濡れたり汚れたりする下ごしらえの時にタッチパネルに接触せずに表示を変更することができて使い勝手が向上する。
【０３２９】
また、実施例６に係る加熱調理器（オーブンレンジ１）は、例えば、以下のように活用することができる。
【０３３０】
以上のように、本発明の加熱調理器では、接触検知部は人体の一部がタッチパネルに接触したことを検知し、近接検知部は人体の一部がタッチパネルに近接したことを検知し、表示制御部は接触検知部と近接検知部の入力に基づいて表示制御部が表示部の表示を制御するので、使用者がタッチパネルに接触する前に近接しただけで表示を変更することができるので、オーブンレンジの他、炊飯器やＩＨクッキングヒータなど、調理器全般に適用できる他、入力受付装置として入力操作を必要とする機器に広く適用可能である。
【０３３１】
（実施例７）
次に、液晶タッチパネル１０において視力の弱い使用者が手探りであっても操作しやすく、また多数のボタンを同時に並べて表示することで各ボタンが表示される大きさが小さくなるような場合であっても容易に操作でき、さらに煩わしい操作や誤操作を発生させないで、入力を受け付けることができるように工夫したオーブンレンジ１について実施例７として説明する。
【０３３２】
なお、実施例７に係るオーブンレンジ１では、上記した近接検知に対する有効または無効を判定する構成については明示していないが、実施例１または実施例２に係るオーブンレンジ１の構成と組み合わせることは可能である。
【０３３３】
まず、実施例７に係るオーブンレンジ１の外観構成は、図１に示す実施例１のオーブンレンジ１の外観構成とは以下の点で異なっている。すなわち、図５０に示すように、実施例１に係るオーブンレンジ１の外観構成とは、操作表示部６において、さらにスピーカー９６を備えている点で異なっている。上記した点を除けば実施例１に係るオーブンレンジ１と同様であるため、同じ部材には同じ符号を付し、説明は省略するものとする。
【０３３４】
次に、上記した構成を有する実施例７のオーブンレンジ１において、液晶タッチパネル１０で受付けた入力に応じて実行される処理の制御について、図５１の制御ブロック図を用いて説明する。図５１は実施形態の実施例７に係るオーブンレンジ１の要部構成の一例を示すブロック図である。図５１に示すように、オーブンレンジ１は、上述した加熱部材および液晶タッチパネル１０に加えて、加熱制御部２４、操作表示制御部２８、および発声部９５を備えている。
【０３３５】
図５１に示すように、操作表示制御部２８は、接触検知部２９、近接検知部３０、表示制御部３１を備えている。なお、接触検知部２９および近接検知部３０の構成については、上述した実施例１に係るオーブンレンジ１が備える接触検知部２９および近接検知部３０と同様の構成であるため、説明は省略する。
【０３３６】
操作表示制御部２８では、接触検知部２９および近接検知部３０からの信号に基づき表示制御部３１がカラー液晶表示器１１の表示を制御する。また、接触検知部２９からの信号に基づいて加熱制御部２４が前述したようにサーミスタ２２や赤外線センサ２３の検出に従い、加熱部材であるマグネトロン１７、平面ヒータ１８、コンベクションヒータ１９、スチーム発生器２１を制御する。
【０３３７】
また、発声部９５はスピーカー１１と発声記憶部９７を含んでいて、近接検知部３０からの信号に基づき、発声記憶部９７に記憶されている複数の発声パターンデータにおける発声パターンのうち、いずれかの発声パターンをスピーカー１１から発声するものである。
【０３３８】
次に、実施例３で用いた図１７を使って、特に、操作表示制御部２８および発声部９５の動作についてより具体的に説明する。
【０３３９】
図１７に示す基本メニュー画面が表示されている状態において、液晶タッチパネル１０で表示しているいずれかの標準ボタン画像の位置に指２７が近接すると、その近接位置座標を近接検知部３０が検知する。そして、近接検知部３０は、この近接位置座標を発声部９５に出力する。発声部９５ではその近接位置座標に対応した発声パターンを発声記憶部９７から抽出してスピーカー１１から出力する。即ち、基本メニュー画面において、あたためボタン画像３５に指２７が近接すると「あたため」とスピーカー１１から発声し、レンジボタン画像３６に近接すると「レンジ」、スチームボタン画像３７に近接すると「スチーム」、オーブンボタン画像３８に近接すると「オーブン」、グリルボタン画像３９に近接すると「グリル」、自動メニューボタン画像４０に近接すると「自動メニュー」と発声する。
【０３４０】
この「あたため」、「レンジ」、「スチーム」、「オーブン」、「グリル」、「自動メニュー」の単語は発声パターンとして発声記憶部９７にあらかじめ記憶されているものであり、発声部９５は近接検知部３０が検知する近接位置座標に対してそれぞれの発声パターンとの対応関係を記憶していて、指２７が近接した位置に表示されている標準ボタン画像に対応した発声パターンをスピーカー１１から発声する。
【０３４１】
ここで、液晶タッチパネル１０において表示されている基本メニュー画面のいずれかの標準ボタン画像の位置に指２７が接触すると、接触検知部２９がそれを検知し、表示制御部３１によりそれぞれ次の詳細な設定を行うための画面に表示が切り換えられる。液晶タッチパネル１０で表示されている基本メニュー画面の各ボタン画像の位置で、例えば、あたためボタン画像３５に指２７が接触すると、加熱終了の温度を設定する画面に切り換わる。またレンジボタン画像３６に接触すると加熱パワー（ワット）と加熱時間の設定画面に切り換わる。またスチームボタン画像３７に接触すると加熱時間の設定画面に切り換わる。スチーム加熱はスチームとマイクロ波と平面ヒータの組み合わせで蒸し調理を行うものである。またオーブンボタン画像３８に接触すると加熱温度と加熱時間の設定画面に切り換わり、グリルボタン画像３９に接触すると片面グリルか両面グリルかの区別と加熱時間の設定画面に切り換わる。そして自動メニューボタン４０に接触すると、自動調理メニューの選択画面に切り換わる。
【０３４２】
次に液晶タッチパネル１０に自動調理メニューの選択画面を表示した状態を実施例３で説明した図１８を参照して示す。自動メニューボタン群４１では、各ボタン画像に料理品目が書かれていて、それが液晶タッチパネル１０の画面全体に１６個表示されている。自動調理メニューでは、各料理品目に対して適切な加熱部材による適切な加熱制御手順が予め設定されていて、使用者は自動調理メニューにおいて、料理品目を選択するだけで、その選択された料理品目に対応した加熱制御が行われる。またページめくりボタン画像４２に接触されると、カラー液晶表示器１１の画面全体が切り替わり、別の自動調理メニュー画面に切り替わり、新たな自動メニューボタン群が１６個表示される。
【０３４３】
次に、液晶タッチパネル１０に指２７が近接した場合について説明する。近接検知部３０が、液晶タッチパネル１０に対する指２７の近接を検知すると、検知結果として近接位置座標を発声部９５に出力する。発声部９５は、受付けた近接位置座標に対応する標準ボタン画像の発声パターンデータを発声記憶部９７から読み出し、スピーカー９６を介して発声させる。例えば、指２７が図１８に示す自動調理メニューの画面のうち、「ラタトゥイユ」を示すボタン画像に近接した場合、発声部９５は「ラタトゥイユ」と調理品目の名前を発声した後、「材料はなす、ズッキーニ、たまねぎ、セロリ、ピーマン、トマト水煮、にんにく、スープの素」と読み上げる。これらの発声パターンは上述したように、発声記憶部９７に記憶されている。このようにして、近接検知部３０が「ラタトゥイユ」の標準ボタン画像位置に対する指２７などの近接を検知すると、発声部９５はこの発声パターンを発声記憶部９７から抽出してスピーカー１１を介して発声させる。
【０３４４】
自動調理メニューに含まれる料理品目の中には、「鶏の唐揚げ」や「ぶり照焼き」のように、材料と調理方法がわかるものもあるが、「パエリア」、「ボンゴレロッソ」、または「ラタトゥイユ」など、料理品目の名前だけからはどのような料理であるのか想像しにくいものもある。そのために使用者は自分の調理しようとする料理が何であるのか、料理品目の名前だけではわかりにくい場合もある。このような場合、それぞれの標準ボタン画像に料理品目の名前だけではなく、その料理の調理完成時の写真を表示したり、材料を表示したりすればわかりやすくなる。しかしながら、これらの情報を表示させるためには、各標準ボタン画像の面積が大きくなってしまい、同一画面において同時に表示できる標準ボタン画像の数が制限されてしまう。そうすると何度もページめくりをしなければならなくなるなど使い勝手が悪くなってしまうおそれがある。しかしながら、実施例７に係るオーブンレンジ１のように、指２７を自動調理メニュー画面に表示されている標準ボタン画像に近接させたときに、その標準ボタン画像に対応付けられている料理品目の名前と更に材料や作り方、およその加熱時間のような詳細情報を発声することで、指２７を近接させた標準ボタン画像の料理品目を明確に把握することができ、間違って選択することはなくなる。
【０３４５】
そして、自動メニューボタン群４１の中のいずれか１つの標準ボタン画像に接触すると、表示制御部３１により分量や仕上がりの強さなどの設定を行う設定画面に表示を切換える。このような表示に従って使用者が例えば、液晶タッチパネル１０に表示されているボタン画像などに指２７を接触させて各種設定を終えると、図１に示す加熱開始ボタン７を押すことで加熱が開始される。
【０３４６】
図１７において示す基本メニュー画面が表示されている状態において、液晶タッチパネル１０に使用者の指２７を接触させたり近接させたりした時の操作表示制御部２８および発声部９５の動作の流れについて図５２を参照して説明する。図５２は実施例７に係るオーブンレンジ１が備える液晶タッチパネル１０における入力受付動作の一例を示すフローチャートである。
【０３４７】
図５２において、まずステップＳ７１で表示制御部３１は、図１７に示すような、複数のボタン画像を含む基本メニュー画面を液晶タッチパネル１０に表示してステップＳ７２に進む。次にステップＳ７２では、接触検知部２９が図４に示す複数（ｍ個）のＸ方向センサ電極２５すべての静電容量変化Ｃｘ１〜Ｃｘｍを検出し、その最大値をＣｘｍａｘとして抽出して、ステップＳ７３に進む。次にステップＳ７３で図４に示す複数（ｎ個）のＹ方向センサ電極２６すべての静電容量変化Ｃｙ１〜Ｃｙｎを検出し、その最大値をＣｙｍａｘとして抽出して、ステップＳ７４に進む。
【０３４８】
ステップＳ７４では、接触検知部２９がステップＳ７２、Ｓ７３で抽出したＣｘｍａｘとＣｙｍａｘを足し合わせる演算を行い、それが図５に示すＣ１の２倍より大きいかどうかを判定する。ここでＣｘｍａｘとＣｙｍａｘを足し合わせた結果がＣ１の２倍より大きくないと接触検知部２９が判定した場合、ステップＳ７５に進む。一方、接触検知部２９が大きいと判定した場合は、処理を終了し、各ボタン機能に応じた詳細な設定画面に進む。
【０３４９】
ステップＳ７５では、ステップＳ７２、Ｓ７３で抽出したＣｘｍａｘとＣｙｍａｘを足し合わせた結果が、図５に示すＣ１より小さいＣ２の２倍より大きいかどうかを近接検知部３０が判定する。そして、近接検知部３０がＣ２の２倍よりも大きいと判定した場合、ステップＳ７７に進む。一方、近接検知部３０が大きくないと判定した場合、接触も近接もしていないものとしてステップＳ７６に進む。ステップＳ７６では、近接検知部３０は近接フラグを０に設定して、ステップＳ７２に戻る。
【０３５０】
ステップＳ７７においては、近接検知部３０が、近接フラグが１かどうかを判定し、近接フラグが１であればステップＳ７９に進む。一方、近接フラグが１でなければ、使用者の指２７が標準ボタン画像に近接していなかった状態から近接している状態へと、指２７の状態が変化したものとしてステップＳ７８に進む。そして、ステップＳ７８では近接検知部３０が、近接フラグを１に設定して、次のステップであるステップＳ８０に進む。
【０３５１】
一方、ステップＳ７７において、近接フラグが１であると判定された場合は、使用者の指２７が標準ボタン画像などに近接している状態が継続している状態を示している。そして、続くステップＳ７９において、近接検知部３０は、指２７が近接している位置が変わったかどうかを判定する。この判定はＣｘｍａｘ、ＣｙｍａｘのＸ座標、Ｙ座標に対応する標準ボタン画像の種類が変化したかどうかを調べることで判定することができる。近接検知部３０が、近接位置が別の標準ボタン画像の位置へと変化していると判定した場合、ステップＳ８０に進む。一方、近接検知部３０が、近接位置が同じボタンの位置から変化していないと判定された場合は、ステップＳ７２に戻る。
【０３５２】
ところで、ステップＳ８０では、ステップＳ７７で近接していない状態から近接している状態に変化した判定され、ステップＳ７８で近接フラグに１が設定された後に続いて行う処理の場合と、ステップＳ７７で近接状態が継続されていると判定され、ステップＳ７８でその近接位置が変化していると判定された後に続いて行う処理の場合とがある。そこで、ステップＳ８０では、発声部９５は、指２７が近接している近接位置座標に対応する標準ボタン画像を確認し、このボタン画像に対応した発声パターンを発声記憶部９７から抽出してスピーカー１１で発声させる。
【０３５３】
このように実施例７に係るオーブンレンジ１が動作することで、使用者の指２７が近接していない状態から近接している状態へと状態が変化した際に、標準ボタン画像を選択した際に実行される機能を音声で知らせることができる。また、使用者の指２７が標準ボタン画像に対する近接を継続している状態であっても、繰り返し発声することを防ぐことができる。また、近接を継続している状態であって、その近接位置が変化したときは、この変化後の近接位置に対応する標準ボタン画像を選択した際に実行される機能を音声で知らせることができる。
【０３５４】
例えば、上述した図１８の表示状態において液晶タッチパネル１０に接触や近接した時の動作の流れも図５２に示す処理フローと同様となる。
【０３５５】
以上のように、実施例７に係るオーブンレンジ１では、液晶タッチパネル１０において、位置入力装置１５が静電容量の変化の大きさから、使用者の指２７による接触と近接とを区別して検知することができる。そして、操作表示制御部２８の近接検知部３０により指２７による近接を検知したとき、その近接位置に表示されている標準ボタン画像に対応した音声を発声部９５が発声することができる。このため、この標準ボタン画像に使用者の指２７が接触した時に実施される機能を使用者は、該標準ボタン画像に接触する前に知ることができる。このように、接触する前に実施される機能を確認した上で使用者は、指２７が近接している位置にある標準ボタンに対して接触することができる。一方、操作表示部２８は、使用者の指２７の接触を検知したときには加熱部材の各種設定を行うなどして、使い勝手を向上させることができる。
【０３５６】
また、使用者の体の一部による近接状態というのは使用者が意図しなくとも偶然に頭や顔、腕や肩などが近接することによって起こってしまうことがある。しかしながら、その場合にも機能を知らせる発声があるだけで、実際に加熱部材を動作させるまでの段階に操作がすすむことがないので、意図しない加熱が開始されることなく安心して使うことができる。
【０３５７】
（実施例７の変形例１）
次に実施例７の変形例１について説明する。実施例７の変形例１に係る制御ブロック図を図５３に示す。図５３は、実施例７の変形例１に係るオーブンレンジ１の要部構成の一例を示すブロック図である。図５３に示すように、実施例７の変形例１に係るオーブンレンジ１のブロック図では、実施例７のオーブンレンジ１のブロック図と比較して、操作表示制御部２８がタイマー部９８を更に含む点でのみ異なる。
【０３５８】
タイマー部９８は、近接検知部３０によって近接検知されている期間をカウントするためのタイマーである。すなわち、液晶タッチパネル１０の位置入力装置１５に指２７などの人体の一部が近接したことを近接検知部３０が検知すると、近接検知部３０は指２７などの近接を検知している間、その近接位置座標をタイマー部９８に出力する。タイマー部９８は、近接検知部３０からの近接位置座標の受付開始時点から時間のカウントを開始する。タイマー部９８は、近接検知部３０から近接位置座標を受付けている状態が所定時間続くと、発声部９５に、この近接位置座標を示す信号を送る。発声部９５は、発声記憶部９７に記憶されている複数の発声パターンデータの中から、受付けた近接位置座標に対応する発声パターンデータを抽出し、スピーカー１１から発声させる。
【０３５９】
なお、このタイマー部９８は、近接検知されている期間が所定時間まで経過するのをカウントしている最中に、液晶タッチパネル１０に指２７など人体の一部が接触したことを接触検知部２９が検知した場合、この時間のカウントを停止して発声部９５からの発声は指示しないように構成されている。
【０３６０】
次に実施例７の変形例１に係るオーブンレンジ１において、使用者の指２７などが液晶タッチパネル１０に接触または近接した時の操作表示制御部２８、発声部９５の動作の流れを図５４に示す。図５４は、実施例７の変形例１に係るオーブンレンジが備える液晶タッチパネルにおける入力受付動作の一例を示すフローチャートである。なお、図５４に示すステップＳ８１からステップＳ８３までは、図５２に示すフローチャートのステップＳ７１からステップＳ７３までの処理と同様であるため説明を省略する。
【０３６１】
ステップＳ８４では、接触検知部２９が、ステップＳ８２、Ｓ８３で抽出したＣｘｍａｘとＣｙｍａｘを足し合わせる演算を行い、Ｃ１の２倍より大きいかどうかを判定する。ここで、接触検知部２９が、ＣｘｍａｘとＣｙｍａｘを足し合わせた結果がＣ１の２倍より大きくないと判定した場合（ステップＳ８４において「ＮＯ」）、ステップＳ８５に進む。一方、接触検知部２９が、足し合わせた結果がＣ１の２倍より大きいと判定した場合、ステップＳ９１に進み、ステップＳ９１において、接触検知部２９は、タイマー部９８によるカウントをクリアにさせる。すなわち、既に、近接入力に対する検知が近接検知部３０によってなされている場合は、タイマー部９８は時間経過のカウントを開始している。この場合、タイマー部９８は、接触検知部２９から指２７などの接触入力を検知したことを示す接触位置座標を受付けるとカウントを停止する。そして、カウントをクリアにして初期化する。また、接触検知部２９は接触位置座標を表示制御部３１に出力する。表示制御部３１は、接触位置座標に表示されている標準ボタン画像を選択して、接触したときに実施される機能に応じた詳細な設定画面を表示させる。
【０３６２】
ステップＳ８５では、近接検知部３０が、ステップＳ８２、Ｓ８３で抽出したＣｘｍａｘとＣｙｍａｘを足し合わせた結果がＣ１より小さいＣ２の２倍より大きいかどうかを判定する。そして、近接検知部３０が、足し合わせた結果がＣ２の２倍よりも大きいと判定した場合、ステップＳ８７に進む。一方、近接検知部３０が、足し合わせた結果がＣ２の２倍よりも大きくないと判定した場合、液晶タッチパネル１０に対する、使用者の指２７などの接触および近接は無いものと判断してステップＳ８６に進む。ステップＳ８６では、近接検知部３０は近接フラグを０に設定してステップＳ９２に進む。使用者の指２７などの液晶タッチパネル１０に対する接触および近接が無いと判断された場合、タイマー部４３はカウントをクリアにして初期化する（ステップＳ９２）。そして、ステップＳ８２に戻って処理を繰り返す。
【０３６３】
一方、ステップＳ８７においては、近接検知部３０が、近接フラグが１かどうかを判定する。そして、近接検知部３０が、近接フラグが１であると判定した場合（ステップＳ８７において「ＹＥＳ」）、使用者の指２７などが液晶タッチパネル１０に対して近接している状態が継続しているとしてステップＳ８９に進む。一方、近接検知部３０が、近接フラグが１でないと判定した場合、使用者の指２７などが液晶タッチパネル１０に対して近接していなかった状態から近接した状態に変化したとしてステップＳ８８に進む。近接検知部３０は、ステップＳ８８において、近接フラグを１に設定してステップＳ９３に進む。ステップＳ９３では、タイマー部９８が近接検知時点からの時間経過のカウントを開始しステップＳ８２に戻る。
【０３６４】
ステップＳ８９では、使用者の指２７などの液晶タッチパネル１０に対する近接状態が継続している期間の時間経過をタイマー部９８がカウントしており、所定時間経過したか否か判定する。タイマー部９８が所定時間経過していると判定した場合（ステップＳ８９において「ＹＥＳ」）、ステップＳ９０に進む。一方、タイマー部９８が、所定時間経過していないと判定した場合（ステップＳ８９において「ＹＥＳ」）は、ステップＳ８２に戻る。
【０３６５】
タイマー部９８は、使用者の指２７などの液晶タッチパネル１０に対する近接状態が継続している期間が所定時間経過していると判定すると、発声部９５に検知されている接触位置座標（Ｃｘｍａｘ，ＣｙｍａｘのＸ、Ｙ座標）を出力する。発声部９５は、タイマー部９８から受付けた近接位置座標に表示されている標準ボタン画像を特定し、該標準ボタン画像に対応した発声パターンデータを発声記憶部９７から読み出す。そして、発声部９５は、読み出した発生パターンデータに基づき、スピーカー１１から発声を開始させる（ステップＳ９０）。
【０３６６】
通常、迷うことなく液晶タッチパネル１０に指２７を接触させて操作するような場合ですら、指２７の接触前には必ず、瞬間的に近接した状態が発生している。実施例７の変形例１では、以上のように構成され動作することによって、このような瞬間的な近接状態で発声部９５が発声してしまうこと防止することができる。また、使用者が標準ボタン画像へ接触するか否か迷った場合などにおいて、所定時間、指２７を近接状態で維持すると発声部９５が音声で指２７が近接している標準画像ボタンに対応付けられた機能を知らせることができる。
【０３６７】
なお、この所定時間は、例えば１秒に設定することで、使用者が表示されている標準ボタン画像に接触するか否か迷った時だけ音声でのお知らせを行うことができる。
【０３６８】
このように実施例７の変形例１の構成では、タイマー部９８により所定時間だけ近接状態が継続した場合に発声するようにしているため、迷うことなく液晶タッチパネル１０に指２７を接触させて操作するような場合にまで、音声によるお知らせを行ってしまうことを防ぐことができる。
【０３６９】
以上のように実施例７に係るオーブンレンジ１は、以下に示す構成を有するものとしてもよい。
【０３７０】
実施例７に係る第１の加熱調理器は、食品を加熱する加熱部材と、使用者が入力する操作内容を受け付ける操作部と、前記加熱部材を制御する加熱制御部と、音声を発声する発声部と、前記操作部に人体の一部が近接したことを検知する近接検知部と、前記操作部に人体の一部が接触したことを検知する接触検知部とを備え、前記加熱制御部は前記接触検知部からの入力により前記加熱部材を制御し、前記発声部は前記近接検知部からの入力により人体の一部が近接した位置に対応した音声を発声する加熱調理器である。
【０３７１】
この構成によれば、操作部に人体の一部が近接すると近接検知部がそれを検知し、発声部が近接した位置に対応した音声を発声し、さらに操作部に人体の一部が接触すると接触検知部がそれを検知し、加熱制御部は接触検知部からの入力により加熱部材を制御するので、使用者は操作部に接触する前に近接したところで操作の内容を知ることができ、視力の弱い使用者が手探りであっても操作しやすく、またキーが小さくても操作でき、煩わしさや間違いのない操作入力を受け付けることができる。
【０３７２】
実施例７に係る第２の加熱調理器は、特に、第１の加熱調理器の構成において、食品の加熱調理に関する情報を表示する表示部を更に備え、前記操作部は前記表示部に一体的に構成したタッチパネルであり、前記近接検知部は人体の一部が近接した座標を検知し、前記発声部は前記近接検知部が検知した座標に対応した音声を発声するものである。
【０３７３】
この構成によれば、表示部が加熱調理に関する情報を表示し、タッチパネルはこの表示部に一体的に構成し、近接検知部は人体の一部が近接したタッチパネル上の座標を検知し、発声部は近接検知部が検知した座標に対応した音声を発声するので、使用者は操作部に接触する前に近接したところで操作の内容を知ることができ、視力の弱い使用者が手探りであっても操作しやすく、またキーが小さくても操作でき、煩わしさや間違いのない操作入力を受け付けることができる。
【０３７４】
実施例７に係る第３の加熱調理器は、特に、第２の加熱調理器の構成において、表示部には複数の調理メニューのボタン画像を表示し、前記近接検知部が前記ボタン画像への近接を検知したときには、前記発声部が前記ボタン画像に対応した調理メニューに関する詳細情報を読み上げる構成である。
【０３７５】
この構成によれば、表示部には複数の調理メニューのボタン画像を表示し、近接検知部がボタン画像への近接を検知したときには、発声部が近接したボタン画像に対応した調理メニューに関する詳細情報を読み上げるので、ボタン画像を小さくしたキーを表示部に同時に多数表示しても操作でき、煩わしさや間違いのない操作入力を受け付けることができる。
【０３７６】
実施例７に係る第４の加熱調理器は、特に、第１から第３のいずれか１つの加熱調理器の構成において、近接検知部が近接を検知してから前記接触検知部が接触を検知するまでの時間を計時するタイマーを更に有し、前記タイマーにより所定時間以上を計時すると前記発声部が音声を発声する構成である。
【０３７７】
この構成によれば、タイマーは近接検知部が近接を検知してから接触検知部が接触を検知するまでの時間を計時し、所定時間以上を計時すると発声部が音声を発声するので、近接したらすぐに接触するような通常の操作では発声せず、操作に迷って近接してからすぐに接触しないようなときには発声するのでさらに使い勝手が向上し、視力の弱い使用者が手探りであっても操作しやすく、またキーが小さくても操作でき、煩わしさや間違いのない操作入力を受け付けることができる。
【０３７８】
実施例７に係る第５の加熱調理器は、使用者が入力する操作内容を受け付ける操作部と、音声を発声する発声部と、前記操作部に人体の一部が接近したことを検知する近接検知部と、前記操作部に人体の一部が接触したことを検知する接触検知部とを備え、前記発声部は前記近接検知部からの入力により人体の一部が近接した位置に対応した音声を発声する入力受付装置である。
【０３７９】
この構成によれば、操作部に人体の一部が近接すると近接検知部がそれを検知し、発声部が近接した位置に対応した音声を発声し、さらに操作部に人体の一部が接触すると接触検知部がそれを検知し、入力として受け付けるので、使用者は操作部に接触する前に近接したところで操作の内容を知ることができ、視力の弱い使用者が手探りであっても操作しやすく、またキーが小さくても操作でき、煩わしさや間違いのない操作入力を受け付けることができる。
【０３８０】
実施例７の構成によれば、使用者は操作手段に接触する前に近接したところで操作の内容を知ることができ、視力の弱い使用者が手探りであっても操作しやすく、またキーが小さくても操作でき、煩わしさや間違いのない操作入力を受け付けることができる。
【０３８１】
また、実施例７に係る加熱調理器（オーブンレンジ１）は、例えば、以下のように活用することができる。
【０３８２】
以上のように、本発明は操作部に人体の一部が近接すると近接検知部がそれを検知し、発声部が近接した位置に対応した音声を発声し、さらに操作部に人体の一部が接触すると接触検知部がそれを検知し、加熱制御部は接触検知部からの入力により加熱部材を制御するので、使用者は操作部に接触する前に近接したところで操作の内容を知ることができ、視力の弱い使用者が手探りであっても操作しやすく、またキーが小さくても操作でき、煩わしさや間違いのない操作入力を受け付けることができるので、オーブンレンジの他、炊飯器やＩＨクッキングヒータなど、調理器全般に適用できる他、入力受付装置として入力操作を必要とする機器に広く適用可能である。
【０３８３】
以上、説明してきた実施例１〜７では、利用者からの指示を受付ける入力部として接触位置や近接位置がきめ細かく検出できる、カラー液晶表示器１１と位置入力装置１５とが一体となって構成された液晶タッチパネル１０を例に挙げて説明してきた。しかしながら、入力部は、カラー液晶表示器１１を備えずに、静電容量の変化を検知することで接触と近接とを区別して検知できる、複数のフラットなボタンから構成されたものであってもよい。
【０３８４】
また、実施例１〜７では加熱調理器としてオーブンレンジ１を例に挙げて説明したが、実施例６で開示した技術思想は、炊飯器やＩＨクッキングヒータなどに適用しても同様の効果がある。更には、加熱調理器に限らず他の電子機器、あるいは他の電子機器と組み合わせて利用する入力受付装置として適用することもできる。
【０３８５】
上記説明から、当業者にとって、本発明の多くの改良や他の実施形態が明らかである。
従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０３８６】
本発明の電子機器では、表示部に表示された操作ボタンに対する使用者による接触入力および近接入力をそれぞれ検知することができ、近接入力を検知できる条件を適切に設定することで、入力に対する操作性を向上させることができる。このため、使用者からの入力を受付ける入力装置において幅広く適用できる。
【符号の説明】
【０３８７】
１  オーブンレンジ（電子機器、加熱調理器）
２  筐体
３  ドア
６  操作表示部
７  加熱開始ボタン（押下ボタン）
８  取消ボタン（押下ボタン）
９  戻るボタン（押下ボタン）
１０  液晶タッチパネル（表示部）
１１  カラー液晶表示器（表示部）
１５  位置入力装置
１７  マグネトロン（加熱部材）
１８  平面ヒータ（加熱部材）
１９  コンベクションヒータ（加熱部材）
２１  スチーム発生器（加熱部材）
２２  サーミスタ
２３  赤外線センサ
２４  加熱制御部（機能実行部）
２５  Ｘ方向センサ電極（近接検知素子）
２６  Ｙ方向センサ電極（近接検知素子）
２７  指
２８  操作表示制御部
２９  接触検知部
３０  近接検知部
３１  表示制御部（機能実行部）
３２  標準ボタン画像記憶部（記憶装置）
３３  拡大ボタン画像記憶部
３４  表示切換部（報知部）
３５  あたためボタン画像（操作ボタン）
３６  レンジボタン画像（操作ボタン）
３７  スチームボタン画像（操作ボタン）
３８  オーブンボタン画像（操作ボタン）
３９  グリルボタン画像（操作ボタン）
４０  自動メニューボタン画像（操作ボタン）
４１  自動メニューボタン群
４２  ページめくりボタン画像（操作ボタン）
４３  拡大ボタン画像
４４  イメージ情報（機能情報）
４５ａ  分量設定ボタン画像（操作ボタン）
４５ｂ  分量設定ボタン画像（操作ボタン）
４６  仕上り調整スライダ（操作ボタン）
４７  詳細情報（機能情報）
４８  スタートボタン画像（操作ボタン）
４９  有効／無効判定部（許可判定部）
５２  切替部
５３  タイマー部（状態判定部、許可判定部）
５４  追加タイマー部
５５  加熱パワー表示部
５６  加熱パワー設定部
５７  加熱時間表示部
５８  加熱時間設定部
５９  画面記憶部（記憶装置）
６０  蒸し物・煮物ボタン画像（操作ボタン）
６１  焼き物ボタン画像（操作ボタン）
６２  焼き魚ボタン画像（操作ボタン）
６３  揚げ物・炒め物ボタン画像（操作ボタン）
６４  お菓子・パンボタン画像（操作ボタン）
６５  合せ技セットボタン画像（操作ボタン）
６６  近接時画像
６７  焼き豚ボタン画像（操作ボタン）
６８  肉巻き野菜ボタン画像（操作ボタン）
６９  ハンバーグボタン画像（操作ボタン）
７０  鶏の塩焼きボタン画像（操作ボタン）
７１  鶏の照焼きボタン画像（操作ボタン）
７２  グラタンボタン画像（操作ボタン）
７３ａ  分量設定ボタン画像（操作ボタン）
７３ｂ  分量設定ボタン画像（操作ボタン）
７４  仕上り調整スライダ（操作ボタン）
７５a  作り方提示ボタン画像（操作ボタン）
７５ｂもどるボタン画像（操作ボタン）
７５ｃすすむボタン画像（操作ボタン）
８４底面加熱時間表示部
８５底面加熱時間設定部
８６上面加熱時間表示部
８７上面加熱時間設定部
９０  開閉検知部
９１  突起
９２  状態判定部（許可判定部）
９３  移動方向検知部
９５  発声部（報知部）
９６  スピーカー
９７  発声記憶部
９８  タイマー部
１００  近接入力可否情報
１３２  ボタン画像記憶部
１３３  近接時画像記憶部
【図１】
0006052740.tif 000002
【図２】
0006052740.tif 000003
【図３】
0006052740.tif 000004
【図４】
0006052740.tif 000005
【図５】
0006052740.tif 000006
【図６】
0006052740.tif 000007
【図７】
0006052740.tif 000008
【図９】
0006052740.tif 000009
【図１０】
0006052740.tif 000010
【図１１】
0006052740.tif 000011
【図１２】
0006052740.tif 000012
【図１５】
0006052740.tif 000013
【図１６】
0006052740.tif 000014
【図１７】
0006052740.tif 000015
【図１８】
0006052740.tif 000016
【図２１】
0006052740.tif 000017
【図２２】
0006052740.tif 000018
【図２３】
0006052740.tif 000019
【図２４】
0006052740.tif 000020
【図２５】
0006052740.tif 000021
【図２６】
0006052740.tif 000022
【図２７】
0006052740.tif 000023
【図２９】
0006052740.tif 000024
【図３０】
0006052740.tif 000025
【図３１】
0006052740.tif 000026
【図３２】
0006052740.tif 000027
【図３３】
0006052740.tif 000028
【図３４】
0006052740.tif 000029
【図３５】
0006052740.tif 000030
【図３６】
0006052740.tif 000031
【図３７】
0006052740.tif 000032
【図３８】
0006052740.tif 000033
【図３９】
0006052740.tif 000034
【図４０】
0006052740.tif 000035
【図４１】
0006052740.tif 000036
【図４２】
0006052740.tif 000037
【図４３】
0006052740.tif 000038
【図４６】
0006052740.tif 000039
【図４７】
0006052740.tif 000040
【図４９】
0006052740.tif 000041
【図５０】
0006052740.tif 000042
【図５１】
0006052740.tif 000043
【図５２】
0006052740.tif 000044
【図５３】
0006052740.tif 000045
【図５４】
0006052740.tif 000046
【図５５】
0006052740.tif 000047
【図５６】
0006052740.tif 000048
【図８】
0006052740.tif 000049
【図１３】
0006052740.tif 000050
【図１４】
0006052740.tif 000051
【図１９】
0006052740.tif 000052
【図２０】
0006052740.tif 000053
【図２８】
0006052740.tif 000054
【図４４】
0006052740.tif 000055
【図４５】
0006052740.tif 000056
【図４８】
0006052740.tif 000057